(57)【要約】  この出願は、チャネル状態情報フィードバック方法、ユーザ機器、および基地局を提供する。基地局は、ＵＥに対してＮ個の第１の参照信号リソースを設定し、Ｎ個の第１の参照信号リソースをＵＥに送信する。第１の基準信号リソースを受信し、次いで、フィードバック・モードに基づいて、第１の参照信号リソースのＣＳＩおよびＭ個の第１の参照信号表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩおよびＭ個の第１の参照信号リソース表示情報を基地局にフィードバックし、基地局が、第１の参照信号リソース表示情報に基づいて垂直次元におけるチャネル状態情報を決定し、最終的に、２次元のチャネル状態情報を取得するようにする。これは、従来のチャネル推定では水平次元におけるチャネル状態情報のみがフィードバックされるという欠点を克服する。
2020506586.tif 000002
【特許請求の範囲】
【請求項１】
ユーザ機器ＵＥによって、基地局によって設定されたＮ個の第１の参照信号リソースを受信することであって、該Ｎ個の第１の参照信号リソースの各々は少なくとも１つのポートを含み、Ｎは２以上の整数である、受信することと、
前記ＵＥによって、フィードバック・モードに基づいて、チャネル状態表示ＣＳＩおよびＭ個の第１の参照信号リソース表示情報を決定することであって、該フィードバック・モードは、該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルである要素うちの少なくとも１つを含む、決定することと、
前記ＵＥによって、前記ＣＳＩおよび前記Ｍ個の第１の参照信号リソース表示情報を前記基地局に報告することと、を含み、
前記Ｍ個の第１の参照信号リソース表示情報は、Ｍ個の第１の参照信号リソースの各々のインデックスおよび／または品質情報を示し、該Ｍ個の第１の参照信号リソースは、前記Ｎ個の第１の参照信号リソースのうちのＭ個の第１の参照信号リソースであり、ＭはＮ以下の整数である、チャネル状態情報フィードバックの方法。
【請求項２】
前記フィードバック・モードは第１のフィードバック・モードを含み、
前記ＵＥによって、フィードバック・モードに基づいてチャネル状態表示ＣＳＩおよびＭ個の第１の参照信号リソース表示情報を決定することは、
前記第１のフィードバック・モードの前記ＵＥによって、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定することを含む、請求項１に記載の方法。
【請求項３】
前記ＣＳＩ内の前記少なくとも１つの要素は、前記ＵＥが前記Ｍ個の第１の参照信号リソース表示情報を決定する前に直近に報告されたＲＩであり、前記第１のフィードバック・モードの前記ＵＥによって、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定することは、
前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することを含む、請求項２に記載の方法。
【請求項４】
前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することの後、当該方法は、さらに、
前記ＵＥによって、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、
前記ＵＥによって、直近に報告された前記ＲＩおよび前記Ｍ個の第２の参照信号リソースに基づいて、前記ＰＭＩ、前記ＣＱＩ、前記チャネル共分散行列、または前記チャネル固有ベクトルのうちの少なくとも１つを決定することと、
前記ＵＥによって、前記ＰＭＩ、前記ＣＱＩ、前記チャネル共分散行列、または前記チャネル固有ベクトルのうちの前記少なくとも１つを前記基地局に報告することと、を含む、請求項３に記載の方法。
【請求項５】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項４に記載の方法。
【請求項６】
前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することは、
前記第１のフィードバック・モードの前記ＵＥによって、前記Ｎ個の第１の参照信号リソースに基づいて直近に報告された前記ＲＩを決定し、直近に報告された前記ＲＩに基づいて対応表を照会して、前記Ｍ個の第１の参照信号リソース表示情報を決定することであって、該対応表は、前記ＲＩとＭの間に存在する対応を記憶する、決定することを含む、請求項３から５のいずれか一項に記載の方法。
【請求項７】
前記フィードバック・モードは、第２のフィードバック・モードを含み、
前記ＵＥによって、フィードバック・モードに基づいてチャネル状態表示ＣＳＩおよびＭ個の第１の参照信号リソース表示情報を決定することは、前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定することを含む、請求項１に記載の方法。
【請求項８】
前記Ｍ個の第１の参照信号リソース表示情報は、前記ＵＥが前記ＣＳＩを決定する前に直近に報告されたＭ個の第１の参照信号リソース表示情報である、請求項７に記載の方法。
【請求項９】
前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定することは、
前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定することを含む、請求項８に記載の方法。
【請求項１０】
前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定することの後、当該方法は、
前記ＵＥによって、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、
前記ＵＥによって、前記Ｍ個の第２の参照信号リソースおよび前記ＲＩに基づいて、前記ＣＳＩ内の前記ＰＭＩ、前記ＣＱＩ、前記チャネル共分散行列、または前記チャネル固有ベクトルのうちの少なくとも１つを決定することと、
前記ＵＥによって、前記ＰＭＩ、前記ＣＱＩ、前記チャネル共分散行列、または前記チャネル固有ベクトルのうちの少なくとも１つを前記基地局へ報告することと、をさらに含む、請求項９に記載の方法。
【請求項１１】
前記Ｍ個の第１の参照信号リソース表示情報のフィードバック期間は第４のフィードバック期間であり、前記ＣＳＩ内の前記ＲＩのフィードバック期間は第５のフィードバック期間であり、前記ＣＳＩ内の前記ＰＭＩおよび前記ＣＱＩのフィードバック期間は第６のフィードバック期間であり、該第４のフィードバック期間は該第５のフィードバック期間のｋ３倍であり、該第５のフィードバック期間は該第６のフィードバック期間のｋ４倍であり、ｋ３は１以上の整数であり、ｋ４は１以上の整数である、請求項１０に記載の方法。
【請求項１２】
前記ＵＥによって、前記ＰＭＩまたは前記ＣＱＩのうちの少なくとも１つを前記基地局へ報告することは、
前記ＵＥによって、直近に報告された前記ＲＩおよび前記Ｍ個の第２の参照信号リソースに基づいてＭセットのＣＳＩを決定することであって、該ＭセットのＣＳＩの各々は、ＰＭＩ、ＣＱＩ、チャネル共分散行列、またはチャネル固有ベクトルのうちの少なくとも１つを含む、決定することと、
前記ＵＥによって、前記ＭセットのＣＳＩをターゲットＣＳＩに結合することであって、該ターゲットＣＳＩは、ターゲットＰＭＩ、ターゲットＣＱＩ、ターゲットチャネル共分散行列、またはターゲットチャネル固有ベクトルのうちの少なくとも１つを含む、結合することと、
前記ＵＥによって、前記ターゲットＰＭＩの基底ベクトル、ポート・インデックス、または結合係数を前記基地局に報告して、前記基地局が前記ターゲットＰＭＩの該基底ベクトル、該ポート・インデックス、または該結合係数に基づいて前記ターゲットＰＭＩを決定し、前記ターゲットＰＭＩに基づいて前記ターゲットＣＱＩを取得するようにする、報告することと、を含む、請求項４または１０に記載の方法。
【請求項１３】
前記ＵＥによって、上位層シグナリングまたは動的シグナリングを使用することにより、前記基地局によって設定された前記フィードバック・モードを受信することをさらに含む、請求項１から１２のいずれか一項に記載の方法。
【請求項１４】
前記ＵＥによって、前記フィードバック・モードを前記基地局にフィードバックすることをさらに含む、請求項１から１２のいずれか一項に記載の方法。
【請求項１５】
基地局によって、Ｎ個の第１の参照信号リソースを設定することであって、該Ｎ個の第１の参照信号リソースの各々は少なくとも１つのポートを含み、Ｎは２以上の整数である、設定することと、
前記基地局によって、前記Ｎ個の第１の参照信号リソースをユーザ機器ＵＥに送信することと、
前記基地局によって、フィードバック・モードに基づいて前記ＵＥによって報告されたチャネル状態表示ＣＳＩおよびＭ個の第１の参照信号リソース表示情報を受信することであって、該フィードバック・モードは、該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、受信することと、を含み、
前記Ｍ個の第１の参照信号リソース表示情報は、Ｍ個の第１の参照信号リソースの各々のインデックスおよび／または品質情報を示し、該Ｍ個の第１の参照信号リソースは、前記Ｎ個の第１の参照信号リソースのうちのＭ個の第１の参照信号リソースであり、ＭはＮ以下の整数である、チャネル状態情報フィードバック方法。
【請求項１６】
前記フィードバック・モードは、第１のフィードバック・モードを含み、前記基地局によって、フィードバック・モードに基づいて前記ＵＥによって報告されたチャネル状態表示ＣＳＩおよびＭ個の第１の参照信号リソース表示情報を受信することは、
前記第１のフィードバック・モードの前記基地局によって、前記ＣＳＩ内の少なくとも１つの要素に基づいて前記ＵＥによって決定された前記Ｍ個の第１の参照信号リソース表示情報を受信することであって、前記ＣＳＩ内の該少なくとも１つの要素は、前記Ｎ個の第１の参照信号リソースに基づいて前記ＵＥによって決定されている、受信することを含む、請求項１５に記載の方法。
【請求項１７】
前記ＣＳＩ内の前記少なくとも１つの要素は、前記ＵＥが前記Ｍ個の第１の参照信号リソース表示情報を決定する前に直近に報告されたＲＩであり、前記第１のフィードバック・モードの前記基地局によって、前記ＣＳＩ内の少なくとも１つの要素に基づいて前記ＵＥによって決定された前記Ｍ個の第１の参照信号リソース表示情報を受信することは、
前記第１のフィードバック・モードの前記基地局によって、直近に報告された前記ＲＩに基づいて前記ＵＥによって決定された前記Ｍ個の第１の参照信号リソース表示情報を受信することであって、直近に報告された前記ＲＩは、前記Ｎ個の第１の参照信号リソースに基づいて前記ＵＥによって決定されている、受信することを含む、請求項１６に記載の方法。
【請求項１８】
前記第１のフィードバック・モードの前記基地局によって、直近に報告された前記ＲＩに基づいて前記ＵＥによって決定された前記Ｍ個の第１の参照信号リソース表示情報を受信することの後、当該方法は、
前記基地局によって、前記ＵＥによって報告された前記ＰＭＩ、前記ＣＱＩ、前記チャネル共分散行列、または前記チャネル固有ベクトルのうちの少なくとも１つを受信することであって、前記ＰＭＩ、前記ＣＱＩ、前記チャネル共分散行列、または前記チャネル固有ベクトルのうちの該少なくとも１つは、直近に報告された前記ＲＩおよびＭ個の第２の参照信号リソースに基づいて前記ＵＥによって決定されており、前記Ｍ個の第２の参照信号リソースは関連関係に基づいて決定され、該関連関係は、前記Ｍ個の第１の参照信号リソースと前記Ｍ個の第２の参照信号リソースの間の関連関係である、受信することをさらに含む、請求項１７に記載の方法。
【請求項１９】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項１８に記載の方法。
【請求項２０】
前記Ｍ個の第１の参照信号リソース表示情報は、前記Ｎ個の第１の参照信号リソースに基づいて直近に報告された前記ＲＩを決定し、直近に報告された前記ＲＩに基づいて対応表を照会することによって前記ＵＥによって決定されており、該対応表は、前記ＲＩとＭの間に存在する対応を記憶する、請求項１７から１９のいずれか一項に記載の方法。
【請求項２１】
前記フィードバック・モードは、第２のフィードバック・モードを含み、
前記基地局によって、フィードバック・モードに基づいて前記ＵＥによって報告されたチャネル状態表示ＣＳＩおよびＭ個の第１の参照信号リソース表示情報を受信することは、
前記第２のフィードバック・モードの前記基地局によって、前記Ｍ個の第１の参照信号リソース表示情報に基づいて前記ＵＥによって決定された前記ＣＳＩを受信することであって、前記Ｍ個の第１の参照信号リソース表示情報は前記Ｎ個の第１の参照信号リソースに基づいて前記ＵＥによって決定されている、受信することを含む、請求項１５に記載の方法。
【請求項２２】
前記Ｍ個の第１の参照信号リソース表示情報は、前記ＵＥが前記ＣＳＩを決定する前に直近に報告されたＭ個の第１の参照信号リソース表示情報である、請求項２１に記載の方法。
【請求項２３】
前記第２のフィードバック・モードの前記基地局によって、前記Ｍ個の第１の参照信号リソース表示情報に基づいて前記ＵＥによって決定された前記ＣＳＩを受信することは、
前記基地局によって、前記Ｍ個の第１の参照信号リソースに基づいて前記ＵＥによって決定された前記ＲＩを受信することを含む、請求項２２に記載の方法。
【請求項２４】
前記基地局によって、前記Ｍ個の第１の参照信号リソースに基づいて前記ＵＥによって決定された前記ＲＩを受信することの後、当該方法は、
前記基地局によって、前記ＵＥによって報告された前記ＰＭＩ、前記ＣＱＩ、前記チャネル共分散行列、または前記チャネル固有ベクトルのうちの少なくとも１つを受信することであって、前記ＰＭＩ、前記ＣＱＩ、前記チャネル共分散行列、または前記チャネル固有ベクトルのうちの該少なくとも１つは、Ｍ個の第２の参照信号リソースに基づいて前記ＵＥによって決定されており、該Ｍ個の第２の参照信号リソースは、関連関係に基づいて前記ＵＥによって決定されており、該関連関係は、前記Ｍ個の第１の参照信号リソースと該Ｍ個の第２の参照信号リソースの間の関連関係である、受信することをさらに含む、請求項２３に記載の方法。
【請求項２５】
前記Ｍ個の第１の参照信号リソース表示情報のフィードバック期間は第４のフィードバック期間であり、前記ＣＳＩ内の前記ＲＩのフィードバック期間は第５のフィードバック期間であり、前記ＣＳＩ内の前記ＰＭＩおよび前記ＣＱＩのフィードバック期間は第６のフィードバック期間であり、該第４のフィードバック期間は該第５のフィードバック期間のｋ３倍であり、該第５のフィードバック期間は該第６のフィードバック期間のｋ４倍であり、ｋ３は１以上の整数であり、ｋ４は１以上の整数である、請求項２４に記載の方法。
【請求項２６】
前記基地局によって、前記ＵＥによって報告された前記ＰＭＩ、前記ＣＱＩ、前記チャネル共分散行列、または前記チャネル固有ベクトルのうちの少なくとも１つを受信することは、
前記基地局によって、前記ＵＥによって報告されたターゲットＣＳＩを受信することであって、該ターゲットＣＳＩは、ターゲットＰＭＩ、ターゲットＣＱＩ、ターゲットチャネル共分散行列、またはターゲットチャネル固有ベクトルのうちの少なくとも１つを含み、該ターゲットＣＳＩは、ＭセットのＣＳＩを結合することによって前記ＵＥによって取得され、該ＭセットのＣＳＩは、直近に報告された前記ＲＩおよび前記Ｍ個の第２の参照信号リソースに基づいて前記ＵＥによって決定されている、受信することを含む、請求項１８または２５に記載の方法。
【請求項２７】
前記基地局によって、上位層シグナリングまたは動的情報を前記ＵＥに送信することであって、該上位層シグナリングまたは該動的シグナリングは、前記フィードバック・モードを搬送する、送信することをさらに含む、請求項１５から２６のいずれか一項に記載の方法。
【請求項２８】
その後、前記ＵＥによってフィードバックされた前記フィードバック・モードを受信することをさらに含む、請求項１５から２６のいずれか一項に記載の方法。
【請求項２９】
基地局によって設定されたＮ個の第１の参照信号リソースを受信するように構成されている受信モジュールであって、該Ｎ個の第１の参照信号リソースの各々が少なくとも１つのポートを含み、Ｎは２以上の整数である、受信モジュールと、
フィードバック・モードに基づいて、チャネル状態表示ＣＳＩおよびＭ個の第１の参照信号リソース表示情報を決定するように構成されている処理モジュールであって、該フィードバック・モードは、該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュールと、
前記ＣＳＩおよび前記Ｍ個の第１の参照信号リソース表示情報を前記基地局に報告するように構成されている送信モジュールと、を含み、
前記Ｍ個の第１の参照信号リソース表示情報は、Ｍ個の第１の参照信号リソースの各々のインデックスおよび／または品質情報を示し、該Ｍ個の第１の参照信号リソースは、前記Ｎ個の第１の参照信号リソースのうちのＭ個の第１の参照信号リソースであり、ＭはＮ以下の整数である、
ユーザ機器。
【請求項３０】
前記フィードバック・モードは第１のフィードバック・モードを含み、
前記処理モジュールは、具体的には、前記第１のフィードバック・モードにおいて、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定するように構成されている、請求項２９に記載の機器。
【請求項３１】
前記ＣＳＩ内の前記少なくとも１つの要素は、当該ＵＥが前記Ｍ個の第１の参照信号リソース表示情報を決定する前に直近に報告されたＲＩであり、前記処理モジュールは、具体的には、前記第１のフィードバック・モードにおいて、前記Ｎ個の第１の参照信号リソースに基づいて直近に報告された前記ＲＩを決定し、直近に報告された前記ＲＩに基づいて前記Ｍ個の第１の参照信号リソース表示情報を決定するように構成されている、請求項３０に記載の機器。
【請求項３２】
前記処理モジュールは、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、直近に報告された前記ＲＩおよび前記Ｍ個の第２の参照信号リソースに基づいて、前記ＰＭＩ、前記ＣＱＩ、前記チャネル共分散行列、または前記チャネル固有ベクトルのうちの少なくとも１つを決定することとをするようにさらに構成されており、
前記送信モジュールは、前記ＰＭＩ、前記ＣＱＩ、前記チャネル共分散行列、または前記チャネル固有ベクトルのうちの前記少なくとも１つを前記基地局に報告するようにさらに構成されている、請求項３１に記載の機器。
【請求項３３】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項３２に記載の機器。
【請求項３４】
前記Ｎ個の第１の参照信号リソースに基づいて直近に報告された前記ＲＩを決定し、直近に報告された前記ＲＩに基づいて前記Ｍ個の第１の参照信号リソース表示情報を決定する場合、前記処理モジュールは、具体的には、前記第１のフィードバック・モードにおいて、前記Ｎ個の第１の参照信号リソースに基づいて直近に報告された前記ＲＩを決定し、直近に報告された前記ＲＩに基づいて対応表を照会して、前記Ｍ個の第１の参照信号リソース表示情報を決定するように構成されており、該対応表は、前記ＲＩとＭの間に存在する対応を記憶する、請求項３１から３３のいずれか一項に記載の機器。
【請求項３５】
前記フィードバック・モードは、第２のフィードバック・モードを含み、前記処理モジュールは、具体的には、前記第２のフィードバック・モードの当該ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定するように構成されている、請求項２９に記載の機器。
【請求項３６】
前記Ｍ個の第１の参照信号リソース表示情報は、当該ＵＥが前記ＣＳＩを決定する前に直近に報告されたＭ個の第１の参照信号リソース表示情報である、請求項３５に記載の機器。
【請求項３７】
前記処理モジュールは、具体的には、前記第２のフィードバック・モードにおいて、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定するように構成されている、請求項３６に記載の機器。
【請求項３８】
前記第２のフィードバック・モードにおいて、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定した後、前記処理モジュールは、関連関係に基づいてＭ個の第２の参照信号リソースを決定することであって、該関連関係は、前記Ｍ個の第１の参照信号リソースと該Ｍ個の第２の参照信号リソースの間の関連関係である、決定することと、該Ｍ個の第２の参照信号リソースと前記ＲＩとに基づいて、前記ＣＳＩ内の前記ＰＭＩ、前記ＣＱＩ、前記チャネル共分散行列、または前記チャネル固有ベクトルのうちの少なくとも１つを決定すること、とをするようにさらに構成されており、
前記送信モジュールは、前記ＰＭＩ、前記ＣＱＩ、前記チャネル共分散行列、または前記チャネル固有ベクトルのうちの前記少なくとも１つを前記基地局に報告するようにさらに構成されている、請求項３７に記載の機器。
【請求項３９】
前記Ｍ個の第１の参照信号リソース表示情報のフィードバック期間は第４のフィードバック期間であり、前記ＣＳＩ内の前記ＲＩのフィードバック期間は第５のフィードバック期間であり、前記ＣＳＩ内の前記ＰＭＩおよび前記ＣＱＩのフィードバック期間は第６のフィードバック期間であり、該第４のフィードバック期間は該第５のフィードバック期間のｋ３倍であり、該第５のフィードバック期間は該第６のフィードバック期間のｋ４倍であり、ｋ３は１以上の整数であり、ｋ４は１以上の整数である、請求項３８に記載の機器。
【請求項４０】
前記処理モジュールは、直近に報告された前記ＲＩおよび前記Ｍ個の第２の参照信号リソースに基づいてＭセットのＣＳＩを決定することであって、該ＭセットのＣＳＩの各々は、ＰＭＩ、ＣＱＩ、チャネル共分散行列、またはチャネル固有ベクトルのうちの少なくとも１つを含む、決定することと、該ＭセットのＣＳＩをターゲットＣＳＩに結合することであって、該ターゲットＣＳＩは、ターゲットＰＭＩ、ターゲットＣＱＩ、ターゲットチャネル共分散行列、またはターゲットチャネル固有ベクトルのうちの少なくとも１つを含む、結合することと、をするようにさらに構成されており、
前記送信モジュールは、具体的には、前記ターゲットＰＭＩの基底ベクトル、ポート・インデックス、または結合係数を前記基地局に報告して、前記基地局が、前記ターゲットＰＭＩの該基底ベクトル、該ポート・インデックス、または該結合係数に基づいて前記ターゲットＰＭＩを決定し、前記ターゲットＰＭＩに基づいて前記ターゲットＣＱＩを取得するように構成されている、請求項３２または３８に記載の機器。
【請求項４１】
前記受信モジュールは、上位層シグナリングまたは動的シグナリングを使用することによって、前記基地局によって設定された前記フィードバック・モードを受信するようにさらに構成されている、請求項２９から４０のいずれか一項に記載の機器。
【請求項４２】
前記送信モジュールは、前記フィードバック・モードを前記基地局にフィードバックするようにさらに構成されている、請求項２９から４０のいずれか一項に記載の機器。
【請求項４３】
Ｎ個の第１の参照信号リソースを設定するように構成されている処理モジュールであって、該Ｎ個の第１の参照信号リソースの各々が少なくとも１つのポートを含み、Ｎは２以上の整数である、処理モジュールと、
前記Ｎ個の第１の参照信号リソースをユーザ機器ＵＥに送信するように構成されている送信モジュールと、
フィードバック・モードに基づいて前記ＵＥによって報告されたチャネル状態表示ＣＳＩおよびＭ個の第１の参照信号リソース表示情報を受信するように構成されている受信モジュールであって、該フィードバック・モードは該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルのうちの少なくとも１つを含む、受信モジュールと、を含み、
前記Ｍ個の第１の参照信号リソース表示情報は、前記Ｍ個の第１の参照信号リソースの各々のインデックスおよび／または品質情報を示し、前記Ｍ個の第１の参照信号リソースは、前記Ｎ個の第１の参照信号リソースのうちのＭ個の第１の参照信号リソースであり、ＭはＮ以下の整数である、
基地局。
【請求項４４】
前記フィードバック・モードは第１のフィードバック・モードを含み、
前記受信モジュールは、具体的には、前記第１のフィードバック・モードにおいて、前記ＣＳＩ内の少なくとも１つの要素に基づいて前記ＵＥによって決定された前記Ｍ個の第１の参照信号リソース表示情報を受信するように構成されており、前記ＣＳＩ内の該少なくとも１つの要素は、前記Ｎ個の第１の参照信号リソースに基づいて前記ＵＥによって決定されている、請求項４３に記載の基地局。
【請求項４５】
前記ＣＳＩ内の前記少なくとも１つの要素は、前記ＵＥが前記Ｍ個の第１の参照信号リソース表示情報を決定する前に直近に報告されたＲＩであり、前記受信モジュールは、具体的には、前記第１のフィードバック・モードにおいて、直近に報告された該ＲＩに基づいて前記ＵＥによって決定された前記Ｍ個の第１の参照信号リソース表示情報を受信するように構成されており、直近に報告された該ＲＩは、前記Ｎ個の第１の参照信号リソースに基づいて前記ＵＥによって決定されている、請求項４４に記載の基地局。
【請求項４６】
前記第１のフィードバック・モードにおいて、直近に報告された前記ＲＩに基づいて前記ＵＥによって決定された前記Ｍ個の第１の参照信号リソース表示情報を受信した後、前記受信モジュールは、前記ＵＥによって報告された前記ＰＭＩ、前記ＣＱＩ、前記チャネル共分散行列、または前記チャネル固有ベクトルのうちの少なくとも１つを受信するようにさらに構成されており、前記ＰＭＩ、前記ＣＱＩ、前記チャネル共分散行列、または前記チャネル固有ベクトルのうちの該少なくとも１つは、直近に報告された前記ＲＩおよびＭ個の第２の参照信号リソースに基づいて前記ＵＥによって決定されており、該Ｍ個の第２の参照信号リソースは、関連関係に基づいて決定され、該関連関係は、前記Ｍ個の第１の参照信号リソースと該Ｍ個の第２の参照信号リソースの間の関連関係である、請求項４５に記載の基地局。
【請求項４７】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項４６に記載の基地局。
【請求項４８】
前記Ｍ個の第１の参照信号リソース表示情報は、前記Ｎ個の第１の参照信号リソースに基づいて直近に報告された前記ＲＩを決定し、直近に報告された前記ＲＩに基づいて対応表を照会することによって前記ＵＥによって決定され、該対応表は、前記ＲＩとＭの間に存在する対応を記憶する、請求項４５から４７のいずれか一項に記載の基地局。
【請求項４９】
前記フィードバック・モードは、第２のフィードバック・モードを含み、
前記受信モジュールは、具体的には、前記第２のフィードバック・モードにおいて、前記Ｍ個の第１の参照信号リソース表示情報に基づいて前記ＵＥによって決定された前記ＣＳＩを受信するように構成されており、前記Ｍ個の第１の参照信号リソース表示情報は、前記Ｎ個の第１の参照信号リソースに基づいて前記ＵＥによって決定されている、請求項４３に記載の基地局。
【請求項５０】
前記Ｍ個の第１の参照信号リソース表示情報は、前記ＵＥが前記ＣＳＩを決定する前に直近に報告されたＭ個の第１の参照信号リソース表示情報である、請求項４９に記載の基地局。
【請求項５１】
前記受信モジュールは、具体的には、前記第２のフィードバック・モードにおいて、前記Ｍ個の第１の参照信号リソースに基づいて前記ＵＥによって決定された前記ＲＩを受信するように構成されている、請求項５０に記載の基地局。
【請求項５２】
前記Ｍ個の第１の参照信号リソースに基づいて前記ＵＥによって決定された前記ＲＩを受信した後、前記受信モジュールは、前記ＵＥによって報告された前記ＰＭＩ、前記ＣＱＩ、前記チャネル共分散行列、または前記チャネル固有ベクトルのうちの少なくとも１つを受信するようにさらに構成されており、前記ＰＭＩ、前記ＣＱＩ、前記チャネル共分散行列、または前記チャネル固有ベクトルのうちの該少なくとも１つは、Ｍ個の第２の参照信号リソースに基づいて前記ＵＥによって決定されており、該Ｍ個の第２の参照信号リソースは、関連関係に基づいて前記ＵＥによって決定され、該関連関係は、前記Ｍ個の第１の参照信号リソースと該Ｍ個の第２の参照信号リソースの間の関連関係である、請求項５１に記載の基地局。
【請求項５３】
前記Ｍ個の第１の参照信号リソース表示情報のフィードバック期間は第４のフィードバック期間であり、前記ＣＳＩ内の前記ＲＩのフィードバック期間は第５のフィードバック期間であり、前記ＣＳＩ内の前記ＰＭＩおよび前記ＣＱＩのフィードバック期間は第６のフィードバック期間であり、該第４のフィードバック期間は該第５のフィードバック期間のｋ３倍であり、該第５のフィードバック期間は該第６のフィードバック期間のｋ４倍であり、ｋ３は１以上の整数であり、ｋ４は１以上の整数である、請求項５２に記載の基地局。
【請求項５４】
前記受信モジュールは、具体的には、前記ＵＥによって報告されたターゲットＣＳＩを受信するように構成されており、該ターゲットＣＳＩは、ターゲットＰＭＩ、ターゲットＣＱＩ、ターゲットチャネル共分散行列、またはターゲットチャネル固有ベクトルのうちの少なくとも１つを含み、該ターゲットＣＳＩは、ＭセットのＣＳＩを結合することによって前記ＵＥによって取得され、該ＭセットのＣＳＩは、直近に報告された前記ＲＩおよび前記Ｍ個の第２の参照信号リソースに基づいて前記ＵＥによって決定されている、請求項４８または５３に記載の基地局。
【請求項５５】
前記送信モジュールは、上位層シグナリングまたは動的情報を前記ＵＥに送信するようにさらに構成されており、該上位層シグナリングまたは動的シグナリングが前記フィードバック・モードを搬送する、請求項４３から５４のいずれか一項に記載の基地局。
【請求項５６】
前記受信モジュールは、前記ＵＥによってフィードバックされた前記フィードバック・モードを受信するようにさらに構成されている、請求項４３から５４のいずれか一項に記載の基地局。
【請求項５７】
ユーザ機器であって、
プロセッサ、メモリ、通信インタフェース、およびシステム・バスを含み、
前記メモリおよび前記通信インタフェースは、前記システム・バスを使用することによって、前記プロセッサに接続され、前記プロセッサと通信し、
前記メモリは、コンピュータ実行可能命令を記憶するように構成されており、前記通信インタフェースは、別の装置と通信するように構成されており、
前記プロセッサは、前記コンピュータ実行可能命令を実行するように構成されており、当該ユーザ機器が、請求項１から１４のいずれか一項に記載の方法を実行するようにした、ユーザ機器。
【請求項５８】
基地局であって、
プロセッサ、メモリ、通信インタフェース、およびシステム・バスを含み、
前記メモリおよび前記通信インタフェースは、前記システム・バスを使用することによって、前記プロセッサに接続され、前記プロセッサと通信し、
前記メモリは、コンピュータ実行可能命令を記憶するように構成されており、前記通信インタフェースは、別の装置と通信するように構成されており、
前記プロセッサは、前記コンピュータ実行可能命令を実行するように構成されており、当該基地局が、請求項１５から２８のいずれか一項に記載の方法を実行するようにした、基地局。
【請求項５９】
ユーザ機器によって使用されるコンピュータ・ソフトウェア命令を記憶するように構成されているコンピュータ記憶媒体であって、該コンピュータ・ソフトウェア命令は、請求項１から１５のいずれか一項による方法を実行するように設計されたプログラムを含む、コンピュータ記憶媒体。
【請求項６０】
基地局によって使用されるコンピュータ・ソフトウェア命令を記憶するように構成されているコンピュータ記憶媒体であって、該コンピュータ・ソフトウェア命令は、請求項１５から２８のいずれか一項による方法を実行するように設計されたプログラムを含む、コンピュータ記憶媒体。
【発明の詳細な説明】
【技術分野】
【０００１】
この出願は、２０１７年１月９日に中国特許庁に出願され、「CHANNEL  STATE  INFORMATION  FEEDBACK  METHOD,  USER  EQUIPMENT,  AND  BASE  STATION」と題する中国特許出願第２０１７１００１４４５７．１に対する優先権を主張し、その全体が参照により本明細書に組み込まれている。
【０００２】
この出願は、通信技術に関し、特にチャネル状態情報フィードバック方法、ユーザ機器、および基地局に関する。
【背景技術】
【０００３】
ロング・ターム・エボリューション（Long  Term  Evolution，ＬＴＥ）システムでは、従来のアンテナアレイは垂直方向に固定ダウンチルトを有し、具体的には、従来のアンテナアレイは、セル内で垂直方向に各ユーザ機器に対して固定ビームを提供する。セル・エッジ・ユーザ・スループットとセル平均スループットを増加させるために、３次元（3  Dimension、３Ｄ）ビームフォーミング（Beaming  Forming、ＢＦ）技術が導入されている。アクティブ・アンテナ・システム（Active  Antenna  System、ＡＡＳ）に基づき、３Ｄビームフォーミング技術は、ユーザ機器の位置に基づいて、ユーザ機器に対して異なるダウンチルトでビームを垂直方向に生成し、水平方向と垂直方向との両方においてビームフォーミングを行うことができる。３Ｄビームフォーミング技術をサポートするために、対応するチャネル状態情報がフィードバックされる必要がある。チャネル状態情報は、チャネル品質インジケータ（Channel  Quality  Indicator、ＣＱＩ）、プリコーディング行列インジケータ（Precoding  Matrix  Indicator、ＰＭＩ）、ランク・インジケータ（Rank  Indication、ＲＩ）等を含む。
【０００４】
一般に、チャネル状態情報は、ユーザ機器によるチャネル推定を通じて取得される。従来のチャネル推定プロセスでは、ユーザ機器は、パイロット信号とも呼ばれる参照信号（Reference  Signal、ＲＳ）、例えば、チャネル状態情報参照信号（Channel  State  Information-Reference  Signal、ＣＳＩ−ＲＳ）を測定して、水平次元におけるチャネル状態情報を推定し、チャネル状態情報を基地局に報告する。しかし、３Ｄビームフォーミング技術の場合、ユーザ機器は、水平次元におけるチャネル上のチャネル推定に加えて、垂直次元におけるチャネル上のチャネル推定をさらに実行する必要がある。明らかに、水平次元におけるチャネル推定のみをサポートする従来のチャネル推定方法は、３Ｄビームフォーミング技術には適用可能ではない。
【０００５】
従って、チャネル状態情報フィードバック方法をどのように提供するかは、まさに業界において緊急に解決されるべき問題である。
【発明の概要】
【０００６】
この出願は、チャネル状態情報フィードバック方法、ユーザ機器、および基地局を提供し、従来のチャネル推定では水平次元におけるチャネル状態情報のみがフィードバックされるという欠点を克服する。
【０００７】
第１の態様によれば、この出願は、チャネル状態情報フィードバック方法を提供し、その方法はユーザ機器の観点から説明され、その方法は、基地局によって、ＵＥに対してＮ個の第１の参照信号リソースを設定することと、Ｎ個の第１の参照信号リソースをＵＥに送信することと、第１の参照信号リソースを受信し、次いで、フィードバック・モードに基づいて、第１の参照信号リソースのＣＳＩおよびＭ個の第１の参照信号表示情報を決定することの後、ＵＥによって、ＣＳＩおよびＭ個の第１の参照信号リソース表示情報を基地局にフィードバックすることと、を含む。
【０００８】
前述の方法では、ＵＥは、水平次元におけるＭ個の第１の参照信号リソースのＣＳＩおよびＭ個の第１の参照信号リソース表示情報を基地局にフィードバックして、基地局は、第１の参照信号リソース表示情報に基づいて垂直次元におけるチャネル状態情報を決定し、最終的に、２次元のチャネル状態情報を得る。これは、従来のチャネル推定では水平次元におけるチャネル状態情報のみがフィードバックされるという欠点を克服する。
【０００９】
実現可能な設計では、フィードバック・モードは第１のフィードバック・モードを含み、
ＵＥによって、フィードバック・モードに基づいてチャネル状態表示ＣＳＩおよびＭ個の第１の参照信号リソース表示情報を決定することは、
第１のフィードバック・モードのＵＥによって、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定することを含む。
【００１０】
実現可能な設計では、ＣＳＩ内の少なくとも１つの要素は、ＵＥがＭ個の第１の参照信号リソース表示情報を決定する前に直近に報告されたＲＩであり、第１のフィードバック・モードのＵＥによって、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定することは、
第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することを含む。
【００１１】
実現可能な設計では、第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することの後、その方法は、
ＵＥによって、関連関係に基づいて、Ｍ個の第２の参照信号リソースを決定することであって、関連関係は、Ｍ個の第１の参照信号リソースとＭ個の第２の参照信号リソースの間の関連関係である、決定することと、
ＵＥによって、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することと、
ＵＥによって、ＰＭＩ、ＣＱＩ、チャネル共分散行列、またはチャネル固有ベクトルのうちの少なくとも１つを基地局に報告することと、をさらに含む。
【００１２】
実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００１３】
実現可能な設計では、第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することは、
第１のフィードバック・モードのＵＥによって、Ｎ個の第１の参照信号リソースに基づいて直近に報告されたＲＩを決定し、直近に報告されたＲＩに基づいて対応表を照会して、Ｍ個の第１の参照信号リソース表示情報を決定することであって、対応表は、ＲＩとＭの間に存在する対応を記憶する、決定することを含む。
【００１４】
実現可能な設計では、フィードバック・モードは、第２のフィードバック・モードを含み、
ＵＥによって、フィードバック・モードに基づいてチャネル状態表示ＣＳＩおよびＭ個の第１の参照信号リソース表示情報を決定することは、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定することを含む。
【００１５】
実現可能な設計では、Ｍ個の第１の参照信号リソース表示情報は、ＵＥがＣＳＩを決定する前に直近に報告されたＭ個の第１の参照信号リソース表示情報である。
【００１６】
実現可能な設計では、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定することは、
第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定することを含む。
【００１７】
実現可能な設計では、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定することの後、その方法は、
ＵＥによって、関連関係に基づいて、Ｍ個の第２の参照信号リソースを決定することであって、関連関係は、Ｍ個の第１の参照信号リソースとＭ個の第２の参照信号リソースの間の関連関係である、決定することと、
ＵＥによって、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定することと、
ＵＥによって、ＰＭＩ、ＣＱＩ、チャネル共分散行列、またはチャネル固有ベクトルのうちの少なくとも１つを基地局へ報告することと、をさらに含む。
【００１８】
実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００１９】
実現可能な設計では、ＵＥによって、ＰＭＩまたはＣＱＩのうちの少なくとも１つを基地局へ報告することは、
ＵＥによって、直近に報告されたＲＩおよびＭ個の第２の参照信号リソースに基づいてＭセットのＣＳＩを決定することであって、ＭセットのＣＳＩの各々は、ＰＭＩ、ＣＱＩ、チャネル共分散行列、またはチャネル固有ベクトルのうちの少なくとも１つを含む、決定することと、
ＵＥによって、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、結合することと、
ＵＥによって、ターゲットＰＭＩの基底ベクトル、ポート・インデックス、または結合係数を基地局に報告することで、基地局がターゲットＰＭＩの基底ベクトル、ポート・インデックス、または結合係数に基づいてターゲットＰＭＩを決定し、ターゲットＰＭＩに基づいてターゲットＣＱＩを取得するようにする、報告することと、を含む。
【００２０】
実現可能な設計では、その方法は、
ＵＥによって、上位層シグナリングまたは動的シグナリングを使用することにより、基地局によって設定されたフィードバック・モードを受信することをさらに含む。
【００２１】
実現可能な設計では、その方法は、
ＵＥによって、フィードバック・モードを基地局にフィードバックすることをさらに含む。
【００２２】
第２の態様によれば、この出願は、
基地局によって、Ｎ個の第１の参照信号リソースを設定し、Ｎ個の第１の参照信号リソースの各々は少なくとも１つのポートを含み、Ｎは２以上の整数である、設定することと、
基地局によって、Ｎ個の第１の参照信号リソースをユーザ機器ＵＥに送信することと、
基地局によって、フィードバック・モードに基づいてＵＥによって報告されたチャネル状態表示ＣＳＩおよびＭ個の第１の参照信号リソース表示情報を受信することであって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、受信することと、を含み、
Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、
チャネル状態情報フィードバック方法を提供する。
【００２３】
実現可能な設計では、フィードバック・モードは、第１のフィードバック・モードを含み、基地局によって、フィードバック・モードに基づいてＵＥによって報告されたチャネル状態表示ＣＳＩおよびＭ個の第１の参照信号リソース表示情報を受信することは、
第１のフィードバック・モードの基地局によって、ＣＳＩ内の少なくとも１つの要素に基づいてＵＥによって決定されたＭ個の第１の参照信号リソース表示情報を受信することであって、ＣＳＩ内の少なくとも１つの要素は、Ｎ個の第１の参照信号リソースに基づいてＵＥによって決定されている、受信することを含む。
【００２４】
実現可能な設計では、ＣＳＩ内の少なくとも１つの要素は、ＵＥがＭ個の第１の参照信号リソース表示情報を決定する前に直近に報告されたＲＩであり、第１のフィードバック・モードの基地局によって、ＣＳＩ内の少なくとも１つの要素に基づいてＵＥによって決定されたＭ個の第１の参照信号リソース表示情報を受信することは、
第１のフィードバック・モードの基地局によって、直近に報告されたＲＩに基づいてＵＥによって決定されたＭ個の第１の参照信号リソース表示情報を受信することであって、直近に報告されたＲＩは、Ｎ個の第１の参照信号リソースに基づいてＵＥによって決定されている、受信することを含む。
【００２５】
実現可能な設計では、第１のフィードバック・モードの基地局によって、直近に報告されたＲＩに基づいてＵＥによって決定されたＭ個の第１の参照信号リソース表示情報を受信することの後、その方法は、
基地局によって、ＵＥによって報告されたＰＭＩ、ＣＱＩ、チャネル共分散行列、またはチャネル固有ベクトルのうちの少なくとも１つを受信することであって、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは関連関係に基づいて決定され、関連関係は、Ｍ個の第１の参照信号リソースとＭ個の第２の参照信号リソースの間の関連関係である、受信することをさらに含む。
【００２６】
実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００２７】
実現可能な設計では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定されており、対応表は、ＲＩとＭの間に存在する対応を記憶する。
【００２８】
実現可能な設計では、フィードバック・モードは、第２のフィードバック・モードを含み、
基地局によって、フィードバック・モードに基づいてＵＥによって報告されたチャネル状態表示ＣＳＩおよびＭ個の第１の参照信号リソース表示情報を受信することは、
第２のフィードバック・モードの基地局によって、Ｍ個の第１の参照信号リソース表示情報に基づいてＵＥによって決定されたＣＳＩを受信することであって、Ｍ個の第１の参照信号リソース表示情報はＮ個の第１の参照信号リソースに基づいてＵＥによって決定されている、受信することを含む。
【００２９】
実現可能な設計では、Ｍ個の第１の参照信号リソース表示情報は、ＵＥがＣＳＩを決定する前に直近に報告されたＭ個の第１の参照信号リソース表示情報である。
【００３０】
実現可能な設計では、第２のフィードバック・モードの基地局によって、Ｍ個の第１の参照信号リソース表示情報に基づいてＵＥによって決定されたＣＳＩを受信することは、
基地局によって、Ｍ個の第１の参照信号リソースに基づいてＵＥによって決定されたＲＩを受信することを含む。
【００３１】
実現可能な設計では、基地局によって、Ｍ個の第１の参照信号リソースに基づいてＵＥによって決定されたＲＩを受信することの後、その方法は、
基地局によって、ＵＥによって報告されたＰＭＩ、ＣＱＩ、チャネル共分散行列、またはチャネル固有ベクトルのうちの少なくとも１つを受信することであって、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である、受信することをさらに含む。
【００３２】
実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００３３】
実現可能な設計では、基地局によって、ＵＥによって報告されたＰＭＩ、ＣＱＩ、チャネル共分散行列、またはチャネル固有ベクトルのうちの少なくとも１つを受信することは、
基地局によって、ＵＥによって報告されたターゲットＣＳＩを受信することであって、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得されており、ＭセットのＣＳＩは、直近に報告されたＲＩおよびＭ個の第２の参照信号リソースに基づいてＵＥによって決定されている、受信することを含む。
【００３４】
実現可能な設計では、その方法は、
基地局によって、上位層シグナリングまたは動的情報をＵＥに送信することであって、上位層シグナリングまたは動的シグナリングは、フィードバック・モードを搬送する、送信することをさらに含む。
【００３５】
実現可能な設計では、その方法は、
その後、ＵＥによってフィードバックされたフィードバック・モードを受信することをさらに含む。
【００３６】
第３の態様によれば、この出願は、
基地局によって設定されたＮ個の第１の参照信号リソースを受信するように構成されている受信モジュールであって、Ｎ個の第１の参照信号リソースの各々が少なくとも１つのポートを含み、Ｎは２以上の整数である、受信モジュールと、
フィードバック・モードに基づいて、チャネル状態表示ＣＳＩおよびＭ個の第１の参照信号リソース表示情報を決定するように構成されている処理モジュールであって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュールと、
ＣＳＩおよびＭ個の第１の参照信号リソース表示情報を基地局に報告するように構成されている送信モジュールと、を含み、
Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、
ユーザ機器。
【００３７】
実現可能な設計では、フィードバック・モードは第１のフィードバック・モードを含み、
処理モジュールは、具体的には、第１のフィードバック・モードにおいて、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定するように構成されている。
【００３８】
実現可能な設計では、ＣＳＩ内の少なくとも１つの要素は、ＵＥがＭ個の第１の参照信号リソース表示情報を決定する前に直近に報告されたＲＩであり、処理モジュールは、具体的には、第１のフィードバック・モードにおいて、Ｎ個の第１の参照信号リソースに基づいて直近に報告されたＲＩを決定し、直近に報告されたＲＩに基づいてＭ個の第１の参照信号リソース表示情報を決定するように構成されている。
【００３９】
実現可能な設計では、処理モジュールは、関連関係に基づいて、Ｍ個の第２の参照信号リソースを決定することであって、関連関係は、Ｍ個の第１の参照信号リソースとＭ個の第２の参照信号リソースの間の関連関係である、決定することと、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することとをするようにさらに構成されており、
送信モジュールは、ＰＭＩ、ＣＱＩ、チャネル共分散行列、またはチャネル固有ベクトルのうちの少なくとも１つを基地局に報告するようにさらに構成されている。
【００４０】
実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００４１】
実現可能な設計では、Ｎ個の第１の参照信号リソースに基づいて直近に報告されたＲＩを決定し、直近に報告されたＲＩに基づいてＭ個の第１の参照信号リソース表示情報を決定する場合、処理モジュールは、具体的には、第１のフィードバック・モードにおいて、Ｎ個の第１の参照信号リソースに基づいて直近に報告されたＲＩを決定し、直近に報告されたＲＩに基づいて対応表を照会して、Ｍ個の第１の参照信号リソース表示情報を決定するように構成されており、対応表は、ＲＩとＭの間に存在する対応を記憶する。
【００４２】
実現可能な設計では、フィードバック・モードは、第２のフィードバック・モードを含み、処理モジュールは、具体的には、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定するように構成されている。
【００４３】
実現可能な設計では、Ｍ個の第１の参照信号リソース表示情報は、ＵＥがＣＳＩを決定する前に直近に報告されたＭ個の第１の参照信号リソース表示情報である。
【００４４】
実現可能な設計では、処理モジュールは、具体的には、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定するように構成されている。
【００４５】
実現可能な設計では、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、処理モジュールは、関連関係に基づいてＭ個の第２の参照信号リソースを決定することであって、関連関係は、Ｍ個の第１の参照信号リソースとＭ個の第２の参照信号リソースの間の関連関係である、決定することをし、Ｍ個の第２の参照信号リソースとＲＩとに基づいて、ＣＳＩ内のＰＭＩ、ＣＱＩ、チャネル共分散行列、またはチャネル固有ベクトルのうちの少なくとも１つを決定するようにさらに構成されており、
送信モジュールは、ＰＭＩ、ＣＱＩ、チャネル共分散行列、またはチャネル固有ベクトルのうちの少なくとも１つを基地局に報告するようにさらに構成されている。
【００４６】
実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００４７】
実現可能な設計では、処理モジュールは、直近に報告されたＲＩおよびＭ個の第２の参照信号リソースに基づいてＭセットのＣＳＩを決定することであって、ＭセットのＣＳＩの各々は、ＰＭＩ、ＣＱＩ、チャネル共分散行列、またはチャネル固有ベクトルのうちの少なくとも１つを含む、決定することをし、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、結合することをするようにさらに構成されており、
送信モジュールは、具体的には、ターゲットＰＭＩの基底ベクトル、ポート・インデックス、または結合係数を基地局に報告して、基地局が、ターゲットＰＭＩの基底ベクトル、ポート・インデックス、または結合係数に基づいてターゲットＰＭＩを決定し、ターゲットＰＭＩに基づいてターゲットＣＱＩを取得するように構成されている。
【００４８】
実現可能な設計では、受信モジュールは、上位層シグナリングまたは動的シグナリングを使用することによって、基地局によって設定されたフィードバック・モードを受信するようにさらに構成されている。
【００４９】
実現可能な設計では、送信モジュールは、フィードバック・モードを基地局にフィードバックするようにさらに構成されている。
【００５０】
第４の態様によれば、この出願は、
Ｎ個の第１の参照信号リソースを設定するように構成されている処理モジュールであって、Ｎ個の第１の参照信号リソースの各々が少なくとも１つのポートを含み、Ｎは２以上の整数である、処理モジュールと、
Ｎ個の第１の参照信号リソースをユーザ機器ＵＥに送信するように構成されている送信モジュールと、
フィードバック・モードに基づいてＵＥによって報告されたチャネル状態表示ＣＳＩおよびＭ個の第１の参照信号リソース表示情報を受信するように構成されている受信モジュールであって、フィードバック・モードはＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルのうちの少なくとも１つを含む、受信モジュールと、を含み、
Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、
基地局を提供する。
【００５１】
実現可能な設計では、フィードバック・モードは第１のフィードバック・モードを含み、
受信モジュールは、具体的には、第１のフィードバック・モードにおいて、ＣＳＩ内の少なくとも１つの要素に基づいてＵＥによって決定されたＭ個の第１の参照信号リソース表示情報を受信するように構成されており、ＣＳＩ内の少なくとも１つの要素は、Ｎ個の第１の参照信号リソースに基づいてＵＥによって決定されている。
【００５２】
実現可能な設計では、ＣＳＩ内の少なくとも１つの要素は、ＵＥがＭ個の第１の参照信号リソース表示情報を決定する前に直近に報告されたＲＩであり、受信モジュールは、具体的には、第１のフィードバック・モードにおいて、直近に報告されたＲＩに基づいてＵＥによって決定されたＭ個の第１の参照信号リソース表示情報を受信するように構成されており、直近に報告されたＲＩは、Ｎ個の第１の参照信号リソースに基づいてＵＥによって決定されている。
【００５３】
実現可能な設計では、第１のフィードバック・モードにおいて、直近に報告されたＲＩに基づいてＵＥによって決定されたＭ個の第１の参照信号リソース表示情報を受信した後、受信モジュールは、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは、関連関係に基づいて決定され、関連関係は、Ｍ個の第１の参照信号リソースとＭ個の第２の参照信号リソースの間の関連関係である。
【００５４】
実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００５５】
実現可能な設計では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定され、対応表は、ＲＩとＭの間に存在する対応を記憶する。
【００５６】
実現可能な設計では、フィードバック・モードは、第２のフィードバック・モードを含み、
受信モジュールは、具体的には、第２のフィードバック・モードにおいて、Ｍ個の第１の参照信号リソース表示情報に基づいてＵＥによって決定されたＣＳＩを受信するように構成されており、Ｍ個の第１の参照信号リソース表示情報は、Ｎ個の第１の参照信号リソースに基づいてＵＥによって決定されている。
【００５７】
実現可能な設計では、Ｍ個の第１の参照信号リソース表示情報は、ＵＥがＣＳＩを決定する前に直近に報告されたＭ個の第１の参照信号リソース表示情報である。
【００５８】
実現可能な設計では、受信モジュールは、具体的には、第２のフィードバック・モードにおいて、Ｍ個の第１の参照信号リソースに基づいてＵＥによって決定されたＲＩを受信するように構成されている。
【００５９】
実現可能な設計では、Ｍ個の第１の参照信号リソースに基づいてＵＥによって決定されたＲＩを受信した後、受信モジュールは、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である。
【００６０】
実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００６１】
実現可能な設計では、受信モジュールは、具体的には、ＵＥによって報告されたターゲットＣＳＩを受信するように構成されており、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得され、ＭセットのＣＳＩは、直近に報告されたＲＩおよびＭ個の第２の参照信号リソースに基づいてＵＥによって決定されている。
【００６２】
実現可能な設計では、送信モジュールは、上位層シグナリングまたは動的情報をＵＥに送信するようにさらに構成されており、上位層シグナリングまたは動的シグナリングがフィードバック・モードを搬送する。
【００６３】
実現可能な設計では、受信モジュールは、ＵＥによってフィードバックされたフィードバック・モードを受信するようにさらに構成されている。
【００６４】
第５の態様によれば、この出願は、プロセッサ、メモリ、通信インタフェース、およびシステム・バスを含むユーザ機器を提供し、メモリおよび通信インタフェースは、システム・バスを使用することによって、プロセッサに接続され、プロセッサと通信し、メモリは、コンピュータ実行可能命令を記憶するように構成されており、通信インタフェースは、別の装置と通信するように構成されており、プロセッサは、コンピュータ実行可能命令を実行するように構成されており、ユーザ機器が、ユーザ機器に適用される方法の各ステップを実行するようにする。
【００６５】
第６の態様によれば、この出願は、プロセッサ、メモリ、通信インタフェース、およびシステム・バスを含む基地局を提供し、メモリおよび通信インタフェースは、システム・バスを使用することによって、プロセッサに接続され、プロセッサと通信し、メモリは、コンピュータ実行可能命令を記憶するように構成されており、通信インタフェースは、別の装置と通信するように構成されており、プロセッサは、コンピュータ実行可能命令を実行するように構成されており、基地局が、基地局に適用される方法の各ステップを実行するようにする。
【００６６】
第７の態様によれば、この出願は、前述のユーザ機器によって使用されるコンピュータ・ソフトウェア命令を記憶するように構成されているコンピュータ記憶媒体を提供し、コンピュータ・ソフトウェア命令は、第１の態様または第１の態様の実現可能な各実施態様を実行するように設計されたプログラムを含む。
【００６７】
第８の態様によれば、この出願は、前述の基地局によって使用されるコンピュータ・ソフトウェア命令を記憶するように構成されているコンピュータ記憶媒体を提供し、コンピュータ・ソフトウェア命令は、第２の態様または第２の態様の実現可能な各実施態様を実行するように設計されたプログラムを含む。
【００６８】
第９の態様によれば、この出願は、少なくとも１つのプロセッサ、メモリ、入出力部、およびバスを含むチップシステムを提供し、少なくとも１つのプロセッサは、バスを使用することによって、メモリ内の命令を取得して、前述の方法におけるユーザ機器の設計された機能を実現する。
【００６９】
第１０の態様によれば、この出願は、少なくとも１つのプロセッサ、メモリ、入出力部、およびバスを含むチップシステムを提供し、少なくとも１つのプロセッサは、バスを使用することによってメモリ内の命令を取得して、前述の方法における基地局の設計された機能を実現する。
【００７０】
第１１の態様によれば、この出願は、メモリおよびプロセッサを含むユーザ機器を提供し、メモリは、プログラム命令を記憶するように構成されており、プロセッサは、前述の方法の実施形態においてユーザ機器の機能を実現するために、メモリ内のプログラム命令を呼び出すように構成されている。
【００７１】
第１２の態様によれば、この出願は、メモリおよびプロセッサを含む基地局を提供し、メモリは、プログラム命令を記憶するように構成されており、プロセッサは、前述の方法の実施形態において基地局の機能を実現するために、メモリ内のプログラム命令を呼び出すように構成されている。
【００７２】
この出願によって提供されるチャネル状態情報フィードバック方法、ユーザ機器、および基地局により、基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩ及びＭ個の第１の参照信号リソース表示情報を基地局にフィードバックして、基地局が、第１の参照信号リソース表示情報に基づいて、垂直次元におけるチャネル状態情報を決定し、最終的に、２次元のチャネル状態情報を取得するようにする。これは、従来のチャネル推定では水平次元におけるチャネル状態情報のみがフィードバックされるという欠点を克服する。
【図面の簡単な説明】
【００７３】
【図１】この出願によるチャネル状態情報フィードバック方法が適用可能なシステム・アーキテクチャの概略図である。
【図２】この出願による冗長バージョン生成方法の信号図である。
【図３Ａ】この出願によるチャネル状態情報フィードバック方法の実施形態２の概略図である。
【図３Ｂ】この出願によるチャネル状態情報フィードバック方法の実施形態２の別の概略図である。
【図４Ａ】この出願によるチャネル状態情報フィードバック方法において参照信号リソースを送信する方法の概略図である。
【図４Ｂ】この出願によるチャネル状態情報フィードバック方法において参照信号リソースを送信する方法の別の概略図である。
【図５Ａ】この出願によるチャネル状態情報フィードバック方法において第１の参照信号リソースと第２の参照信号リソースの間の関連関係の概略図である。
【図５Ｂ】この出願によるチャネル状態情報フィードバック方法において第１の参照信号リソースと第２の参照信号リソースの間の別の関連関係の概略図である。
【図６】この出願によるユーザ機器の実施形態１の概略構造図である。
【図７】この出願による基地局の実施形態１の概略構造図である。
【図８】この出願によるユーザ機器の実施形態２の概略構造図である。
【図９】この出願による基地局の実施形態２の概略構造図である。
【発明を実施するための形態】
【００７４】
図１は、この出願によるチャネル状態情報フィードバック方法が適用可能なシステム・アーキテクチャの概略図である。図１を参照すると、システム・アーキテクチャにおいては、少なくとも１つの基地局および少なくとも１つのユーザ機器が存在する。基地局とユーザ機器の間に通信接続が確立される。基地局は、移動通信用グローバルシステム（Global  System  for  Mobile  Communications、ＧＳＭ（登録商標））または広帯域符号分割多元接続（Wideband  Code  Division  Multiple  Access、ＷＣＤＭＡ（登録商標））における基地局（Base  Transceiver  Station、ＢＴＳ）、ＷＣＤＭＡにおける基地局（ＮｏｄｅＢ）、ロング・ターム・エボリューション（Long  Term  Evolution、ＬＴＥ）における発展型ＮｏｄｅＢ（evolutional  NodeB、ｅＮＢ）、または第５世代移動通信（the  5th  Generation  Mobile  Communication、５Ｇ）における基地局とすることができる。これは、この出願においては限定されない。
【００７５】
ＵＥは、有線端末または無線端末とすることができる。無線端末は、音声および／またはデータ接続性をユーザに提供する装置、無線接続機能を備えたハンドヘルド装置、または無線モデムに接続された別の処理装置とすることができる。無線端末は、無線アクセスネットワークを介して１つ以上のコアネットワークと通信することができる。無線端末は、携帯電話（または「セルラ」電話と呼ばれる）のような移動端末、および移動端末を備えたコンピュータ、例えば、無線アクセスネットワークと音声および／またはデータを交換するポータブル、ポケットサイズ、ハンドヘルド、コンピュータ内蔵、または車載の移動装置とすることができる。別の例としては、パーソナル通信サービス（Personal  Communications  Service、ＰＣＳ）電話、コードレス電話機、無線ローカル・ループ（Wireless  Local  Loop、ＷＬＬ）ステーション、パーソナル・デジタル・アシスタント（personal  Digital  Assistant、ＰＤＡ）等の装置とすることができる。無線端末は、システム、加入者ユニット（Subscriber  Unit）、加入者ステーション（Subscriber  Station）、移動局（Mobile  Station）、モバイル（Mobile）、遠隔局（Remote  Station）、遠隔端末（Remote  Terminal）、アクセス端末（Access  Terminal）、ユーザ端末（User  Terminal）、ユーザ・エージェント（User  Agent）、ユーザ装置（User  Device）、ユーザ機器（User  Equipment）等とも呼ばれ得る。
【００７６】
図２は、この出願による冗長バージョン生成方法の信号図である。この実施形態は、以下のステップを含む。
【００７７】
１０１．  ユーザ機器ＵＥは、基地局によって設定されたＮ個の第１の参照信号リソースを受信し、Ｎ個の第１の参照信号リソースの各々は、少なくとも１つのポートを含み、Ｎは、２以上の整数である。
【００７８】
このステップでは、基地局は、ＵＥに対してＮ個の第１の参照信号リソース、例えば、Ｎ個のチャネル状態情報参照信号（Channel  State  Information-Reference  Signal、ＣＳＩ−ＲＳ）リソースを設定する。
【００７９】
１０２．  基地局は、Ｎ個の第１の参照信号リソースをユーザ機器ＵＥに送信する。
【００８０】
Ｎ個の参照信号リソースを設定した後、基地局は、Ｎ個の参照信号リソースをＵＥに送信し、これに対応して、ＵＥは、基地局によって設定されたＮ個の参照信号リソースを受信する。
【００８１】
１０３．  ＵＥは、フィードバック・モードに基づいて、チャネル状態表示ＣＳＩおよびＭ個の第１の参照信号リソース表示情報を決定する。
【００８２】
Ｎ個の第１の参照信号リソースを受信した後、ＵＥは、フィードバック・モードに基づいて、Ｎ個の第１の参照信号リソースのチャネル状態表示（Channel  State  Information、ＣＳＩ）およびＭ個の第１の参照信号リソース表示情報を決定し、Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。例えば、Ｎ個の第１の参照信号が、具体的には、それぞれインデックスが１から１０である１０個の第１の参照信号リソースであり、Ｍ個の第１の参照信号リソースは、１０個の第１の参照信号リソースのうちの番号１の第１の参照信号リソースおよび番号３の第１の参照信号リソースであり、番号１の第１の参照信号リソースの品質は、１０デシベル（ｄＢ）であり、番号３の第１の参照信号リソースの品質は、８ｄＢである。この場合、Ｍ個の第１の参照信号リソース表示情報は、第１の数の参照信号リソース表示情報と、第３の数の参照信号リソース表示情報とを含み、ここで、第１の数の参照信号リソース表示情報は、インデックスが１で品質が１０ｄＢである第１の参照信号リソースを示すために使用され、第３の数の参照信号リソース表示情報は、インデックスが３で品質が８ｄＢである第１の参照信号リソースを示すために使用される。
【００８３】
ＣＳＩは、以下の要素のうちの少なくとも１つを含む。すなわち、チャネル品質インジケータ（Channel  Quality  Indicator、ＣＱＩ）、プリコーディング行列インジケータ（Precoding  Matrix  Indicator、ＰＭＩ）、ランク・インジケータ（Rank  Indication、ＲＩ）、チャネル共分散行列、チャネル固有ベクトル等である。フィードバック・モードは、ＣＳＩ内の各要素およびＭ個の第１の参照信号リソース表示情報を決定する順序を示す。特定の実現形態では、異なるフィードバック・モードに応じて、ＣＳＩ内の各要素およびＭ個の第１の参照信号リソース表示情報を決定する順序が変化する。例えば、基地局側でのチャネルの角度が比較的大きい場合、ＵＥは、まず、Ｎ個の測定参照信号リソースに基づいてＣＳＩ内のＲＩを決定し、次いで、ＲＩに基づいてＭ個の第１の参照信号リソース表示情報を決定し、次いで、ＲＩおよびＭ個の第１の参照信号リソース表示情報に基づいて、ＰＭＩ、ＣＱＩ、チャネル共分散行列、およびチャネル固有ベクトルのうちの少なくとも１つを決定する。別の例では、基地局側でのチャネルの角度が比較的小さい場合、ＵＥは、まず、Ｎ個の第１の参照信号リソースに基づいてＭ個の第１の参照信号リソース表示情報を決定し、次いで、Ｍ個の第１の参照信号リソース表示情報によって示されるＭ個の第１の参照信号リソースに基づいてＣＳＩ内のＲＩを決定し、次いで、決定されたＲＩおよびＭ個の第１の参照信号リソース表示情報によって示されるＭ個の第１の参照信号リソースに基づいて、ＰＭＩ、ＣＱＩ、チャネル共分散行列、およびチャネル固有ベクトルのうちの少なくとも１つを決定する。別の例としては、ＵＥは、まず、ＣＳＩ内のすべての要素を決定し、次いで、すべての要素に基づいて、Ｍ個の第１の参照信号リソース表示情報を決定する。別の例としては、ＵＥは、まず、Ｍ個の第１の参照信号リソース表示情報を決定し、次いで、Ｍ個の第１の参照信号リソース表示情報によって示されるＭ個の第１の参照信号リソースに基づいて、ＣＳＩ内のすべての要素を決定する。
【００８４】
１０４．  ＵＥは、ＣＳＩおよびＭ個の第１の参照信号リソース表示情報を基地局に報告する。
【００８５】
ＣＳＩおよびＭ個の参照信号リソース表示情報を決定した後、ＵＥはＣＳＩおよびＭ個の参照信号リソースを基地局にフィードバックする。
【００８６】
この出願によって提供されるチャネル状態情報フィードバック方法では、基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩおよびＭ個の第１の参照信号リソース表示情報を基地局にフィードバックし、基地局は、第１の参照信号リソース表示情報に基づいて垂直次元におけるチャネル状態情報を決定し、最終的に、２次元のチャネル状態情報を取得する。これは、従来のチャネル推定では水平次元におけるチャネル状態情報のみがフィードバックされるという欠点を克服する。
【００８７】
任意で、フィードバック・モードは、第１のフィードバック・モードまたは第２のフィードバック・モードを含み、第１のフィードバック・モードでは、ＵＥは、ＣＳＩ内の少なくとも１つの要素に基づいてＭ個の第１の参照信号リソース表示情報を決定し、第２のフィードバック・モードでは、ＵＥは、Ｍ個の第１の参照信号リソース表示情報に基づいてＣＳＩを決定する。以下では、第１のフィードバック・モードおよび第２のフィードバック・モードを別々に詳細に説明する。
【００８８】
まず、第１のフィードバック・モードについて説明する。
【００８９】
第１のフィードバック・モードでは、ＵＥは、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定し、少なくとも１つの要素は、例えば、ＲＩ、ＰＭＩ、ＣＱＩ、チャネル共分散行列、およびチャネル固有ベクトルである。以下では、少なくとも１つの要素が、具体的には、ＵＥがＭ個の第１の参照信号リソース表示情報を決定する前に直近に報告されたＲＩである例を使用して、第１のフィードバック・モードを詳細に説明する。具体的には、図３Ａは、この出願によるチャネル状態情報フィードバック方法の実施形態２の概略図である。
【００９０】
図３Ａを参照すると、ＡＡＳアンテナアレイは、例えば、（図に
［外１］
2020506586.tif 000003
によって示されるように）２×２アンテナアレイであり、ビームフォーミングは、水平次元および垂直次元の両方で行われ得る。垂直次元におけるビームフォーミングでは、ＡＡＳアンテナアレイは、垂直次元において異なるビーム（beam）を形成することができる。基地局によって設定されるＮ個の第１の参照信号リソースのインデックスは、順に１〜５であり、５個の第１の参照信号リソースは、図においてスラッシュ、グリッド、水平線、垂直線、および点で満たされた１〜５で示される。各参照信号リソースは１つのリソースポート（port）に対応し、異なる第１の参照信号リソースは異なる方向のビームに対応し、異なるビームは異なるビーム識別子（Beam  ID）を有する。具体的には、第１の参照信号リソース表示情報の各々よって示されるインデックスは、固有のビームＩＤに対応する。第１のフィードバック・モードでは、ＵＥは、Ｎ個の第１の参照信号リソースに基づいて直近に報告されたＲＩを決定し、直近に報告されたＲＩに基づいて対応表を照会して、Ｍ個の第１の参照信号リソース表示情報を決定し、対応表は、ＲＩとＭの間に存在する対応を記憶する。例えば、ＲＩが１〜２である場合、Ｍは２であり、あるいはＲＩが３〜４である場合、Ｍが４である。
【００９１】
第１のフィードバック・モードでは、Ｍ個の第１の参照信号リソース表示情報がＭ個のインデックスに対応するＭ個のビーム識別子（ビームＩＤ）であり、ＵＥがＭ個の第１の参照信号リソース表示情報を決定する前に直近に報告されたＣＳＩがＲＩであると仮定として、図において「(1)ＲＩ」で示すように、ＵＥは「(1)ＲＩ」に基づいて「(2)ビームＩＤ」を決定し、「(2)ビームＩＤ」は、インデックス１およびインデックス３に対応するビームのビーム識別子である。ＵＥが「(2)ビームＩＤ」を決定した後に直近に報告されたＣＳＩが、ＲＩが変更していないものである場合、ＵＥが「(5)ビームＩＤ」を決定するとき、「(5)ビームＩＤ」は依然として「(1)ＲＩ」に基づき決定される。ただし、ＵＥがＣＳＩ内のＰＭＩまたはＣＱＩに基づいてＭ個の参照信号リソース表示情報を決定する場合、ＵＥは「(5)ビームＩＤ」を決定するとき、「(5)ビームＩＤ」は「(4)ＰＭＩ／ＣＱＩ」に基づいて決定される。
【００９２】
さらに、第１のフィードバック・モードでは、ＵＥがＮ個の第１の参照信号リソースに基づいて直近に報告されたＲＩを決定し、直近に報告されたＲＩに基づいてＭ個の第１の参照信号リソース表示情報を決定した後、ＵＥは、さらに、関連関係に基づいてＭ個の第２の参照信号リソースを決定し、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することができ、次いで、ＵＥは、ＰＭＩ、ＣＱＩ、チャネル共分散行列、またはチャネル固有ベクトルのうちの少なくとも１つを基地局に報告する。関連関係は、Ｍ個の第１の参照信号リソースとＭ個の第２の参照信号リソースの間の関連関係である。
【００９３】
具体的には、さらに図３Ａを参照し、ＰＭＩ／ＣＱＩの決定を例にとると、ＵＥは、「(1)ＲＩ」に基づいて「(2)ビームＩＤ」を決定した後、「(2)ビームＩＤ」および関連関係に基づいてＭ個の第２の参照信号リソースを決定し、Ｍ個の第２の参照信号リソースは図に示されていないが、Ｍ個の第２の参照信号リソースに基づいてＰＭＩ、ＣＱＩ、チャネル共分散行列、またはチャネル固有ベクトルのうちの少なくとも１つを決定し、次いで、その少なくとも１つを基地局に報告する。例えば、Ｎ個の第１の参照信号リソースの各々は、２つのポートを含み、その２つのポートに対応するビームの方向が同じであり、Ｎ個の第１の参照信号リソースがそれぞれビームＢ１〜Ｂ１０に対応し、Ｎ個の第１の参照信号リソースに対応するインデックス（index）がそれぞれインデックス１からインデックス１０であり、Ｍ個の第１の参照信号リソースは、インデックスがインデックス１およびインデックス３である第１の参照信号リソースである。関連関係は、第１の参照信号リソースおよび第２の参照信号リソースがそれぞれ異なる参照信号リソースセットに属し、第１の参照信号リソースおよび第２の参照信号リソースのインデックス間に対応が存在することを示す。例えば、第１の参照信号リソースのインデックスは、第２の参照信号リソースのインデックスと同じであるか、あるいは第２の参照信号リソースのインデックスは、第１の参照信号リソースのインデックスを１の値だけオフセットすることによって取得される。
【００９４】
例えば、第１の参照信号リソースのインデックスは、第２の参照信号リソースのインデックスと同じである。ビームＢ１〜Ｂ１０に対応して、１０個の第２の参照信号リソースが存在し、それらインデックスがそれぞれインデックス１´〜インデックス１０´であり、各第２の参照信号リソースが８つのポートを有すると仮定する。この場合、ＵＥが、直近に報告されたＲＩに基づいて、Ｍ個の第１の参照信号リソースはインデックスがインデックス１およびインデックス３である第１の参照信号リソースであると決定した後、ＵＥは、関連関係に基づいて、インデックスがインデックス１´およびインデックス３´であるＭ個の第２の参照信号リソースを決定し、インデックスがインデックス１´およびインデックス３´であるＭ個の第２の参照信号リソースに基づいて、ＰＭＩ、ＣＱＩ、チャネル共分散行列、またはチャネル固有ベクトルのうちの少なくとも１つを決定する。
【００９５】
さらに図３Ａを参照すると、ＲＩのフィードバック期間は第１のフィードバック期間であり、第１の参照信号リソース表示情報（すなわち、ビームＩＤ）のフィードバック期間は第２のフィードバック期間であり、ＰＭＩ／ＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００９６】
次に、第２のフィードバック・モードである。
【００９７】
第２のフィードバック・モードでは、ＵＥは、Ｎ個の第１の参照信号リソースに基づいてＭ個の第１の参照信号リソース表示情報を決定し、Ｍ個の第１の参照信号リソース表示情報に基づいてＣＳＩを決定し、ＣＳＩは、例えば、ＲＩ、ＰＭＩ、ＣＱＩ、チャネル共分散行列、およびチャネル固有ベクトルである。以下では、ＵＥが、Ｎ個の第１の参照信号リソースに基づいてＭ個の第１の参照信号リソース表示情報を決定し、Ｍ個の第１の参照信号リソース表示情報に基づいてＲＩを決定する例を使用して、第２のフィードバック・モードを詳細に説明する。具体的には、図３Ｂは、この出願によるチャネル状態情報フィードバック方法の実施形態２の別の概略図である。
【００９８】
図３Ｂを参照すると、ＡＡＳアンテナアレイは、例えば、（図に
［外２］
2020506586.tif 000004
によって示されるように）２×２アンテナアレイであり、ビームフォーミングは、水平次元および垂直次元の両方で行われ得る。垂直次元におけるビームフォーミングでは、ＡＡＳアンテナアレイは、垂直次元において異なるビーム（beam）を形成することができる。ＵＥは、直近に、３個の第１の参照信号リソース表示情報を報告し、３個の第１の参照信号リソース表示情報のインデックスは、インデックスが順に１〜３である参照信号リソースであることを示し、３個の第１の参照信号リソースは、図においてスラッシュ、グリッド、水平線で満たされた１〜３で示される。各第１の参照信号リソースは１つのリソースポート（port）に対応し、異なる第１の参照信号リソースは異なる方向のビームに対応し、異なるビームは異なるビーム識別子（Beam  ID）を有する。具体的には、第１の参照信号リソース表示情報の各々によって示されるインデックスは、固有のビームＩＤに対応する。
【００９９】
第２のフィードバック・モードでは、ＣＳＩが、具体的には、ＲＩであり、ＵＥがＲＩを決定する前に直近に報告されたＭ個の第１の参照信号リソース表示情報が「(1)ビームＩＤ」であり、「(1)ビームＩＤ」は、インデックスが３であるポートに対応するビーム識別子であると仮定すると、ＵＥは「(1)ビームＩＤ」に基づいて「(2)ＲＩ」を決定する。ＵＥが「(2)ＲＩ」を決定した後にＵＥによって報告されたビームＩＤが変化していない場合、ＵＥは「(5)ＲＩ」を決定するとき、依然として「(1)ビームＩＤ」に基づいて「(2)ＲＩ」を決定する。
【０１００】
さらに、第２のフィードバック・モードでは、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、ＵＥは、さらに、関連関係に基づいてＭ個の第２の参照信号リソースを決定することができ、関連関係は、Ｍ個の第１の参照信号リソースとＭ個の第２の参照信号リソースの間の関連関係であり、ＵＥは、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定する。詳細については、図３Ａについての説明を参照のこと。詳細は、ここでは再度説明しない。
【０１０１】
さらに図３Ｂを参照すると、Ｍ個の参照信号リソース表示情報、すなわち、ビームＩＤのフィードバック期間は、第４のフィードバック期間であり、ＲＩのフィードバック期間は、第５のフィードバック期間であり、ＰＭＩ／ＣＱＩのフィードバック期間は、第６のフィードバック期間であり、第４のフィードバック期間は、第５のフィードバック期間のｋ３倍であり、第５のフィードバック期間は、第６のフィードバック期間のｋ４倍であり、ｋ３は１以上の整数であり、ｋ４は１以上の整数である。
【０１０２】
以下に、２つの具体的なシナリオを使用して、前述のチャネル状態情報フィードバック方法を詳細に説明する。具体的には、図４Ａおよび図４Ｂを参照する。図４Ａは、この出願によるチャネル状態情報フィードバック方法における参照信号リソースの送信方法の概略図である。図４Ｂは、この出願によるチャネル状態情報フィードバック方法における参照信号リソースの送信方法の別の概略図である。
【０１０３】
シナリオ１
【０１０４】
図４Ａ参照のこと。
【０１０５】
ＵＥは、基地局によって送信されたＮ個の参照信号リソースを測定し、Ｎ個の参照信号リソースはＮ個のポートを使用して送信される。参照信号リソースは、ポート上で送信される参照信号である。Ｎ／２個の参照信号リソースは、第１の偏波方向のＮ／２個のアンテナポートを使用して送信され、他のＮ／２個の参照信号リソースは、第２の偏波方向のＮ／２個のアンテナポートによって送信される。各ポートの参照信号はプリコーディング行列を使用してプリコードされ、１つのプリコーディング行列は一つのビームに対応する。従って、各ポートの参照信号は、対応するビームを使用することによって送信されると考えられる。図４に示すように、基地局は、Ｎ＝８個の参照信号リソースを送信し、Ｎ／２＝４個の参照信号リソースは、第１の偏波方向のポートを使用することによって送信され、Ｎ／２＝４個の参照信号リソースは、第２の偏波方向のポートを使用することによって送信される。複数の形式のプリコーディング・ベクトル、例えば離散フーリエ変換（Discrete  Fourier  Transform、ＤＦＴ）ベクトルが存在し得る。基地局は、Ｎ個の参照信号（ＣＳＩ−ＲＳなど）ｓ１，．．．，ｓｍを決定し、Ｎ個のＣＳＩ−ＲＳは予め定義されてよく、基地局および端末装置によって認識されている。基地局は、Ｎ個のプリコーディング行列にそれぞれＮ個の参照信号を乗算し、Ｎ個のプリコーディング参照信号を取得する。すなわち、ｓ１´＝ｕ１×ｓ１，  ．．．，  ｓＮ´＝ｕＮ×ｓＮであり、ここで、ｕｉ（ｉ＝１，．．．，Ｎ）はｉ番目のポートのプリコーディング行列である。
【０１０６】
任意で、ＵＥは、参照信号を測定することによってフィードバック・モードを自律的に選択し、そのフィードバック・モードを基地局に報告することができる。任意で、基地局は、上位層シグナリング（ＲＲＣ）または動的シグナリング（ＤＣＩ）を使用することによって、使用されるべきフィードバック・モードをＵＥに通知することができる。ＵＥは、参照信号を測定し、選択されたフィードバック・モードまたは基地局によって設定されたフィードバック・モードに基づいてＵＥのチャネル状態情報ＣＳＩのセットを決定する。１セットのＣＳＩは、そのフィードバック・モードにおける以下の要素の少なくとも１つを含む。すなわち、ランク・インジケータＲＩ、プリコーディング行列インジケータＰＭＩ、およびチャネル品質インジケータＣＱＩである。ＰＭＩは、広帯域ＰＭＩとすることができ、あるいは複数のサブバンドＰＭＩとすることができる。
【０１０７】
フィードバック・モードは、第１のフィードバック・モードおよび第２のフィードバック・モードを含む。第１のフィードバック・モードでは、ＵＥは、まず、Ｎ個の参照信号の測定に基づいてＣＳＩ内の少なくとも１つの要素を決定し、ＣＳＩ内の少なくとも１つの要素に基づいてＭ個の参照信号リソース表示情報を決定する。ＭはＮ以下の正の整数である。Ｍ個の参照信号リソース表示情報において、各参照信号リソース表示は、１つの参照信号リソースのインデックスを示すために、かつ／あるいは参照信号リソースの品質情報、例えば、受信電力（ＲＳＲＰ）または受信品質（ＲＳＲＱ）を示すために使用される。第２のフィードバック・モードでは、ＵＥは、まず、Ｎ個の参照信号の測定値に基づいてＭ個の参照信号リソース表示情報を決定し、Ｍ個の参照信号リソース表示情報に基づいてＣＳＩ内の各要素を決定する。
【０１０８】
ＵＥは、複数の方法でフィードバック・モードを決定することができる。例えば、ＵＥは、Ｎ個のポートの参照信号を測定することによって、Ｎ個のポートの参照信号受信電力を取得することができる。ＵＥが、各偏波方向において、Ｎ／２個の参照信号のうち、受信電力が所定の閾値を超える複数の参照信号が存在すると決定した場合、ＵＥは、ＣＳＩを報告するために第１のフィードバック・モードを使用することを決定することができる。さもなければ、ＵＥが、各偏波方向において、Ｎ／２個の参照信号のうち、受信電力が所定の閾値を超える参照信号が１つのみであると決定した場合、ＵＥは、ＣＳＩを報告するために第２のフィードバック・モードを使用することを決定することができる。ＵＥは、さらに、他の方法でフィードバック・モードを決定することができ、そのような方法は、本明細書において除外されない。
【０１０９】
第１のフィードバック・モードが使用される場合、ＵＥは、まず、参照信号を測定した結果に基づいてＲＩを報告することを決定する。ＲＩは、ＵＥが、後続のデータ伝送プロセスにおいて同じ時間周波数リソース上で送信するように基地局に指示するデータの層の量を表す。ＲＩを決定した後、ＵＥは、ＲＩに基づいてＭ個の参照信号リソース表示を報告し、各参照信号リソース表示は、参照信号リソースの数および／または参照信号リソースの品質情報を示すために使用される。Ｍ個の表示を報告するための方法は、ビーム番号またはポート番号などを報告することであり得る。ＵＥによるＭ個の参照信号リソース表示を報告する時間は、ＲＩを報告する時間とは異なることがある。Ｍ個の参照信号リソース表示を報告する時間がＲＩを報告する時間より遅い場合、Ｍ個の参照信号リソース表示が報告される基準となるＲＩは、現在の報告時間より前に直近に報告されたＲＩである。任意で、Ｍの値は、ＵＥに対して基地局によって設定されることができ、あるいはＵＥによって基地局に推奨されることができる。任意で、Ｍの値とＲＩの間に関連関係が存在する。特定の関連関係は、事前に定義され得る。たとえば、表は事前に定義されており、基地局は表を照会することによってＭの値を設定する。例えば、Ｍの値はＲＩの増加に伴って減少しない。任意で、ＭとＲＩの間の関連表は、以下の表の形式と同様とすることができる。
【表１】
2020506586.tif 000005
【０１１０】
基地局は、ＵＥによって報告されたＲＩに基づいて、対応するＭの値をＵＥに対して設定することができる。特定の関連関係はまた、他の態様であってもよく、そのような態様は、本明細書において除外されない。
【０１１１】
報告されたＲＩおよびＭ個の参照信号リソース表示に基づいて、ＵＥはさらに、ＰＭＩおよびＣＱＩのうちの少なくとも１つを報告する。ここで、報告されるＰＭＩは、Ｍ個の第１の参照信号リソースの測定値を結合することによって取得されるターゲットＰＭＩであり、１つの（広帯域）ＰＭＩまたは複数の（サブバンド）ＰＭＩを含むことができる。ＣＱＩは、ＲＩ、Ｍ個の参照信号リソース表示、およびＰＭＩに基づいて計算される。ＰＭＩは、各偏波方向におけるポートから選択されるポートの数を示すために使用される。第１の方法では、ＲＩ層データにおける各層に対して、各ＰＭＩは、各偏波方向における複数のポートからポートが１つのみ選択されることを示す。第２の方法では、ＲＩ層データにおけるデータの各層について、各ＰＭＩは、各偏波方向における複数のポートからポートが少なくとも２つ選択されることを示し、ＰＭＩは、選択されたポートの数およびポート間の線形結合係数を含む。ＵＥによってＰＭＩおよびＣＱＩを報告する時間は、Ｍ個の参照信号リソース表示を報告する時間とは異なることがある。ＰＭＩおよびＣＱＩを報告する時間が、Ｍ個の参照信号リソース表示を報告する時間よりも遅いとき、ＰＭＩおよびＣＱＩが報告される基準となるＭ個の参照信号リソース表示は、現在の報告時間よりも前に直近に報告されたＭ個の参照信号リソース表示である。
【０１１２】
従って、第１のフィードバック・モードでは、ＲＩのフィードバック期間が第１のフィードバック期間であり、Ｍ個の参照信号リソース表示のフィードバック期間が第２のフィードバック期間であり、ＰＭＩおよびＣＱＩのフィードバック期間が第３のフィードバック期間であると仮定する。この場合、第１のフィードバック期間は、第２のフィードバック期間のｋ１倍であり、第２のフィードバック期間は、第３のフィードバック期間のｋ２倍である。ここで、ｋ１は、１以上の整数であり、ｋ２は、１以上の整数である。第１のフィードバック・モードの概略図は図３Ａに示されている。
【０１１３】
第２の報告モードが選択された場合、ＵＥは、まず、参照信号を測定した結果に基づいてＭ個の参照信号リソース表示を報告し、各参照信号リソース表示は、参照信号リソースの数および／または参照信号リソースの品質情報を示すために使用される。Ｍ個の表示を報告するための方法は、ビーム番号またはポート番号などを報告することであり得る。ＵＥは、さらに、報告されたＭ個の参照信号リソース表示に基づいてＲＩを決定する。ＵＥによってＭ個の参照信号リソース表示を報告する時間は、ＲＩを報告する時間とは異なることがある。ＲＩを報告する時間がＭ個の参照信号リソース表示を報告する時間より遅い場合、ＲＩが報告される基準となるＭ個の参照信号リソース表示は、現在の報告時間の前に直近に報告されたＭ個の参照信号リソース表示である。
【０１１４】
報告されたＭ個の参照信号リソース表示およびＲＩに基づいて、ＵＥは、さらに、ＰＭＩおよびＣＱＩのうちの少なくとも１つを報告する。ここで、報告されたＰＭＩは、Ｍ個の第１の参照信号リソースの測定値を結合することによって取得されたターゲットＰＭＩであり、１つの（広帯域）ＰＭＩまたは複数の（サブバンド）ＰＭＩを含むことができる。ＣＱＩは、ＲＩ、Ｍ個の参照信号リソース表示、およびＰＭＩに基づいて計算される。ＰＭＩは、各偏波方向においてポートから選択されたポートの数を示すために使用される。第１の方法では、ＲＩ層データにおけるデータの各層について、各ＰＭＩは、各偏波方向において複数のポートのうち選択されるポートが１つのみであることを示す。第２の方法では、ＲＩ層データにおけるデータの各層について、各ＰＭＩは、各偏波方向において複数のポートからポートが少なくとも２つ選択されることを示し、ＰＭＩは、選択されたポートの数およびポート間の線形結合係数を含む。ＵＥによってＰＭＩおよびＣＱＩを報告する時間は、ＲＩを報告する時間とは異なることがある。ＰＭＩおよびＣＱＩを報告する時間がＲＩを報告する時間より遅い場合、ＰＭＩおよびＣＱＩが報告される基準となるＲＩは、現在の報告時期よりも前に直近に報告されたＲＩである。
【０１１５】
従って、第２のフィードバック・モードでは、Ｍ個の参照信号リソース表示のフィードバック期間が第４のフィードバック期間であり、ＲＩのフィードバック期間が第５のフィードバック期間であり、ＰＭＩおよびＣＱＩのフィードバック期間が第６のフィードバック期間であると仮定する。この場合、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。第１のフィードバック・モードの概略図は図３Ｂに示されている。
【０１１６】
第１のフィードバック・モードおよび第２のフィードバック・モードの場合、ＰＭＩを報告する第２の方法の利点は、ＣＳＩフィードバック精度およびその後のデータ伝送性能が改善できることにある。例として第１のフィードバック・モードおよびＲＩ＝１を使用して、以下では、複数の選択されたポートの線形結合係数を計算してＰＭＩを報告する方法を説明する。
【０１１７】
Ｎ＝８個の参照信号を測定することにより、ＵＥは、第１の偏波方向においてＮ／２＝４個の参照信号に対して番号１、２の参照信号を選択し（参照信号リソース表示はそれぞれ１〜４）、第２の偏波方向においてＮ／２＝４個の参照信号に対して番号５、６の参照信号を選択する（参照信号リソース表示はそれぞれ５〜８）。この場合、ＵＥは、４つの参照信号に基づいてサブバンドのチャネル係数を推定することができる。
Ｘ＝［Ｈ×ｕ１，Ｈ×ｕ２，Ｇ×ｕ１，．．．，Ｇ×ｕ２］
【０１１８】
Ｈは、アンテナからＵＥへのチャネル係数であり、そのアンテナは、第１の偏波方向におけるポートに対応する。Ｇは、アンテナからＵＥへのチャネル係数であり、そのアンテナは、第２の偏波方向におけるポートに対応する。ＵＥは、チャネル係数Ｘに対して特異値分解を行うことによって、あるいは他の方法を使用することによって、ＲＩ＝１に基づいたＸの右一次特異ベクトルｘ＝［ｖ１，ｖ２，ｕ１，．．．，ｕ２］を取得することができる。この場合、参照信号リソース表示１、２、５、および６と各サブバンドの係数［ｖ１，ｖ２，ｕ１，．．．，ｕ２］は、ＵＥによって報告されたＰＭＩである。チャネル係数Ｘは、選択されたＭ個の参照信号リソースを測定することによって取得されるＭセットのＣＳＩであり、報告されたＰＭＩ［ｖ１，ｖ２，ｕ１，．．．，ｕ２］は、ＭセットのＣＳＩに基づいて取得されるターゲットＰＭＩである。
【０１１９】
シナリオ２
【０１２０】
図４Ｂ参照のこと。
【０１２１】
ＵＥは、基地局から送信されたＮ個の第１の参照信号リソースを測定する。各第１の参照信号リソースは、ｎ個のポートを使用することによって送信される。同じ第１の参照信号リソースのｎ個のポートに対して、同じプリコーディング行列が、ポート上の測定参照信号をプリコードするために使用される。具体的には、同じ第１の参照信号リソースのｎ個のポートは、同じビーム方向を有し、ビーム方向は、第１の参照信号のビーム方向である。図に示されるように、基地局は、Ｎ＝２個の第１の参照信号リソースを送信し、各第１の参照信号リソースは、ｎ＝４個のポートを使用することにより送信され、ｕ１は、番号１の第１の参照信号リソースのプリコーディング・ベクトルであり、ｕ２は、番号２の第１の参照信号リソースのプリコーディング・ベクトルである。
【０１２２】
任意に、ＵＥは、参照信号を測定することによって自律的にフィードバック・モードを選択し、そのフィードバック・モードを基地局に報告することができる。任意で、基地局は、上位層シグナリング（無線リソース制御、ＲＲＣ）または動的シグナリング（下りリンク制御情報、ＤＣＩ）を使用することによって、ＵＥに対して、使用されるべきフィードバック・モードを通知することができる。ＵＥは、参照信号を測定し、選択したフィードバック・モードまたは基地局によって設定されたフィードバック・モードに基づいてＵＥのチャネル状態情報ＣＳＩのセットを決定する。ＣＳＩの１セットは、フィードバック・モードにおいて、以下の要素のうちの少なくとも１つを含む。すなわち、ランク・インジケータＲＩ、プリコーディング行列インジケータＰＭＩ、チャネル品質インジケータＣＱＩ、チャネル共分散行列、およびチャネル固有ベクトルである。ＰＭＩは広帯域ＰＭＩとすることができ、あるいは複数のサブバンドＰＭＩとすることができ、チャネル共分散行列は広帯域チャネル共分散行列とすることができ、あるいは複数のサブバンド・チャネル共分散行列とすることができ、チャネル固有ベクトルは広帯域チャネル固有ベクトルとすることができ、あるいは複数のサブバンド・チャネル固有ベクトルとすることができる。
【０１２３】
フィードバック・モードは、第１のフィードバック・モードおよび第２のフィードバック・モードを含む。第１のフィードバック・モードでは、ＵＥは、まず、Ｎ個の第１の参照信号リソースの測定値に基づいてＣＳＩ内の少なくとも１つの要素を決定し、そのＣＳＩ内の少なくとも１つの要素に基づいてＭ個の参照信号リソース表示情報を決定する。ＭはＮ以下の正の整数である。Ｍ個の参照信号リソース表示情報では、各参照信号リソース表示は、１つの第１の参照信号リソースのインデックスを示すために、かつ／あるいは、第１の参照信号リソースの品質情報、例えば、受信電力（ＲＳＲＰ）または受信品質（ＲＳＲＱ）を示すために使用される。第２のフィードバック・モードでは、ＵＥは、Ｎ個の第１の参照信号リソースの測定値に基づいてＭ個の参照信号リソース表示情報を決定し、Ｍ個の参照信号リソース表示情報に基づいてＣＳＩ内の各要素を決定する。
【０１２４】
ＵＥは、複数の方法でフィードバック・モードを決定することができる。例えば、ＵＥは、Ｎ個の第１の参照信号リソースの受信電力を測定することができる。ＵＥが、受信電力が所定の閾値を超える第１の参照信号リソースが複数あると決定した場合、ＵＥは、ＣＳＩを報告するために第１のフィードバック・モードを使用することを決定することができる。ＵＥが、受信電力が所定の閾値を超える第１の参照信号リソースが１つのみであると決定した場合、ＵＥは、ＣＳＩを報告するために第２のフィードバック・モードを使用することを決定することができる。ＵＥは、さらに、他の方法でフィードバック・モードを決定することができ、そのような方法は、本明細書において除外されない。
【０１２５】
第１のフィードバック・モードが使用される場合、ＵＥは、まず、第１の参照信号を測定した結果に基づいてＲＩを報告することを決定する。ＲＩは、ＵＥが、後続のデータ送信プロセスにおいて同じ時間周波数リソース上で送信するように基地局に指示するデータの層の量を表す。ＲＩを決定した後、ＵＥは、ＲＩに基づいてＭ個の参照信号リソース表示を報告し、各参照信号リソース表示は、第１の参照信号リソースの番号および／または第１の参照信号リソースの品質情報を示すために使用される。ＵＥによってＭ個の参照信号リソース表示を報告する時間は、ＲＩを報告する時間とは異なることがある。Ｍ個の参照信号リソース表示を報告する時間がＲＩを報告する時間より遅い場合、Ｍ個の参照信号リソース表示が報告される基準となるＲＩは、現在の報告時間より前に直近に報告されたＲＩである。
【０１２６】
任意で、Ｍの値は、ＵＥ対して基地局によって設定されることができ、あるいはＵＥによって基地局に推奨されることができる。任意で、ＲＩはＭとｎの値との関係を有する。例では、ＲＩがｎ以下の整数である場合、Ｍの値は１以上の整数とすることができる。例では、ＲＩがｎ以上の整数である場合、Ｍの値は１より大きい整数である。例えば、ｎ＝２、およびＲＩ＝３である場合、基地局によって設定されるＭは、ＲＩ／ｎ＝１．５以上の正の整数とすることができる。具体的には、Ｍは２以上の整数とすることができる。特定の関連関係が表によって示され得る。基地局またはＵＥは、表を照会することによってＭを決定することができる。
【０１２７】
報告されたＲＩおよびＭ個の参照信号リソースの表示に基づいて、ＵＥは、さらに、ＰＭＩ、ＣＱＩ、チャネル共分散行列、およびチャネル固有ベクトルのうちの少なくとも１つを報告する。任意で、ＰＭＩは、ＵＥによって選択されたプリコーディング行列を示すために使用され得る。任意で、報告されたＰＭＩによって示されるプリコーディング行列は、Ｍ×ｎ列を含み、プリコーディング行列は、報告されたＭ個の参照信号リソース表示によって示されるＭ個の第１の参照信号リソースの全部でＭ×ｎポート上のプリコーディングのために使用される。具体的には、Ｍ個の第１の参照信号リソースの測定値がターゲットＰＭＩに結合される。任意で、ターゲットＰＭＩは、Ｍ個の参照信号リソースを測定することによって取得されるＭ個のＣＳＩを結合することによって取得され得る。任意で、１つのターゲットＰＭＩが全帯域幅について報告されることができ、あるいは１つのターゲットＰＭＩが各サブバンドについて報告されることができる。任意で、報告されたチャネル共分散行列は、Ｍ個の共分散行列を含むことができ、各共分散行列は、Ｍ個の参照信号リソースのうちの１つのｎ個のポートからＵＥまでのチャネルの共分散行列である。代替的には、報告されたチャネル共分散行列は、１つの共分散行列を含むことができ、ここで、共分散行列は、Ｍ個の参照信号リソースのＭ×ｎ個のポートからＵＥまでのチャネルの共分散行列である。具体的には、Ｍ個の第１の参照信号リソースの測定値がターゲット共分散行列に結合される。１つのターゲット共分散行列が全帯域幅について報告されることができ、あるいは１つのターゲット共分散行列が各サブバンドについて報告される。同様に、報告されたチャネル固有ベクトルは、Ｍ個のチャネル固有ベクトルを含むことができ、各チャネル固有ベクトルは、Ｍ個の参照信号リソースのうちの１つのｎポートからＵＥへのチャネルのチャネル固有ベクトルである。代替的には、報告されたチャネル固有ベクトルは、１つのチャネル固有ベクトルを含み、ここで、チャネル固有ベクトルは、Ｍ個の参照信号リソースのＭ×ｎポートからＵＥへのチャネルのチャネル固有ベクトルである。具体的には、Ｍ個の第１の参照信号リソースの測定値がターゲットチャネル固有ベクトルに結合される。１つのターゲットチャネル固有ベクトルが全帯域幅について報告されることができ、あるいは１つのターゲットチャネル固有ベクトルが各サブバンドについて報告される。ＣＱＩは、報告されるＭ個の参照信号リソース表示、ＲＩ、およびＰＭＩに基づいて計算されるか、あるいは報告されるＭ個の参照信号リソース表示、ＲＩ、チャネル共分散行列、またはチャネル固有ベクトルに基づいて計算される。
【０１２８】
ＵＥによってＰＭＩ、ＣＱＩ、チャネル共分散行列、およびチャネル固有ベクトルを報告する時間は、Ｍ個の参照信号リソース表示を報告する時間とは異なることがある。ＰＭＩ、ＣＱＩ、チャネル共分散行列、およびチャネル固有ベクトルを報告する時間が、Ｍ個の参照信号リソース表示を報告する時間よりも遅い場合、ＰＭＩ、ＣＱＩ、チャネル共分散行列、およびチャネル固有ベクトルが報告される基準となるＭ個の参照信号リソース表示は、現在の報告時間の前に直近に報告されたＭ個の参照信号リソース表示である。
【０１２９】
任意で、ターゲットＰＭＩは、さらに、選択されたＭ個の参照信号リソースの全部でＭ×ｎポートの線形結合係数のセットを報告するために使用され得る。結合係数のセットは、Ｍ個の参照信号リソースを測定することによって取得されるＭ個のＣＳＩを結合することによって取得され得る。Ｍ＝２、ｎ＝２、ＲＩ＝１を例として、線形結合係数を求める方法が説明される。ＵＥは、Ｎ個の参照信号リソースを測定し、番号１および２の参照信号リソースを選択する。番号１の参照信号リソースの２個のポートからＵＥへの下りリンクチャネルのチャネル行列はＨであり、番号２の参照信号リソースの２個のポートからＵＥへの下りリンクチャネルのチャネル行列はＧである。ＨおよびＭの次元は両方ともＭ×２であり、ＭはＵＥのアンテナの量である。ＵＥは、チャネル行列ＨとＧに特異値分解を別々に行い、Ｈの一次固有ベクトルｖ１とＧの一次固有ベクトルｖ２を取得し、ｖ１とｖ２は両方とも、次元が２×１のベクトルである。ＵＥは、まず、ｖ１とｖ２に基づいて２つのポート・グループの等価チャネルＨ＿ｅｆｆとＧ＿ｅｆｆを計算し、ここで、Ｈ＿ｅｆｆ＝Ｈ×ｖ１、Ｇ＿ｅｆｆ＝Ｇ×ｖ２であり、そして、ＵＥは、特異値分解または他の計算を結合チャネルＦ＝［Ｈ＿ｅｆｆ  Ｇ＿ｅｆｆ］で行い、一次固有ベクトルｕを取得し、ここで、ｕ＝（ｕ１，ｕ２）であり、次元は２×１のベクトルであり、２つの複素数ｕ１とｕ２を含む。次いで、ＵＥは、番号１および２の参照信号リソースに対応する基底ベクトルセット（標準で予め定義、あるいは基地局によって設定）と取得された一次固有ベクトル（ｖ１，ｖ２）に基づいて、番号１の参照信号リソースのｎ＝２個のポートの線形結合係数（ａ１，ａ２）を決定し、番号１の参照信号リソースのｎ＝２個のポートの線形結合係数（ｂ１，ｂ２）を決定する。報告されたターゲットＰＭＩは、以下の結合係数のセットを含む。すなわち、（ｕ１，ｕ２，ａ１，ａ２，ｂ１，ｂ２）である。（ａ１，ａ２，ｂ１，ｂ２）は、２つの参照信号リソースを測定することによって取得されるＭ＝２セットのＣＳＩであり、係数（ｕ１，ｕ２）は、さらに、Ｍ＝２セットのＣＳＩに基づいて取得される。従って、報告された結合係数のセット（ｕ１，ｕ２，ａ１，ａ２，ｂ１，ｂ２）は、ＣＳＩの２つのセットを結合することによって得られるＰＭＩである。１セットの結合係数が全帯域幅について報告されることができ、あるいは１セットの結合係数が各サブバンドについて報告される。結合係数は、さらに他の方法で取得されることができ、そのような方法は、本明細書において除外されない。
【０１３０】
従って、第１のフィードバック・モードでは、ＲＩのフィードバック期間が第１のフィードバック期間であり、Ｍ個の参照信号リソース表示のフィードバック期間が第２のフィードバック期間であり、ＰＭＩ、ＣＱＩ、チャネル共分散行列、およびチャネル固有ベクトルのフィードバック期間が第３のフィードバック期間であると仮定する。この場合、第１のフィードバック期間は、第２のフィードバック期間のｋ１倍であり、第２のフィードバック期間は、第３のフィードバック期間のｋ２倍であり、ここで、ｋ１は１以上の整数であり、ｋ２は１以上の整数である。
【０１３１】
第２の報告モードが使用される場合、ＵＥは、まず、参照信号を測定した結果に基づいてＭ個の参照信号リソース表示を報告し、各参照信号リソース表示は、参照信号リソースの番号および／または参照信号リソースの品質情報を示すために使用される。ＵＥは、さらに、報告されたＭ個の参照信号リソース表示に基づいてＲＩを決定する。ＵＥによってＭ個の参照信号リソース表示を報告する時間は、ＲＩを報告する時間とは異なることがある。ＲＩを報告する時間がＭ個の参照信号リソース表示を報告する時間より遅い場合、ＲＩが報告される基準となるＭ個の参照信号リソース表示は、現在の報告時間の前に直近に報告されたＭ個の参照信号リソース表示である。
【０１３２】
報告されたＲＩおよびＭ個の参照信号リソースの表示に基づいて、ＵＥは、さらに、ＰＭＩ、ＣＱＩ、チャネル共分散行列、およびチャネル固有ベクトルのうちの少なくとも１つを報告する。任意で、報告されたＰＭＩによって示されるプリコーディング行列は、Ｍ×ｎ列を含み、プリコーディング行列は、報告されたＭ個の参照信号リソース表示によって示されるＭ個の第１の参照信号リソースの全部でＭ×ｎポート上のプリコーディングのために使用される。具体的には、Ｍ個の第１の参照信号リソースの測定値がターゲットＰＭＩに結合される。１つのターゲットＰＭＩが全帯域幅について報告されることができ、あるいは１つのターゲットＰＭＩが各サブバンドについて報告される。任意で、報告されたチャネル共分散行列は、Ｍ個の共分散行列を含むことができ、各共分散行列は、Ｍ個の参照信号リソースのうちの１つのｎ個のポートからＵＥまでのチャネルの共分散行列である。代替的には、報告されたチャネル共分散行列は、１つの共分散行列を含むことができ、その共分散行列は、Ｍ個の参照信号リソースのＭ×ｎ個のポートからＵＥまでのチャネルの共分散行列である。具体的には、Ｍ個の第１の参照信号リソースの測定値がターゲット共分散行列に結合される。１つのターゲット共分散行列が全帯域幅について報告されることができ、あるいは１つのターゲット共分散行列が各サブバンドについて報告される。同様に、報告されたチャネル固有ベクトルは、Ｍ個のチャネル固有ベクトルを含むことができ、各チャネル固有ベクトルは、Ｍ個の参照信号リソースのうちの１つのｎ個のポートからＵＥへのチャネルのチャネル固有ベクトルである。代替的には、報告されたチャネル固有ベクトルは、１つのチャネル固有ベクトルを含み、そのチャネル固有ベクトルは、Ｍ個の参照信号リソースのＭ×ｎ個のポートからＵＥへのチャネルのチャネル固有ベクトルである。具体的には、Ｍ個の第１の参照信号リソースの測定値がターゲット・チャネル固有ベクトルに結合される。１つのターゲット・チャネル固有ベクトルが全帯域幅について報告されることができ、あるいは１つのターゲットチャネル固有ベクトルが各サブバンドについて報告される。ＣＱＩは、報告されたＭ個の参照信号リソース表示、ＲＩ、およびＰＭＩに基づいて計算されるか、あるいは報告されたＭ個の参照信号リソース表示、ＲＩ、チャネル共分散行列、またはチャネル固有ベクトルに基づいて計算される。ＵＥによってＰＭＩ、ＣＱＩ、チャネル共分散行列、およびチャネル固有ベクトルを報告する時間は、ＲＩの報告時間とは異なることがある。ＰＭＩ、ＣＱＩ、チャネル共分散行列、およびチャネル固有ベクトルを報告する時間がＲＩを報告する時間より遅い場合、ＰＭＩ、ＣＱＩ、チャネル共分散行列、およびチャネル固有ベクトルが報告される基準となるＲＩは、現在の報告時間の前に直近に報告されたＲＩである。
【０１３３】
従って、第２のフィードバック・モードでは、Ｍ個の参照信号リソース表示のフィードバック期間が第４のフィードバック期間であり、ＲＩのフィードバック期間が第５のフィードバック期間であり、ＰＭＩおよびＣＱＩのフィードバック期間が第６のフィードバック期間であると仮定する。この場合、第４のフィードバック期間は第５のフィードバック期間のｋ３倍であり、第５のフィードバック期間は第６のフィードバック期間のｋ４倍である。ここで、ｋ３は１以上の整数であり、ｋ４は１以上の整数である。
【０１３４】
任意で、ＰＭＩは、さらに、選択されたＭ個の参照信号リソースの全部でＭ×ｎ個のポートの線形結合係数のセットを報告するためにさらに使用され得る。特定の取得方法は、第１のフィードバック・モードにおいて結合係数を取得する方法に類似している。詳細は、再度記載されない。
【０１３５】
任意で、第２のフィードバック・モードにおいて、ＵＥによって報告されるＰＭＩ、ＣＱＩ、チャネル共分散行列、およびチャネル固有ベクトルは、Ｎ個の第２の測定参照リソースの測定に基づいて取得され得る。関連関係がＮ個の第１の測定参照リソースとＮ個の第２の参照信号リソースの間に存在する。例えば、ｉ番目の第２の参照信号リソースのビーム方向は、ｉ番目の第１の参照信号リソースのビーム方向に近く、ｉ番目の第２の参照信号リソースのポートは、ｉ番目の第１の参照信号リソースのポートを含む。代替的には、ｉ番目の第２の参照信号リソースのビーム方向は、ｉ番目の第１の参照信号リソースのビーム方向に近く、ｉ番目の第２の参照信号リソースのビーム幅は、ｉ番目の第１の参照信号リソースのビーム幅よりも狭くすることができる。代替的には、ｉ番目の第２の参照信号リソースは、ビーム群に対応し、ビーム群の方向は、関連するｉ番目の第１の参照信号リソースのビームの方向に近い。特定の関連関係はまた、他の形態とすることができ、そのような形態は、本明細書において除外されない。関連関係に基づいて、基地局は、ＵＥによって報告されたＭ個の参照信号リソース表示に基づいて、対応する第２の参照信号リソースを設定することができる。ＵＥは、関連関係に基づいて対応する第２の参照信号リソースを測定することができる。具体的には、図５Ａおよび図５Ｂを参照のこと。図５Ａは、この出願によるチャネル状態情報フィードバック方法における第１の参照信号リソースと第２の参照信号リソースの間の関連関係の概略図である。図５Ｂは、この出願によるチャネル状態情報フィードバック方法における第１の参照信号リソースと第２の参照信号リソースの間の別の関連関係の概略図である。
【０１３６】
図５Ａを参照すると、Ｎ＝４個の第１の参照信号リソースの各々は、２つのポートを含み、異なるビーム方向に対応する。各第１の参照信号リソースは、第２の参照信号リソースと関連付けられる。各第２の参照信号リソースは、４つのポートを有し、１つのビーム方向に対応する。各第２の参照信号リソースに対応するビーム方向、および関連する第１の参照信号リソースのビーム方向は、基本的に整合している。
【０１３７】
図５Ｂを参照すると、Ｎ＝４個の第１の参照信号リソースの各々は、２つのポートを含み、異なるビーム方向に対応する。各第１の参照信号リソースは、第２の参照信号リソースと関連付けられる。各第２の参照信号リソースは、２つのポートを有し、１つのビームグループに対応し、各ビームグループは、２つのビームを含む。各第２の参照信号リソースに対応するビーム群内の２つのビームの方向と、関連する第１の参照信号リソースのビーム方向は、基本的に整合している。
【０１３８】
図６は、この出願によるユーザ機器の実施形態１の概略構造図である。この実施形態によって提供されるユーザ機器は、この出願の任意の実施形態によるユーザ機器に適用される方法の各ステップを実施することができる。具体的には、この実施形態によって提供されるユーザ機器１００は、
基地局によって設定されたＮ個の第１の参照信号リソースを受信するように構成されている受信モジュール１１であって、Ｎ個の第１の参照信号リソースの各々は少なくとも１つのポートを含み、Ｎは２以上の整数である、受信モジュール１１と、
フィードバック・モードに基づいてチャネル状態表示ＣＳＩおよびＭ個の第１の参照信号リソース表示情報を決定するように構成されている処理モジュール１２であって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュール１２と、
ＣＳＩおよびＭ個の第１の参照信号リソース表示情報を基地局に報告するように構成されている送信モジュール１３と、を含み、
Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。
【０１３９】
基地局によって設定されたＮ個の第１の参照信号リソースを受信し、次いで、フィードバック・モードに基づいて第１の参照信号リソースのＣＳＩおよびＭ個の第１の参照信号表示情報を決定した後、この出願によって提供されるユーザ機器は、ＣＳＩおよびＭ個の第１の参照信号リソース表示情報を基地局にフィードバックする。このプロセスにおいて、ＵＥは、水平次元におけるＭ個の第１の参照信号リソースのＣＳＩおよびＭ個の第１の参照信号リソース表示情報を基地局にフィードバックし、基地局は、第１の参照信号リソース表示情報に基づいて垂直次元におけるチャネル状態情報を決定し、最終的に、２次元のチャネル状態情報を取得する。これは、従来のチャネル推定では水平次元におけるチャネル状態情報のみがフィードバックされるという欠点を克服する。
【０１４０】
任意で、この出願の実施形態では、フィードバック・モードは、第１のフィードバック・モードを含み、
処理モジュール１２は、具体的には、第１のフィードバック・モードにおいて、Ｎ個の第１の参照信号リソースに基づいてＣＳＩ内の少なくとも１つの要素を決定し、そのＣＳＩ内の少なくとも１つの要素に基づいてＭ個の第１の参照信号リソース表示情報を決定するように構成されている。
【０１４１】
任意で、この出願の実施形態では、ＣＳＩ内の少なくとも１つの要素は、ＵＥがＭ個の第１の参照信号リソース表示情報を決定する前に直近に報告されたＲＩであり、処理モジュール１２は、具体的には、第１のフィードバック・モードにおいて、Ｎ個の第１の参照信号リソースに基づいて直近に報告されたＲＩを決定し、直近に報告されたＲＩに基づいてＭ個の第１の参照信号リソース表示情報を決定することを行うように構成されている。
【０１４２】
任意で、この出願の実施形態では、処理モジュール１２は、関連関係に基づいて、Ｍ個の第２の参照信号リソースを決定することであって、関連関係は、Ｍ個の第１の参照信号リソースとＭ個の第２の参照信号リソースの間の関連関係である、決定することと、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することと、を行うようにさらに構成されており、
送信モジュール１３は、ＰＭＩ、ＣＱＩ、チャネル共分散行列、またはチャネル固有ベクトルのうちの少なくとも１つを基地局に報告するようにさらに構成されている。
【０１４３】
任意で、この出願の実施形態では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【０１４４】
任意で、この出願の実施形態では、Ｎ個の第１の参照信号リソースに基づいて直近に報告されたＲＩを決定し、直近に報告されたＲＩに基づいてＭ個の第１の参照信号リソース表示情報を決定する場合、処理モジュール１２は、具体的には、第１のフィードバック・モードにおいて、Ｎ個の第１の参照信号リソースに基づいて直近に報告されたＲＩを決定することと、直近に報告されたＲＩに基づいて対応表を照会して、Ｍ個の第１の参照信号リソース表示情報を決定することであって、ここで、対応表は、ＲＩとＭの間に存在する対応を記憶する、決定することと、を行うように構成されている。
【０１４５】
任意で、この出願の実施形態では、フィードバック・モードは第２のフィードバック・モードを含み、処理モジュール１２は、具体的には、第２のフィードバック・モードのＵＥによって、Ｎ個の第１の参照信号リソースに基づいてＭ個の第１の参照信号リソース表示情報を決定することと、Ｍ個の第１の参照信号リソース表示情報によって示されるＭ個の第１の参照信号リソースに基づいてＣＳＩを決定することと、を行うように構成されている。
【０１４６】
任意で、この出願の一実施形態では、Ｍ個の第１の参照信号リソース表示情報は、ＵＥがＣＳＩを決定する前に直近に報告されたＭ個の第１の参照信号リソース表示情報である。
【０１４７】
任意で、この出願の一実施形態では、処理モジュール１２は、具体的には、第２のフィードバック・モードにおいて、Ｎ個の第１の参照信号リソースに基づいてＭ個の第１の参照信号リソース表示情報を決定することと、Ｍ個の第１の参照信号リソース表示情報によって示されるＭ個の第１の参照信号リソースに基づいてＣＳＩ内のＲＩを決定することとを行うように構成されている。
【０１４８】
任意で、この出願の実施形態では、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、処理モジュール１２は、関連関係に基づいてＭ個の第２の参照信号リソースを決定することであって、関連関係は、Ｍ個の第１の参照信号リソースとＭ個の第２の参照信号リソースの間の関連関係である、決定することと、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定することと、を行うようにさらに構成されており、
送信モジュール１３は、ＰＭＩ、ＣＱＩ、チャネル共分散行列、またはチャネル固有ベクトルのうちの少なくとも１つを基地局に報告するようにさらに構成されている。
【０１４９】
任意で、この出願の実施形態では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【０１５０】
任意で、この出願の実施形態では、処理モジュール１２は、直近に報告されたＲＩおよびＭ個の第２の参照信号リソースに基づいてＭセットのＣＳＩを決定することであって、ＭセットのＣＳＩセットの各々は、ＰＭＩ、ＣＱＩ、チャネル共分散行列、またはチャネル固有ベクトルのうちの少なくとも１つを含む、決定することと、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、決定することと、を行うようにさらに構成され、
送信モジュール１３は、具体的には、ターゲットＰＭＩの基底ベクトル、ポート・インデックス、または結合係数を基地局に報告し、基地局は、ターゲットＰＭＩの基底ベクトル、ポート・インデックス、または結合係数に基づいてターゲットＰＭＩを決定し、ターゲットＰＭＩに基づいてターゲットＣＱＩを取得するように構成されている。
【０１５１】
任意で、この出願の実施形態では、受信モジュール１１は、より上位層シグナリングまたは動的シグナリングを使用することによって、基地局によって設定されたフィードバック・モードを受信するようにさらに構成されている。
【０１５２】
任意で、この出願の実施形態では、送信モジュール１３は、フィードバック・モードを基地局にフィードバックするようにさらに構成されている。
【０１５３】
図７は、この出願による基地局の実施形態１の概略構造図である。この実施形態によって提供される基地局は、この出願の任意の実施形態による基地局に適用される方法の各ステップを実現することができる。具体的には、この実施形態によって提供される基地局２００は、
Ｎ個の第１の参照信号リソースを設定するように構成されている処理モジュール２１であって、Ｎ個の第１の参照信号リソースの各々が少なくとも１つのポートを含み、Ｎが２以上の整数である、処理モジュール２１と、
Ｎ個の第１の参照信号リソースをユーザ機器ＵＥに送信するように構成されている送信モジュール２２と、
フィードバック・モードに基づいてＵＥによって報告されたチャネル状態表示ＣＳＩおよびＭ個の第１の参照信号リソース表示情報を受信するように構成されている受信モジュール２３であって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、受信モジュール２３と、を含み、
Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。
【０１５４】
この出願によって提供される基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩ、およびＭ個の第１の参照信号リソース表示情報を基地局にフィードバックし、基地局が、第１の参照信号リソース表示情報に基づいて垂直次元におけるチャネル状態情報を決定し、最終的に、２次元のチャネル状態情報を取得するようにする。これは、従来のチャネル推定では水平次元におけるチャネル状態情報のみがフィードバックされるという欠点を克服する。
【０１５５】
任意で、この出願の実施形態では、フィードバック・モードは、第１のフィードバック・モードを含み、
受信モジュール２３は、具体的には、第１のフィードバック・モードにおいて、ＣＳＩ内の少なくとも１つの要素に基づいてＵＥによって決定されたＭ個の第１の参照信号リソース表示情報を受信するようにさらに構成されており、ＣＳＩ内の少なくとも１つの要素は、Ｎ個の第１の参照信号リソースに基づいてＵＥによって決定されている。
【０１５６】
任意で、本出願の実施形態では、ＣＳＩ内の少なくとも１つの要素は、ＵＥがＭ個の第１の参照信号リソース表示情報を決定する前に直近に報告されたＲＩであり、受信モジュール２３は、具体的には、第１のフィードバック・モードにおいて、直近に報告されたＲＩに基づいてＵＥによって決定されたＭ個の第１の参照信号リソース表示情報を受信するように構成されており、直近に報告されたＲＩは、Ｎ個の第１の参照信号リソースに基づいてＵＥによって決定されている。
【０１５７】
任意で、この出願の実施形態では、第１のフィードバック・モードにおいて、直近に報告されたＲＩに基づいてＵＥによって決定されたＭ個の第１の参照信号リソース表示情報を受信した後、受信モジュール２３は、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは、関連関係に基づいて決定され、関連関係は、Ｍ個の第１の参照信号リソースとＭ個の第２の参照信号リソースの間の関連関係である。
【０１５８】
任意で、この出願の実施形態では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【０１５９】
任意で、この出願の実施形態では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定されており、対応表は、ＲＩとＭの間に存在する対応を記憶する。
【０１６０】
任意で、この出願の実施形態では、フィードバック・モードは、第２のフィードバック・モードを含み、
受信モジュール２３は、具体的には、第２のフィードバック・モードにおいて、Ｍ個の第１の参照信号リソース表示情報に基づいてＵＥによって決定されたＣＳＩを受信するように構成されており、Ｍ個の第１の参照信号リソース表示情報は、Ｎ個の第１の参照信号リソースに基づいてＵＥによって決定されている。
【０１６１】
任意で、この出願の一実施形態では、Ｍ個の第１の参照信号リソース表示情報は、ＵＥがＣＳＩを決定する前に直近に報告されたＭ個の第１の参照信号リソース表示情報である。
【０１６２】
任意で、この出願の実施態様では、
受信モジュール２３は、具体的には、第２のフィードバック・モードにおいて、Ｍ個の第１の参照信号リソースに基づいてＵＥによって決定されたＲＩを受信するように構成されている。
【０１６３】
任意で、この出願の実施形態では、Ｍ個の第１の参照信号リソースに基づいてＵＥによって決定されたＲＩを受信した後、受信モジュール２３は、ＵＥによって報告されたＰＭＩ、ＣＱＩ、チャネル共分散行列、またはチャネル固有ベクトルのうちの少なくとも１つを受信するようにさらに構成されており、ここで、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である。
【０１６４】
任意で、この出願の実施形態では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【０１６５】
任意で、この出願の実施形態では、受信モジュール２３は、具体的には、ＵＥによって報告されたターゲットＣＳＩを受信するように構成されており、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得され、ＭセットのＣＳＩは、直近に報告されたＲＩおよびＭ個の第２の参照信号リソースに基づいてＵＥによって決定されている。
【０１６６】
任意で、この出願の一実施形態では、送信モジュール２２は、上位層シグナリングまたは動的情報をＵＥに送信するようにさらに構成されており、上位層シグナリングまたは動的シグナリングは、フィードバック・モードを搬送する。
【０１６７】
任意で、この出願の一実施形態では、受信モジュール２３は、ＵＥによってフィードバックされたフィードバック・モードを受信するようにさらに構成されている。
【０１６８】
図８は、この出願によるユーザ機器の実施形態２の概略構造図である。この実施形態によって提供されるユーザ機器は、プロセッサ３１、メモリ３２、通信インタフェース３３、およびシステム・バス３４を含む。メモリ３２と通信インタフェース３３は、システム・バス３４を使用することによりプロセッサ３１に接続され、プロセッサ３１と通信する。メモリ３２は、コンピュータ実行可能命令を記憶するように構成されている。通信インタフェース３３は、他の装置と通信するように構成されている。プロセッサ３１は、コンピュータ実行可能命令を実行するように構成されており、ユーザ機器がユーザ機器に適用される前述の方法の各ステップを実行するようにする。
【０１６９】
図９は、この出願による基地局の実施形態２の概略構造図である。この実施形態によって提供される基地局は、プロセッサ４１、メモリ４２、通信インタフェース４３、およびシステム・バス４４を含む。メモリ４２および通信インタフェース４３は、システム・バス４４を使用することによりプロセッサ４１に接続され、プロセッサ４１と通信する。メモリ４２は、コンピュータ実行可能命令を記憶するように構成されている。通信インタフェース４３は、他の装置と通信するように構成されている。プロセッサ４１は、コンピュータ実行可能命令を実行するように構成されており、基地局が基地局に適用される前述の方法の各ステップを実行するようにする。
【０１７０】
図８または図９で言及したシステム・バスは、ペリフェラル・コンポーネント・インターコネクト（peripheral  component  interconnect、ＰＣＩ）バス、エクステンディット・インダストリ・スタンダード・アーキテクチャ（extended  industry  standard  architecture、ＥＩＳＡ）等とすることができる。システム・バスは、アドレスバス、データバス、制御バス等に分類されることができる。表現を容易にするために、図では、太線を１本だけ使用して、バスを表すが、これはバスが１本だけ、またはバスのタイプが１つだけであることを意味するものではない。通信インタフェースは、データベースアクセス装置と他の装置（クライアント、リード／ライト・データベース、またはリード・オンリ・データベースなど）の間の通信を実現するように構成されている。メモリは、ランダム・アクセス・メモリ（random  access  memory、ＲＡＭ）を含むことができ、あるいは不揮発性メモリ（non-volatile  memory）、例えば少なくとも１つのディスク・ストレージをさらに含むことができる。
【０１７１】
プロセッサは、中央処理装置（Central  Processing  Unit、ＣＰＵ）、ネットワーク・プロセッサ（Network  Processor、ＮＰ）などを含む汎用プロセッサとすることができ、あるいはさらに、デジタル信号プロセッサ（Digital  Signal  Processor、ＤＳＰ）、特定用途向け集積回路（Application-Specific  Integrated  Circuit、ＡＳＩＣ）、フィールド・プログラマブル・ゲート・アレイ（Field-Programmable  Gate  Array、ＦＰＧＡ）または他のプログラマブル・ロジック・デバイス、個別のゲートまたはトランジスタ・ロジック・デバイス、または個別のハードウェア・コンポーネントとすることができる。
【図１】
2020506586.tif 000006
【図２】
2020506586.tif 000007
【図３Ａ】
2020506586.tif 000008
【図３Ｂ】
2020506586.tif 000009
【図４Ａ】
2020506586.tif 000010
【図４Ｂ】
2020506586.tif 000011
【図５Ａ】
2020506586.tif 000012
【図５Ｂ】
2020506586.tif 000013
【図６】
2020506586.tif 000014
【図７】
2020506586.tif 000015
【図８】
2020506586.tif 000016
【図９】
2020506586.tif 000017
【手続補正書】
【提出日】令和1年8月15日(2019.8.15)
【手続補正１】
【補正対象書類名】明細書
【補正対象項目名】全文
【補正方法】変更
【補正の内容】
【発明の詳細な説明】
【技術分野】
【０００１】  この出願は、２０１７年１月９日に中国特許庁に出願され、「CHANNEL  STATE  INFORMATION  FEEDBACK  METHOD,  USER  EQUIPMENT,  AND  BASE  STATION」と題する中国特許出願第２０１７１００１４４５７．１に対する優先権を主張し、その全体が参照により本明細書に組み込まれている。【０００２】  この出願は、通信技術に関し、特にチャネル状態情報フィードバック方法、ユーザ機器、および基地局に関する。
【背景技術】
【０００３】  ロング・ターム・エボリューション（Long  Term  Evolution，ＬＴＥ）システムでは、従来のアンテナアレイは垂直方向に固定ダウンチルトを有し、具体的には、従来のアンテナアレイは、セル内で垂直方向に各ユーザ機器に対して固定ビームを提供する。セル・エッジ・ユーザ・スループットとセル平均スループットを増加させるために、３次元（3  Dimension、３Ｄ）ビームフォーミング（Beaming  Forming、ＢＦ）技術が導入されている。アクティブ・アンテナ・システム（Active  Antenna  System、ＡＡＳ）に基づき、３Ｄビームフォーミング技術は、ユーザ機器の位置に基づいて、ユーザ機器に対して異なるダウンチルトでビームを垂直方向に生成し、水平方向と垂直方向との両方においてビームフォーミングを行うことができる。３Ｄビームフォーミング技術をサポートするために、対応するチャネル状態情報がフィードバックされる必要がある。チャネル状態情報は、チャネル品質インジケータ（Channel  Quality  Indicator、ＣＱＩ）、プリコーディング行列インジケータ（Precoding  Matrix  Indicator、ＰＭＩ）、ランク・インジケータ（Rank  Indication、ＲＩ）等を含む。【０００４】  一般に、チャネル状態情報は、ユーザ機器によるチャネル推定を通じて取得される。従来のチャネル推定プロセスでは、ユーザ機器は、パイロット信号とも呼ばれる参照信号（Reference  Signal、ＲＳ）、例えば、チャネル状態情報参照信号（Channel  State  Information-Reference  Signal、ＣＳＩ−ＲＳ）を測定して、水平次元におけるチャネル状態情報を推定し、チャネル状態情報を基地局に報告する。しかし、３Ｄビームフォーミング技術の場合、ユーザ機器は、水平次元におけるチャネル上のチャネル推定に加えて、垂直次元におけるチャネル上のチャネル推定をさらに実行する必要がある。明らかに、水平次元におけるチャネル推定のみをサポートする従来のチャネル推定方法は、３Ｄビームフォーミング技術には適用可能ではない。【０００５】  従って、チャネル状態情報フィードバック方法をどのように提供するかは、まさに業界において緊急に解決されるべき問題である。
【発明の概要】
【０００６】  この出願は、チャネル状態情報フィードバック方法、ユーザ機器、および基地局を提供し、従来のチャネル推定では水平次元におけるチャネル状態情報のみがフィードバックされるという欠点を克服する。
【０００７】  第１の態様によれば、この出願は、チャネル状態情報フィードバック方法を提供し、その方法はユーザ機器の観点から説明され、その方法は、基地局によって、ＵＥに対してＮ個の第１の参照信号リソースを設定することと、Ｎ個の第１の参照信号リソースをＵＥに送信することと、第１の参照信号リソースを受信し、次いで、フィードバック・モードに基づいて、第１の参照信号リソースのＣＳＩおよびＭ個の第１の参照信号リソース表示情報を決定することの後、ＵＥによって、ＣＳＩおよびＭ個の第１の参照信号リソース表示情報を基地局にフィードバックすることと、を含む。
【０００８】  前述の方法では、ＵＥは、水平次元におけるＭ個の第１の参照信号リソースのＣＳＩおよびＭ個の第１の参照信号リソース表示情報を基地局にフィードバックして、基地局は、第１の参照信号リソース表示情報に基づいて垂直次元におけるチャネル状態情報を決定し、最終的に、２次元のチャネル状態情報を得る。これは、従来のチャネル推定では水平次元におけるチャネル状態情報のみがフィードバックされるという欠点を克服する。
【０００９】  実現可能な設計では、フィードバック・モードは第１のフィードバック・モードを含み、  ＵＥによって、フィードバック・モードに基づいてチャネル状態表示ＣＳＩおよびＭ個の第１の参照信号リソース表示情報を決定することは、  第１のフィードバック・モードのＵＥによって、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定することを含む。
【００１０】  実現可能な設計では、ＣＳＩ内の少なくとも１つの要素は、ＵＥがＭ個の第１の参照信号リソース表示情報を決定する前に直近に報告されたＲＩであり、第１のフィードバック・モードのＵＥによって、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定することは、  第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することを含む。
【００１１】  実現可能な設計では、第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することの後、その方法は、  ＵＥによって、関連関係に基づいて、Ｍ個の第２の参照信号リソースを決定することであって、関連関係は、Ｍ個の第１の参照信号リソースとＭ個の第２の参照信号リソースの間の関連関係である、決定することと、  ＵＥによって、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することと、  ＵＥによって、ＰＭＩ、ＣＱＩ、チャネル共分散行列、またはチャネル固有ベクトルのうちの少なくとも１つを基地局に報告することと、をさらに含む。
【００１２】  実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００１３】  実現可能な設計では、第１のフィードバック・モードのＵＥによって、Ｎ個の第１の参照信号リソースに基づいて直近に報告されたＲＩを決定し、直近に報告されたＲＩに基づいてＭ個の第１の参照信号リソース表示情報を決定することは、  第１のフィードバック・モードのＵＥによって、Ｎ個の第１の参照信号リソースに基づいて直近に報告されたＲＩを決定し、直近に報告されたＲＩに基づいて対応表を照会して、Ｍ個の第１の参照信号リソース表示情報を決定することであって、対応表は、ＲＩとＭの間に存在する対応を記憶する、決定することを含む。
【００１４】  実現可能な設計では、フィードバック・モードは、第２のフィードバック・モードを含み、  ＵＥによって、フィードバック・モードに基づいてチャネル状態表示ＣＳＩおよびＭ個の第１の参照信号リソース表示情報を決定することは、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定することを含む。
【００１５】  実現可能な設計では、Ｍ個の第１の参照信号リソース表示情報は、ＵＥがＣＳＩを決定する前に直近に報告されたＭ個の第１の参照信号リソース表示情報である。
【００１６】  実現可能な設計では、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定することは、  第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定することを含む。
【００１７】  実現可能な設計では、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定することの後、その方法は、  ＵＥによって、関連関係に基づいて、Ｍ個の第２の参照信号リソースを決定することであって、関連関係は、Ｍ個の第１の参照信号リソースとＭ個の第２の参照信号リソースの間の関連関係である、決定することと、  ＵＥによって、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定することと、  ＵＥによって、ＰＭＩ、ＣＱＩ、チャネル共分散行列、またはチャネル固有ベクトルのうちの少なくとも１つを基地局へ報告することと、をさらに含む。
【００１８】  実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００１９】  実現可能な設計では、ＵＥによって、ＰＭＩまたはＣＱＩのうちの少なくとも１つを基地局へ報告することは、  ＵＥによって、直近に報告されたＲＩおよびＭ個の第２の参照信号リソースに基づいてＭセットのＣＳＩを決定することであって、ＭセットのＣＳＩの各々は、ＰＭＩ、ＣＱＩ、チャネル共分散行列、またはチャネル固有ベクトルのうちの少なくとも１つを含む、決定することと、  ＵＥによって、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、結合することと、  ＵＥによって、ターゲットＰＭＩの基底ベクトル、ポート・インデックス、または結合係数を基地局に報告することで、基地局がターゲットＰＭＩの基底ベクトル、ポート・インデックス、または結合係数に基づいてターゲットＰＭＩを決定し、ターゲットＰＭＩに基づいてターゲットＣＱＩを取得するようにする、報告することと、を含む。
【００２０】  実現可能な設計では、その方法は、  ＵＥによって、上位層シグナリングまたは動的シグナリングを使用することにより、基地局によって設定されたフィードバック・モードを受信することをさらに含む。
【００２１】  実現可能な設計では、その方法は、  ＵＥによって、フィードバック・モードを基地局にフィードバックすることをさらに含む。
【００２２】  第２の態様によれば、この出願は、  基地局によって、Ｎ個の第１の参照信号リソースを設定し、Ｎ個の第１の参照信号リソースの各々は少なくとも１つのポートを含み、Ｎは２以上の整数である、設定することと、  基地局によって、Ｎ個の第１の参照信号リソースをユーザ機器ＵＥに送信することと、  基地局によって、フィードバック・モードに基づいてＵＥによって報告されたチャネル状態表示ＣＳＩおよびＭ個の第１の参照信号リソース表示情報を受信することであって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、受信することと、を含み、  Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、チャネル状態情報フィードバック方法を提供する。
【００２３】  実現可能な設計では、フィードバック・モードは、第１のフィードバック・モードを含み、基地局によって、フィードバック・モードに基づいてＵＥによって報告されたチャネル状態表示ＣＳＩおよびＭ個の第１の参照信号リソース表示情報を受信することは、  第１のフィードバック・モードの基地局によって、ＣＳＩ内の少なくとも１つの要素に基づいてＵＥによって決定されたＭ個の第１の参照信号リソース表示情報を受信することであって、ＣＳＩ内の少なくとも１つの要素は、Ｎ個の第１の参照信号リソースに基づいてＵＥによって決定されている、受信することを含む。
【００２４】  実現可能な設計では、ＣＳＩ内の少なくとも１つの要素は、ＵＥがＭ個の第１の参照信号リソース表示情報を決定する前に直近に報告されたＲＩであり、第１のフィードバック・モードの基地局によって、ＣＳＩ内の少なくとも１つの要素に基づいてＵＥによって決定されたＭ個の第１の参照信号リソース表示情報を受信することは、  第１のフィードバック・モードの基地局によって、直近に報告されたＲＩに基づいてＵＥによって決定されたＭ個の第１の参照信号リソース表示情報を受信することであって、直近に報告されたＲＩは、Ｎ個の第１の参照信号リソースに基づいてＵＥによって決定されている、受信することを含む。
【００２５】  実現可能な設計では、第１のフィードバック・モードの基地局によって、直近に報告されたＲＩに基づいてＵＥによって決定されたＭ個の第１の参照信号リソース表示情報を受信することの後、その方法は、  基地局によって、ＵＥによって報告されたＰＭＩ、ＣＱＩ、チャネル共分散行列、またはチャネル固有ベクトルのうちの少なくとも１つを受信することであって、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは関連関係に基づいて決定され、関連関係は、Ｍ個の第１の参照信号リソースとＭ個の第２の参照信号リソースの間の関連関係である、受信することをさらに含む。
【００２６】  実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００２７】  実現可能な設計では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定されており、対応表は、ＲＩとＭの間に存在する対応を記憶する。
【００２８】  実現可能な設計では、フィードバック・モードは、第２のフィードバック・モードを含み、  基地局によって、フィードバック・モードに基づいてＵＥによって報告されたチャネル状態表示ＣＳＩおよびＭ個の第１の参照信号リソース表示情報を受信することは、  第２のフィードバック・モードの基地局によって、Ｍ個の第１の参照信号リソース表示情報に基づいてＵＥによって決定されたＣＳＩを受信することであって、Ｍ個の第１の参照信号リソース表示情報はＮ個の第１の参照信号リソースに基づいてＵＥによって決定されている、受信することを含む。
【００２９】  実現可能な設計では、Ｍ個の第１の参照信号リソース表示情報は、ＵＥがＣＳＩを決定する前に直近に報告されたＭ個の第１の参照信号リソース表示情報である。
【００３０】  実現可能な設計では、第２のフィードバック・モードの基地局によって、Ｍ個の第１の参照信号リソース表示情報に基づいてＵＥによって決定されたＣＳＩを受信することは、  基地局によって、Ｍ個の第１の参照信号リソースに基づいてＵＥによって決定されたＲＩを受信することを含む。
【００３１】  実現可能な設計では、基地局によって、Ｍ個の第１の参照信号リソースに基づいてＵＥによって決定されたＲＩを受信することの後、その方法は、  基地局によって、ＵＥによって報告されたＰＭＩ、ＣＱＩ、チャネル共分散行列、またはチャネル固有ベクトルのうちの少なくとも１つを受信することであって、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である、受信することをさらに含む。
【００３２】  実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００３３】  実現可能な設計では、基地局によって、ＵＥによって報告されたＰＭＩ、ＣＱＩ、チャネル共分散行列、またはチャネル固有ベクトルのうちの少なくとも１つを受信することは、  基地局によって、ＵＥによって報告されたターゲットＣＳＩを受信することであって、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得されており、ＭセットのＣＳＩは、直近に報告されたＲＩおよびＭ個の第２の参照信号リソースに基づいてＵＥによって決定されている、受信することを含む。
【００３４】  実現可能な設計では、その方法は、  基地局によって、上位層シグナリングまたは動的シグナリングをＵＥに送信することであって、上位層シグナリングまたは動的シグナリングは、フィードバック・モードを搬送する、送信することをさらに含む。
【００３５】  実現可能な設計では、その方法は、  その後、ＵＥによってフィードバックされたフィードバック・モードを受信することをさらに含む。
【００３６】  第３の態様によれば、この出願は、  基地局によって設定されたＮ個の第１の参照信号リソースを受信するように構成されている受信モジュールであって、Ｎ個の第１の参照信号リソースの各々が少なくとも１つのポートを含み、Ｎは２以上の整数である、受信モジュールと、  フィードバック・モードに基づいて、チャネル状態表示ＣＳＩおよびＭ個の第１の参照信号リソース表示情報を決定するように構成されている処理モジュールであって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュールと、  ＣＳＩおよびＭ個の第１の参照信号リソース表示情報を基地局に報告するように構成されている送信モジュールと、を含み、  Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、ユーザ機器。
【００３７】  実現可能な設計では、フィードバック・モードは第１のフィードバック・モードを含み、  処理モジュールは、具体的には、第１のフィードバック・モードにおいて、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定するように構成されている。
【００３８】  実現可能な設計では、ＣＳＩ内の少なくとも１つの要素は、ＵＥがＭ個の第１の参照信号リソース表示情報を決定する前に直近に報告されたＲＩであり、処理モジュールは、具体的には、第１のフィードバック・モードにおいて、Ｎ個の第１の参照信号リソースに基づいて直近に報告されたＲＩを決定し、直近に報告されたＲＩに基づいてＭ個の第１の参照信号リソース表示情報を決定するように構成されている。
【００３９】  実現可能な設計では、処理モジュールは、関連関係に基づいて、Ｍ個の第２の参照信号リソースを決定することであって、関連関係は、Ｍ個の第１の参照信号リソースとＭ個の第２の参照信号リソースの間の関連関係である、決定することと、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することとをするようにさらに構成されており、  送信モジュールは、ＰＭＩ、ＣＱＩ、チャネル共分散行列、またはチャネル固有ベクトルのうちの少なくとも１つを基地局に報告するようにさらに構成されている。
【００４０】  実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００４１】  実現可能な設計では、Ｎ個の第１の参照信号リソースに基づいて直近に報告されたＲＩを決定し、直近に報告されたＲＩに基づいてＭ個の第１の参照信号リソース表示情報を決定する場合、処理モジュールは、具体的には、第１のフィードバック・モードにおいて、Ｎ個の第１の参照信号リソースに基づいて直近に報告されたＲＩを決定し、直近に報告されたＲＩに基づいて対応表を照会して、Ｍ個の第１の参照信号リソース表示情報を決定するように構成されており、対応表は、ＲＩとＭの間に存在する対応を記憶する。
【００４２】  実現可能な設計では、フィードバック・モードは、第２のフィードバック・モードを含み、処理モジュールは、具体的には、第２のフィードバック・モードのＵＥによって、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩを決定するように構成されている。
【００４３】  実現可能な設計では、Ｍ個の第１の参照信号リソース表示情報は、ＵＥがＣＳＩを決定する前に直近に報告されたＭ個の第１の参照信号リソース表示情報である。
【００４４】  実現可能な設計では、処理モジュールは、具体的には、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定するように構成されている。
【００４５】  実現可能な設計では、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、処理モジュールは、関連関係に基づいてＭ個の第２の参照信号リソースを決定することであって、関連関係は、Ｍ個の第１の参照信号リソースとＭ個の第２の参照信号リソースの間の関連関係である、決定することをし、Ｍ個の第２の参照信号リソースとＲＩとに基づいて、ＣＳＩ内のＰＭＩ、ＣＱＩ、チャネル共分散行列、またはチャネル固有ベクトルのうちの少なくとも１つを決定するようにさらに構成されており、  送信モジュールは、ＰＭＩ、ＣＱＩ、チャネル共分散行列、またはチャネル固有ベクトルのうちの少なくとも１つを基地局に報告するようにさらに構成されている。
【００４６】  実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００４７】  実現可能な設計では、処理モジュールは、直近に報告されたＲＩおよびＭ個の第２の参照信号リソースに基づいてＭセットのＣＳＩを決定することであって、ＭセットのＣＳＩの各々は、ＰＭＩ、ＣＱＩ、チャネル共分散行列、またはチャネル固有ベクトルのうちの少なくとも１つを含む、決定することをし、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、結合することをするようにさらに構成されており、  送信モジュールは、具体的には、ターゲットＰＭＩの基底ベクトル、ポート・インデックス、または結合係数を基地局に報告して、基地局が、ターゲットＰＭＩの基底ベクトル、ポート・インデックス、または結合係数に基づいてターゲットＰＭＩを決定し、ターゲットＰＭＩに基づいてターゲットＣＱＩを取得するように構成されている。
【００４８】  実現可能な設計では、受信モジュールは、上位層シグナリングまたは動的シグナリングを使用することによって、基地局によって設定されたフィードバック・モードを受信するようにさらに構成されている。
【００４９】  実現可能な設計では、送信モジュールは、フィードバック・モードを基地局にフィードバックするようにさらに構成されている。
【００５０】  第４の態様によれば、この出願は、  Ｎ個の第１の参照信号リソースを設定するように構成されている処理モジュールであって、Ｎ個の第１の参照信号リソースの各々が少なくとも１つのポートを含み、Ｎは２以上の整数である、処理モジュールと、  Ｎ個の第１の参照信号リソースをユーザ機器ＵＥに送信するように構成されている送信モジュールと、  フィードバック・モードに基づいてＵＥによって報告されたチャネル状態表示ＣＳＩおよびＭ個の第１の参照信号リソース表示情報を受信するように構成されている受信モジュールであって、フィードバック・モードはＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルのうちの少なくとも１つを含む、受信モジュールと、を含み、  Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である、基地局を提供する。
【００５１】  実現可能な設計では、フィードバック・モードは第１のフィードバック・モードを含み、  受信モジュールは、具体的には、第１のフィードバック・モードにおいて、ＣＳＩ内の少なくとも１つの要素に基づいてＵＥによって決定されたＭ個の第１の参照信号リソース表示情報を受信するように構成されており、ＣＳＩ内の少なくとも１つの要素は、Ｎ個の第１の参照信号リソースに基づいてＵＥによって決定されている。
【００５２】  実現可能な設計では、ＣＳＩ内の少なくとも１つの要素は、ＵＥがＭ個の第１の参照信号リソース表示情報を決定する前に直近に報告されたＲＩであり、受信モジュールは、具体的には、第１のフィードバック・モードにおいて、直近に報告されたＲＩに基づいてＵＥによって決定されたＭ個の第１の参照信号リソース表示情報を受信するように構成されており、直近に報告されたＲＩは、Ｎ個の第１の参照信号リソースに基づいてＵＥによって決定されている。
【００５３】  実現可能な設計では、第１のフィードバック・モードにおいて、直近に報告されたＲＩに基づいてＵＥによって決定されたＭ個の第１の参照信号リソース表示情報を受信した後、受信モジュールは、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは、関連関係に基づいて決定され、関連関係は、Ｍ個の第１の参照信号リソースとＭ個の第２の参照信号リソースの間の関連関係である。
【００５４】  実現可能な設計では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００５５】  実現可能な設計では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定され、対応表は、ＲＩとＭの間に存在する対応を記憶する。
【００５６】  実現可能な設計では、フィードバック・モードは、第２のフィードバック・モードを含み、  受信モジュールは、具体的には、第２のフィードバック・モードにおいて、Ｍ個の第１の参照信号リソース表示情報に基づいてＵＥによって決定されたＣＳＩを受信するように構成されており、Ｍ個の第１の参照信号リソース表示情報は、Ｎ個の第１の参照信号リソースに基づいてＵＥによって決定されている。
【００５７】  実現可能な設計では、Ｍ個の第１の参照信号リソース表示情報は、ＵＥがＣＳＩを決定する前に直近に報告されたＭ個の第１の参照信号リソース表示情報である。
【００５８】  実現可能な設計では、受信モジュールは、具体的には、第２のフィードバック・モードにおいて、Ｍ個の第１の参照信号リソースに基づいてＵＥによって決定されたＲＩを受信するように構成されている。
【００５９】  実現可能な設計では、Ｍ個の第１の参照信号リソースに基づいてＵＥによって決定されたＲＩを受信した後、受信モジュールは、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である。
【００６０】  実現可能な設計では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【００６１】  実現可能な設計では、受信モジュールは、具体的には、ＵＥによって報告されたターゲットＣＳＩを受信するように構成されており、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得され、ＭセットのＣＳＩは、直近に報告されたＲＩおよびＭ個の第２の参照信号リソースに基づいてＵＥによって決定されている。
【００６２】  実現可能な設計では、送信モジュールは、上位層シグナリングまたは動的シグナリングをＵＥに送信するようにさらに構成されており、上位層シグナリングまたは動的シグナリングがフィードバック・モードを搬送する。
【００６３】  実現可能な設計では、受信モジュールは、ＵＥによってフィードバックされたフィードバック・モードを受信するようにさらに構成されている。
【００６４】  第５の態様によれば、この出願は、プロセッサ、メモリ、通信インタフェース、およびシステム・バスを含むユーザ機器を提供し、メモリおよび通信インタフェースは、システム・バスを使用することによって、プロセッサに接続され、プロセッサと通信し、メモリは、コンピュータ実行可能命令を記憶するように構成されており、通信インタフェースは、別の装置と通信するように構成されており、プロセッサは、コンピュータ実行可能命令を実行するように構成されており、ユーザ機器が、ユーザ機器に適用される方法の各ステップを実行するようにする。
【００６５】  第６の態様によれば、この出願は、プロセッサ、メモリ、通信インタフェース、およびシステム・バスを含む基地局を提供し、メモリおよび通信インタフェースは、システム・バスを使用することによって、プロセッサに接続され、プロセッサと通信し、メモリは、コンピュータ実行可能命令を記憶するように構成されており、通信インタフェースは、別の装置と通信するように構成されており、プロセッサは、コンピュータ実行可能命令を実行するように構成されており、基地局が、基地局に適用される方法の各ステップを実行するようにする。
【００６６】  第７の態様によれば、この出願は、前述のユーザ機器によって使用されるコンピュータ・ソフトウェア命令を記憶するように構成されているコンピュータ記憶媒体を提供し、コンピュータ・ソフトウェア命令は、第１の態様または第１の態様の実現可能な各実施態様を実行するように設計されたプログラムを含む。
【００６７】  第８の態様によれば、この出願は、前述の基地局によって使用されるコンピュータ・ソフトウェア命令を記憶するように構成されているコンピュータ記憶媒体を提供し、コンピュータ・ソフトウェア命令は、第２の態様または第２の態様の実現可能な各実施態様を実行するように設計されたプログラムを含む。
【００６８】  第９の態様によれば、この出願は、少なくとも１つのプロセッサ、メモリ、入出力部、およびバスを含むチップシステムを提供し、少なくとも１つのプロセッサは、バスを使用することによって、メモリ内の命令を取得して、前述の方法におけるユーザ機器の設計された機能を実現する。
【００６９】  第１０の態様によれば、この出願は、少なくとも１つのプロセッサ、メモリ、入出力部、およびバスを含むチップシステムを提供し、少なくとも１つのプロセッサは、バスを使用することによってメモリ内の命令を取得して、前述の方法における基地局の設計された機能を実現する。
【００７０】  第１１の態様によれば、この出願は、メモリおよびプロセッサを含むユーザ機器を提供し、メモリは、プログラム命令を記憶するように構成されており、プロセッサは、前述の方法の実施形態においてユーザ機器の機能を実現するために、メモリ内のプログラム命令を呼び出すように構成されている。
【００７１】  第１２の態様によれば、この出願は、メモリおよびプロセッサを含む基地局を提供し、メモリは、プログラム命令を記憶するように構成されており、プロセッサは、前述の方法の実施形態において基地局の機能を実現するために、メモリ内のプログラム命令を呼び出すように構成されている。
【００７２】  この出願によって提供されるチャネル状態情報フィードバック方法、ユーザ機器、および基地局により、基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号リソース表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩ及びＭ個の第１の参照信号リソース表示情報を基地局にフィードバックして、基地局が、第１の参照信号リソース表示情報に基づいて、垂直次元におけるチャネル状態情報を決定し、最終的に、２次元のチャネル状態情報を取得するようにする。これは、従来のチャネル推定では水平次元におけるチャネル状態情報のみがフィードバックされるという欠点を克服する。
【図面の簡単な説明】
【００７３】
【図１】この出願によるチャネル状態情報フィードバック方法が適用可能なシステム・アーキテクチャの概略図である。
【図２】この出願による冗長バージョン生成方法の信号図である。
【図３Ａ】この出願によるチャネル状態情報フィードバック方法の実施形態２の概略図である。
【図３Ｂ】この出願によるチャネル状態情報フィードバック方法の実施形態２の別の概略図である。
【図４Ａ】この出願によるチャネル状態情報フィードバック方法において参照信号リソースを送信する方法の概略図である。
【図４Ｂ】この出願によるチャネル状態情報フィードバック方法において参照信号リソースを送信する方法の別の概略図である。
【図５Ａ】この出願によるチャネル状態情報フィードバック方法において第１の参照信号リソースと第２の参照信号リソースの間の関連関係の概略図である。
【図５Ｂ】この出願によるチャネル状態情報フィードバック方法において第１の参照信号リソースと第２の参照信号リソースの間の別の関連関係の概略図である。
【図６】この出願によるユーザ機器の実施形態１の概略構造図である。
【図７】この出願による基地局の実施形態１の概略構造図である。
【図８】この出願によるユーザ機器の実施形態２の概略構造図である。
【図９】この出願による基地局の実施形態２の概略構造図である。
【発明を実施するための形態】
【００７４】  図１は、この出願によるチャネル状態情報フィードバック方法が適用可能なシステム・アーキテクチャの概略図である。図１を参照すると、システム・アーキテクチャにおいては、少なくとも１つの基地局および少なくとも１つのユーザ機器が存在する。基地局とユーザ機器の間に通信接続が確立される。基地局は、移動通信用グローバルシステム（Global  System  for  Mobile  Communications、ＧＳＭ（登録商標））または広帯域符号分割多元接続（Wideband  Code  Division  Multiple  Access、ＷＣＤＭＡ（登録商標））における基地局（Base  Transceiver  Station、ＢＴＳ）、ＷＣＤＭＡにおける基地局（ＮｏｄｅＢ）、ロング・ターム・エボリューション（Long  Term  Evolution、ＬＴＥ）における発展型ＮｏｄｅＢ（evolutional  NodeB、ｅＮＢ）、または第５世代移動通信（the  5th  Generation  Mobile  Communication、５Ｇ）における基地局とすることができる。これは、この出願においては限定されない。
【００７５】  ＵＥは、有線端末または無線端末とすることができる。無線端末は、音声および／またはデータ接続性をユーザに提供する装置、無線接続機能を備えたハンドヘルド装置、または無線モデムに接続された別の処理装置とすることができる。無線端末は、無線アクセスネットワークを介して１つ以上のコアネットワークと通信することができる。無線端末は、携帯電話（または「セルラ」電話と呼ばれる）のような移動端末、および移動端末を備えたコンピュータ、例えば、無線アクセスネットワークと音声および／またはデータを交換するポータブル、ポケットサイズ、ハンドヘルド、コンピュータ内蔵、または車載の移動装置とすることができる。別の例としては、パーソナル通信サービス（Personal  Communications  Service、ＰＣＳ）電話、コードレス電話機、無線ローカル・ループ（Wireless  Local  Loop、ＷＬＬ）ステーション、パーソナル・デジタル・アシスタント（personal  Digital  Assistant、ＰＤＡ）等の装置とすることができる。無線端末は、システム、加入者ユニット（Subscriber  Unit）、加入者ステーション（Subscriber  Station）、移動局（Mobile  Station）、モバイル（Mobile）、遠隔局（Remote  Station）、遠隔端末（Remote  Terminal）、アクセス端末（Access  Terminal）、ユーザ端末（User  Terminal）、ユーザ・エージェント（User  Agent）、ユーザ装置（User  Device）、ユーザ機器（User  Equipment）等とも呼ばれ得る。
【００７６】  図２は、この出願による冗長バージョン生成方法の信号図である。この実施形態は、以下のステップを含む。
【００７７】  １０１．  ユーザ機器ＵＥは、基地局によって設定されたＮ個の第１の参照信号リソースを受信し、Ｎ個の第１の参照信号リソースの各々は、少なくとも１つのポートを含み、Ｎは、２以上の整数である。
【００７８】  このステップでは、基地局は、ＵＥに対してＮ個の第１の参照信号リソース、例えば、Ｎ個のチャネル状態情報参照信号（Channel  State  Information-Reference  Signal、ＣＳＩ−ＲＳ）リソースを設定する。
【００７９】  １０２．  基地局は、Ｎ個の第１の参照信号リソースをユーザ機器ＵＥに送信する。
【００８０】  Ｎ個の参照信号リソースを設定した後、基地局は、Ｎ個の参照信号リソースをＵＥに送信し、これに対応して、ＵＥは、基地局によって設定されたＮ個の参照信号リソースを受信する。
【００８１】  １０３．  ＵＥは、フィードバック・モードに基づいて、チャネル状態表示ＣＳＩおよびＭ個の第１の参照信号リソース表示情報を決定する。
【００８２】  Ｎ個の第１の参照信号リソースを受信した後、ＵＥは、フィードバック・モードに基づいて、Ｎ個の第１の参照信号リソースのチャネル状態表示（Channel  State  Information、ＣＳＩ）およびＭ個の第１の参照信号リソース表示情報を決定し、Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。例えば、Ｎ個の第１の参照信号が、具体的には、それぞれインデックスが１から１０である１０個の第１の参照信号リソースであり、Ｍ個の第１の参照信号リソースは、１０個の第１の参照信号リソースのうちの番号１の第１の参照信号リソースおよび番号３の第１の参照信号リソースであり、番号１の第１の参照信号リソースの品質は、１０デシベル（ｄＢ）であり、番号３の第１の参照信号リソースの品質は、８ｄＢである。この場合、Ｍ個の第１の参照信号リソース表示情報は、第１の数の参照信号リソース表示情報と、第３の数の参照信号リソース表示情報とを含み、ここで、第１の数の参照信号リソース表示情報は、インデックスが１で品質が１０ｄＢである第１の参照信号リソースを示すために使用され、第３の数の参照信号リソース表示情報は、インデックスが３で品質が８ｄＢである第１の参照信号リソースを示すために使用される。
【００８３】  ＣＳＩは、以下の要素のうちの少なくとも１つを含む。すなわち、チャネル品質インジケータ（Channel  Quality  Indicator、ＣＱＩ）、プリコーディング行列インジケータ（Precoding  Matrix  Indicator、ＰＭＩ）、ランク・インジケータ（Rank  Indication、ＲＩ）、チャネル共分散行列、チャネル固有ベクトル等である。フィードバック・モードは、ＣＳＩ内の各要素およびＭ個の第１の参照信号リソース表示情報を決定する順序を示す。特定の実現形態では、異なるフィードバック・モードに応じて、ＣＳＩ内の各要素およびＭ個の第１の参照信号リソース表示情報を決定する順序が変化する。例えば、基地局側でのチャネルの角度が比較的大きい場合、ＵＥは、まず、Ｎ個の測定参照信号リソースに基づいてＣＳＩ内のＲＩを決定し、次いで、ＲＩに基づいてＭ個の第１の参照信号リソース表示情報を決定し、次いで、ＲＩおよびＭ個の第１の参照信号リソース表示情報に基づいて、ＰＭＩ、ＣＱＩ、チャネル共分散行列、およびチャネル固有ベクトルのうちの少なくとも１つを決定する。別の例では、基地局側でのチャネルの角度が比較的小さい場合、ＵＥは、まず、Ｎ個の第１の参照信号リソースに基づいてＭ個の第１の参照信号リソース表示情報を決定し、次いで、Ｍ個の第１の参照信号リソース表示情報によって示されるＭ個の第１の参照信号リソースに基づいてＣＳＩ内のＲＩを決定し、次いで、決定されたＲＩおよびＭ個の第１の参照信号リソース表示情報によって示されるＭ個の第１の参照信号リソースに基づいて、ＰＭＩ、ＣＱＩ、チャネル共分散行列、およびチャネル固有ベクトルのうちの少なくとも１つを決定する。別の例としては、ＵＥは、まず、ＣＳＩ内のすべての要素を決定し、次いで、すべての要素に基づいて、Ｍ個の第１の参照信号リソース表示情報を決定する。別の例としては、ＵＥは、まず、Ｍ個の第１の参照信号リソース表示情報を決定し、次いで、Ｍ個の第１の参照信号リソース表示情報によって示されるＭ個の第１の参照信号リソースに基づいて、ＣＳＩ内のすべての要素を決定する。
【００８４】  １０４．  ＵＥは、ＣＳＩおよびＭ個の第１の参照信号リソース表示情報を基地局に報告する。
【００８５】  ＣＳＩおよびＭ個の参照信号リソース表示情報を決定した後、ＵＥはＣＳＩおよびＭ個の参照信号リソースを基地局にフィードバックする。
【００８６】  この出願によって提供されるチャネル状態情報フィードバック方法では、基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号リソース表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩおよびＭ個の第１の参照信号リソース表示情報を基地局にフィードバックし、基地局は、第１の参照信号リソース表示情報に基づいて垂直次元におけるチャネル状態情報を決定し、最終的に、２次元のチャネル状態情報を取得する。これは、従来のチャネル推定では水平次元におけるチャネル状態情報のみがフィードバックされるという欠点を克服する。
【００８７】  任意で、フィードバック・モードは、第１のフィードバック・モードまたは第２のフィードバック・モードを含み、第１のフィードバック・モードでは、ＵＥは、ＣＳＩ内の少なくとも１つの要素に基づいてＭ個の第１の参照信号リソース表示情報を決定し、第２のフィードバック・モードでは、ＵＥは、Ｍ個の第１の参照信号リソース表示情報に基づいてＣＳＩを決定する。以下では、第１のフィードバック・モードおよび第２のフィードバック・モードを別々に詳細に説明する。
【００８８】  まず、第１のフィードバック・モードについて説明する。
【００８９】  第１のフィードバック・モードでは、ＵＥは、Ｎ個の第１の参照信号リソースに基づいてＣＳＩ内の少なくとも１つの要素を決定し、ＣＳＩ内の少なくとも１つの要素に基づいてＭ個の第１の参照信号リソース表示情報を決定し、少なくとも１つの要素は、例えば、ＲＩ、ＰＭＩ、ＣＱＩ、チャネル共分散行列、およびチャネル固有ベクトルである。以下では、少なくとも１つの要素が、具体的には、ＵＥがＭ個の第１の参照信号リソース表示情報を決定する前に直近に報告されたＲＩである例を使用して、第１のフィードバック・モードを詳細に説明する。具体的には、図３Ａは、この出願によるチャネル状態情報フィードバック方法の実施形態２の概略図である。
【００９０】  図３Ａを参照すると、ＡＡＳアンテナアレイは、例えば、（図に  ［外１］2020506586.tif 000018
によって示されるように）２×２アンテナアレイであり、ビームフォーミングは、水平次元および垂直次元の両方で行われ得る。垂直次元におけるビームフォーミングでは、ＡＡＳアンテナアレイは、垂直次元において異なるビーム（beam）を形成することができる。基地局によって設定されるＮ個の第１の参照信号リソースのインデックスは、順に１〜５であり、５個の第１の参照信号リソースは、図においてスラッシュ、グリッド、水平線、垂直線、および点で満たされた１〜５で示される。各参照信号リソースは１つのリソースポート（port）に対応し、異なる第１の参照信号リソースは異なる方向のビームに対応し、異なるビームは異なるビーム識別子（Beam  ID）を有する。具体的には、第１の参照信号リソース表示情報の各々よって示されるインデックスは、固有のビームＩＤに対応する。第１のフィードバック・モードでは、ＵＥは、Ｎ個の第１の参照信号リソースに基づいて直近に報告されたＲＩを決定し、直近に報告されたＲＩに基づいて対応表を照会して、Ｍ個の第１の参照信号リソース表示情報を決定し、対応表は、ＲＩとＭの間に存在する対応を記憶する。例えば、ＲＩが１〜２である場合、Ｍは２であり、あるいはＲＩが３〜４である場合、Ｍが４である。
【００９１】  第１のフィードバック・モードでは、Ｍ個の第１の参照信号リソース表示情報がＭ個のインデックスに対応するＭ個のビーム識別子（ビームＩＤ）であり、ＵＥがＭ個の第１の参照信号リソース表示情報を決定する前に直近に報告されたＣＳＩがＲＩであると仮定として、図において「(1)ＲＩ」で示すように、ＵＥは「(1)ＲＩ」に基づいて「(2)ビームＩＤ」を決定し、「(2)ビームＩＤ」は、インデックス１およびインデックス３に対応するビームのビーム識別子である。ＵＥが「(2)ビームＩＤ」を決定した後に直近に報告されたＣＳＩが、ＲＩが変更していないものである場合、ＵＥが「(5)ビームＩＤ」を決定するとき、「(5)ビームＩＤ」は依然として「(1)ＲＩ」に基づき決定される。ただし、ＵＥがＣＳＩ内のＰＭＩまたはＣＱＩに基づいてＭ個の参照信号リソース表示情報を決定する場合、ＵＥは「(5)ビームＩＤ」を決定するとき、「(5)ビームＩＤ」は「(4)ＰＭＩ／ＣＱＩ」に基づいて決定される。
【００９２】  さらに、第１のフィードバック・モードでは、ＵＥがＮ個の第１の参照信号リソースに基づいて直近に報告されたＲＩを決定し、直近に報告されたＲＩに基づいてＭ個の第１の参照信号リソース表示情報を決定した後、ＵＥは、さらに、関連関係に基づいてＭ個の第２の参照信号リソースを決定し、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することができ、次いで、ＵＥは、ＰＭＩ、ＣＱＩ、チャネル共分散行列、またはチャネル固有ベクトルのうちの少なくとも１つを基地局に報告する。関連関係は、Ｍ個の第１の参照信号リソースとＭ個の第２の参照信号リソースの間の関連関係である。
【００９３】  具体的には、さらに図３Ａを参照し、ＰＭＩ／ＣＱＩの決定を例にとると、ＵＥは、「(1)ＲＩ」に基づいて「(2)ビームＩＤ」を決定した後、「(2)ビームＩＤ」および関連関係に基づいてＭ個の第２の参照信号リソースを決定し、Ｍ個の第２の参照信号リソースは図に示されていないが、Ｍ個の第２の参照信号リソースに基づいてＰＭＩ、ＣＱＩ、チャネル共分散行列、またはチャネル固有ベクトルのうちの少なくとも１つを決定し、次いで、その少なくとも１つを基地局に報告する。例えば、Ｎ個の第１の参照信号リソースの各々は、２つのポートを含み、その２つのポートに対応するビームの方向が同じであり、Ｎ個の第１の参照信号リソースがそれぞれビームＢ１〜Ｂ１０に対応し、Ｎ個の第１の参照信号リソースに対応するインデックス（index）がそれぞれインデックス１からインデックス１０であり、Ｍ個の第１の参照信号リソースは、インデックスがインデックス１およびインデックス３である第１の参照信号リソースである。関連関係は、第１の参照信号リソースおよび第２の参照信号リソースがそれぞれ異なる参照信号リソースセットに属し、第１の参照信号リソースおよび第２の参照信号リソースのインデックス間に対応が存在することを示す。例えば、第１の参照信号リソースのインデックスは、第２の参照信号リソースのインデックスと同じであるか、あるいは第２の参照信号リソースのインデックスは、第１の参照信号リソースのインデックスを１の値だけオフセットすることによって取得される。
【００９４】  例えば、第１の参照信号リソースのインデックスは、第２の参照信号リソースのインデックスと同じである。ビームＢ１〜Ｂ１０に対応して、１０個の第２の参照信号リソースが存在し、それらインデックスがそれぞれインデックス１´〜インデックス１０´であり、各第２の参照信号リソースが８つのポートを有すると仮定する。この場合、ＵＥが、直近に報告されたＲＩに基づいて、Ｍ個の第１の参照信号リソースはインデックスがインデックス１およびインデックス３である第１の参照信号リソースであると決定した後、ＵＥは、関連関係に基づいて、インデックスがインデックス１´およびインデックス３´であるＭ個の第２の参照信号リソースを決定し、インデックスがインデックス１´およびインデックス３´であるＭ個の第２の参照信号リソースに基づいて、ＰＭＩ、ＣＱＩ、チャネル共分散行列、またはチャネル固有ベクトルのうちの少なくとも１つを決定する。
【００９５】  さらに図３Ａを参照すると、ＲＩのフィードバック期間は第１のフィードバック期間であり、第１の参照信号リソース表示情報（すなわち、ビームＩＤ）のフィードバック期間は第２のフィードバック期間であり、ＰＭＩ／ＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【００９６】  次に、第２のフィードバック・モードである。
【００９７】  第２のフィードバック・モードでは、ＵＥは、Ｎ個の第１の参照信号リソースに基づいてＭ個の第１の参照信号リソース表示情報を決定し、Ｍ個の第１の参照信号リソース表示情報に基づいてＣＳＩを決定し、ＣＳＩは、例えば、ＲＩ、ＰＭＩ、ＣＱＩ、チャネル共分散行列、およびチャネル固有ベクトルである。以下では、ＵＥが、Ｎ個の第１の参照信号リソースに基づいてＭ個の第１の参照信号リソース表示情報を決定し、Ｍ個の第１の参照信号リソース表示情報に基づいてＲＩを決定する例を使用して、第２のフィードバック・モードを詳細に説明する。具体的には、図３Ｂは、この出願によるチャネル状態情報フィードバック方法の実施形態２の別の概略図である。
【００９８】  図３Ｂを参照すると、ＡＡＳアンテナアレイは、例えば、（図に  ［外２］2020506586.tif 000019
によって示されるように）２×２アンテナアレイであり、ビームフォーミングは、水平次元および垂直次元の両方で行われ得る。垂直次元におけるビームフォーミングでは、ＡＡＳアンテナアレイは、垂直次元において異なるビーム（beam）を形成することができる。ＵＥは、直近に、３個の第１の参照信号リソース表示情報を報告し、３個の第１の参照信号リソース表示情報のインデックスは、インデックスが順に１〜３である参照信号リソースであることを示し、３個の第１の参照信号リソースは、図においてスラッシュ、グリッド、水平線で満たされた１〜３で示される。各第１の参照信号リソースは１つのリソースポート（port）に対応し、異なる第１の参照信号リソースは異なる方向のビームに対応し、異なるビームは異なるビーム識別子（Beam  ID）を有する。具体的には、第１の参照信号リソース表示情報の各々によって示されるインデックスは、固有のビームＩＤに対応する。
【００９９】  第２のフィードバック・モードでは、ＣＳＩが、具体的には、ＲＩであり、ＵＥがＲＩを決定する前に直近に報告されたＭ個の第１の参照信号リソース表示情報が「(1)ビームＩＤ」であり、「(1)ビームＩＤ」は、インデックスが３であるポートに対応するビーム識別子であると仮定すると、ＵＥは「(1)ビームＩＤ」に基づいて「(2)ＲＩ」を決定する。ＵＥが「(2)ＲＩ」を決定した後にＵＥによって報告されたビームＩＤが変化していない場合、ＵＥは「(5)ＲＩ」を決定するとき、依然として「(1)ビームＩＤ」に基づいて「(5)ＲＩ」を決定する。
【０１００】  さらに、第２のフィードバック・モードでは、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、ＵＥは、さらに、関連関係に基づいてＭ個の第２の参照信号リソースを決定することができ、関連関係は、Ｍ個の第１の参照信号リソースとＭ個の第２の参照信号リソースの間の関連関係であり、ＵＥは、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定する。詳細については、図３Ａについての説明を参照のこと。詳細は、ここでは再度説明しない。
【０１０１】  さらに図３Ｂを参照すると、Ｍ個の参照信号リソース表示情報、すなわち、ビームＩＤのフィードバック期間は、第４のフィードバック期間であり、ＲＩのフィードバック期間は、第５のフィードバック期間であり、ＰＭＩ／ＣＱＩのフィードバック期間は、第６のフィードバック期間であり、第４のフィードバック期間は、第５のフィードバック期間のｋ３倍であり、第５のフィードバック期間は、第６のフィードバック期間のｋ４倍であり、ｋ３は１以上の整数であり、ｋ４は１以上の整数である。
【０１０２】  以下に、２つの具体的なシナリオを使用して、前述のチャネル状態情報フィードバック方法を詳細に説明する。具体的には、図４Ａおよび図４Ｂを参照する。図４Ａは、この出願によるチャネル状態情報フィードバック方法における参照信号リソースの送信方法の概略図である。図４Ｂは、この出願によるチャネル状態情報フィードバック方法における参照信号リソースの送信方法の別の概略図である。
【０１０３】  シナリオ１
【０１０４】  図４Ａ参照のこと。
【０１０５】  ＵＥは、基地局によって送信されたＮ個の参照信号リソースを測定し、Ｎ個の参照信号リソースはＮ個のポートを使用して送信される。参照信号リソースは、ポート上で送信される参照信号である。Ｎ／２個の参照信号リソースは、第１の偏波方向のＮ／２個のアンテナポートを使用して送信され、他のＮ／２個の参照信号リソースは、第２の偏波方向のＮ／２個のアンテナポートによって送信される。各ポートの参照信号はプリコーディング行列を使用してプリコードされ、１つのプリコーディング行列は一つのビームに対応する。従って、各ポートの参照信号は、対応するビームを使用することによって送信されると考えられる。図４に示すように、基地局は、Ｎ＝８個の参照信号リソースを送信し、Ｎ／２＝４個の参照信号リソースは、第１の偏波方向のポートを使用することによって送信され、Ｎ／２＝４個の参照信号リソースは、第２の偏波方向のポートを使用することによって送信される。複数の形式のプリコーディング・ベクトル、例えば離散フーリエ変換（Discrete  Fourier  Transform、ＤＦＴ）ベクトルが存在し得る。基地局は、Ｎ個の参照信号（ＣＳＩ−ＲＳなど）ｓ１，．．．，ｓｍを決定し、Ｎ個のＣＳＩ−ＲＳは予め定義されてよく、基地局および端末装置によって認識されている。基地局は、Ｎ個のプリコーディング行列にそれぞれＮ個の参照信号を乗算し、Ｎ個のプリコーディング参照信号を取得する。すなわち、ｓ１´＝ｕ１×ｓ１，  ．．．，  ｓＮ´＝ｕＮ×ｓＮであり、ここで、ｕｉ（ｉ＝１，．．．，Ｎ）はｉ番目のポートのプリコーディング行列である。
【０１０６】  任意で、ＵＥは、参照信号を測定することによってフィードバック・モードを自律的に選択し、そのフィードバック・モードを基地局に報告することができる。任意で、基地局は、上位層シグナリング（ＲＲＣ）または動的シグナリング（ＤＣＩ）を使用することによって、使用されるべきフィードバック・モードをＵＥに通知することができる。ＵＥは、参照信号を測定し、選択されたフィードバック・モードまたは基地局によって設定されたフィードバック・モードに基づいてＵＥのチャネル状態情報ＣＳＩのセットを決定する。１セットのＣＳＩは、そのフィードバック・モードにおける以下の要素の少なくとも１つを含む。すなわち、ランク・インジケータＲＩ、プリコーディング行列インジケータＰＭＩ、およびチャネル品質インジケータＣＱＩである。ＰＭＩは、広帯域ＰＭＩとすることができ、あるいは複数のサブバンドＰＭＩとすることができる。
【０１０７】  フィードバック・モードは、第１のフィードバック・モードおよび第２のフィードバック・モードを含む。第１のフィードバック・モードでは、ＵＥは、まず、Ｎ個の参照信号の測定に基づいてＣＳＩ内の少なくとも１つの要素を決定し、ＣＳＩ内の少なくとも１つの要素に基づいてＭ個の参照信号リソース表示情報を決定する。ＭはＮ以下の正の整数である。Ｍ個の参照信号リソース表示情報において、各参照信号リソース表示は、１つの参照信号リソースのインデックスを示すために、かつ／あるいは参照信号リソースの品質情報、例えば、受信電力（ＲＳＲＰ）または受信品質（ＲＳＲＱ）を示すために使用される。第２のフィードバック・モードでは、ＵＥは、まず、Ｎ個の参照信号の測定値に基づいてＭ個の参照信号リソース表示情報を決定し、Ｍ個の参照信号リソース表示情報に基づいてＣＳＩ内の各要素を決定する。
【０１０８】  ＵＥは、複数の方法でフィードバック・モードを決定することができる。例えば、ＵＥは、Ｎ個のポートの参照信号を測定することによって、Ｎ個のポートの参照信号受信電力を取得することができる。ＵＥが、各偏波方向において、Ｎ／２個の参照信号のうち、受信電力が所定の閾値を超える複数の参照信号が存在すると決定した場合、ＵＥは、ＣＳＩを報告するために第１のフィードバック・モードを使用することを決定することができる。さもなければ、ＵＥが、各偏波方向において、Ｎ／２個の参照信号のうち、受信電力が所定の閾値を超える参照信号が１つのみであると決定した場合、ＵＥは、ＣＳＩを報告するために第２のフィードバック・モードを使用することを決定することができる。ＵＥは、さらに、他の方法でフィードバック・モードを決定することができ、そのような方法は、本明細書において除外されない。
【０１０９】  第１のフィードバック・モードが使用される場合、ＵＥは、まず、参照信号を測定した結果に基づいてＲＩを報告することを決定する。ＲＩは、ＵＥが、後続のデータ伝送プロセスにおいて同じ時間周波数リソース上で送信するように基地局に指示するデータの層の量を表す。ＲＩを決定した後、ＵＥは、ＲＩに基づいてＭ個の参照信号リソース表示を報告し、各参照信号リソース表示は、参照信号リソースの数および／または参照信号リソースの品質情報を示すために使用される。Ｍ個の表示を報告するための方法は、ビーム番号またはポート番号などを報告することであり得る。ＵＥによるＭ個の参照信号リソース表示を報告する時間は、ＲＩを報告する時間とは異なることがある。Ｍ個の参照信号リソース表示を報告する時間がＲＩを報告する時間より遅い場合、Ｍ個の参照信号リソース表示が報告される基準となるＲＩは、現在の報告時間より前に直近に報告されたＲＩである。任意で、Ｍの値は、ＵＥに対して基地局によって設定されることができ、あるいはＵＥによって基地局に推奨されることができる。任意で、Ｍの値とＲＩの間に関連関係が存在する。特定の関連関係は、事前に定義され得る。たとえば、表は事前に定義されており、基地局は表を照会することによってＭの値を設定する。例えば、Ｍの値はＲＩの増加に伴って減少しない。任意で、ＭとＲＩの間の関連表は、以下の表の形式と同様とすることができる。【表１】
2020506586.tif 000020
【０１１０】  基地局は、ＵＥによって報告されたＲＩに基づいて、対応するＭの値をＵＥに対して設定することができる。特定の関連関係はまた、他の態様であってもよく、そのような態様は、本明細書において除外されない。
【０１１１】  報告されたＲＩおよびＭ個の参照信号リソース表示に基づいて、ＵＥはさらに、ＰＭＩおよびＣＱＩのうちの少なくとも１つを報告する。ここで、報告されるＰＭＩは、Ｍ個の第１の参照信号リソースの測定値を結合することによって取得されるターゲットＰＭＩであり、１つの（広帯域）ＰＭＩまたは複数の（サブバンド）ＰＭＩを含むことができる。ＣＱＩは、ＲＩ、Ｍ個の参照信号リソース表示、およびＰＭＩに基づいて計算される。ＰＭＩは、各偏波方向におけるポートから選択されるポートの数を示すために使用される。第１の方法では、ＲＩ層データにおける各層に対して、各ＰＭＩは、各偏波方向における複数のポートからポートが１つのみ選択されることを示す。第２の方法では、ＲＩ層データにおけるデータの各層について、各ＰＭＩは、各偏波方向における複数のポートからポートが少なくとも２つ選択されることを示し、ＰＭＩは、選択されたポートの数およびポート間の線形結合係数を含む。ＵＥによってＰＭＩおよびＣＱＩを報告する時間は、Ｍ個の参照信号リソース表示を報告する時間とは異なることがある。ＰＭＩおよびＣＱＩを報告する時間が、Ｍ個の参照信号リソース表示を報告する時間よりも遅いとき、ＰＭＩおよびＣＱＩが報告される基準となるＭ個の参照信号リソース表示は、現在の報告時間よりも前に直近に報告されたＭ個の参照信号リソース表示である。
【０１１２】  従って、第１のフィードバック・モードでは、ＲＩのフィードバック期間が第１のフィードバック期間であり、Ｍ個の参照信号リソース表示のフィードバック期間が第２のフィードバック期間であり、ＰＭＩおよびＣＱＩのフィードバック期間が第３のフィードバック期間であると仮定する。この場合、第１のフィードバック期間は、第２のフィードバック期間のｋ１倍であり、第２のフィードバック期間は、第３のフィードバック期間のｋ２倍である。ここで、ｋ１は、１以上の整数であり、ｋ２は、１以上の整数である。第１のフィードバック・モードの概略図は図３Ａに示されている。
【０１１３】  第２のフィードバック・モードが選択された場合、ＵＥは、まず、参照信号を測定した結果に基づいてＭ個の参照信号リソース表示を報告し、各参照信号リソース表示は、参照信号リソースの数および／または参照信号リソースの品質情報を示すために使用される。Ｍ個の表示を報告するための方法は、ビーム番号またはポート番号などを報告することであり得る。ＵＥは、さらに、報告されたＭ個の参照信号リソース表示に基づいてＲＩを決定する。ＵＥによってＭ個の参照信号リソース表示を報告する時間は、ＲＩを報告する時間とは異なることがある。ＲＩを報告する時間がＭ個の参照信号リソース表示を報告する時間より遅い場合、ＲＩが報告される基準となるＭ個の参照信号リソース表示は、現在の報告時間の前に直近に報告されたＭ個の参照信号リソース表示である。
【０１１４】  報告されたＭ個の参照信号リソース表示およびＲＩに基づいて、ＵＥは、さらに、ＰＭＩおよびＣＱＩのうちの少なくとも１つを報告する。ここで、報告されたＰＭＩは、Ｍ個の第１の参照信号リソースの測定値を結合することによって取得されたターゲットＰＭＩであり、１つの（広帯域）ＰＭＩまたは複数の（サブバンド）ＰＭＩを含むことができる。ＣＱＩは、ＲＩ、Ｍ個の参照信号リソース表示、およびＰＭＩに基づいて計算される。ＰＭＩは、各偏波方向においてポートから選択されたポートの数を示すために使用される。第１の方法では、ＲＩ層データにおけるデータの各層について、各ＰＭＩは、各偏波方向において複数のポートのうち選択されるポートが１つのみであることを示す。第２の方法では、ＲＩ層データにおけるデータの各層について、各ＰＭＩは、各偏波方向において複数のポートからポートが少なくとも２つ選択されることを示し、ＰＭＩは、選択されたポートの数およびポート間の線形結合係数を含む。ＵＥによってＰＭＩおよびＣＱＩを報告する時間は、ＲＩを報告する時間とは異なることがある。ＰＭＩおよびＣＱＩを報告する時間がＲＩを報告する時間より遅い場合、ＰＭＩおよびＣＱＩが報告される基準となるＲＩは、現在の報告時期よりも前に直近に報告されたＲＩである。
【０１１５】  従って、第２のフィードバック・モードでは、Ｍ個の参照信号リソース表示のフィードバック期間が第４のフィードバック期間であり、ＲＩのフィードバック期間が第５のフィードバック期間であり、ＰＭＩおよびＣＱＩのフィードバック期間が第６のフィードバック期間であると仮定する。この場合、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。第２のフィードバック・モードの概略図は図３Ｂに示されている。
【０１１６】  第１のフィードバック・モードおよび第２のフィードバック・モードの場合、ＰＭＩを報告する第２の方法の利点は、ＣＳＩフィードバック精度およびその後のデータ伝送性能が改善できることにある。例として第１のフィードバック・モードおよびＲＩ＝１を使用して、以下では、複数の選択されたポートの線形結合係数を計算してＰＭＩを報告する方法を説明する。
【０１１７】  Ｎ＝８個の参照信号を測定することにより、ＵＥは、第１の偏波方向においてＮ／２＝４個の参照信号に対して番号１、２の参照信号を選択し（参照信号リソース表示はそれぞれ１〜４）、第２の偏波方向においてＮ／２＝４個の参照信号に対して番号５、６の参照信号を選択する（参照信号リソース表示はそれぞれ５〜８）。この場合、ＵＥは、４つの参照信号に基づいてサブバンドのチャネル係数を推定することができる。Ｘ＝［Ｈ×ｕ１，Ｈ×ｕ２，Ｇ×ｕ１，．．．，Ｇ×ｕ２］
【０１１８】  Ｈは、アンテナからＵＥへのチャネル係数であり、そのアンテナは、第１の偏波方向におけるポートに対応する。Ｇは、アンテナからＵＥへのチャネル係数であり、そのアンテナは、第２の偏波方向におけるポートに対応する。ＵＥは、チャネル係数Ｘに対して特異値分解を行うことによって、あるいは他の方法を使用することによって、ＲＩ＝１に基づいたＸの右一次特異ベクトルｘ＝［ｖ１，ｖ２，ｕ１，．．．，ｕ２］を取得することができる。この場合、参照信号リソース表示１、２、５、および６と各サブバンドの係数［ｖ１，ｖ２，ｕ１，．．．，ｕ２］は、ＵＥによって報告されたＰＭＩである。チャネル係数Ｘは、選択されたＭ個の参照信号リソースを測定することによって取得されるＭセットのＣＳＩであり、報告されたＰＭＩ［ｖ１，ｖ２，ｕ１，．．．，ｕ２］は、ＭセットのＣＳＩに基づいて取得されるターゲットＰＭＩである。
【０１１９】  シナリオ２
【０１２０】  図４Ｂ参照のこと。
【０１２１】  ＵＥは、基地局から送信されたＮ個の第１の参照信号リソースを測定する。各第１の参照信号リソースは、ｎ個のポートを使用することによって送信される。同じ第１の参照信号リソースのｎ個のポートに対して、同じプリコーディング行列が、ポート上の測定参照信号をプリコードするために使用される。具体的には、同じ第１の参照信号リソースのｎ個のポートは、同じビーム方向を有し、ビーム方向は、第１の参照信号のビーム方向である。図に示されるように、基地局は、Ｎ＝２個の第１の参照信号リソースを送信し、各第１の参照信号リソースは、ｎ＝４個のポートを使用することにより送信され、ｕ１は、番号１の第１の参照信号リソースのプリコーディング・ベクトルであり、ｕ２は、番号２の第１の参照信号リソースのプリコーディング・ベクトルである。
【０１２２】  任意に、ＵＥは、参照信号を測定することによって自律的にフィードバック・モードを選択し、そのフィードバック・モードを基地局に報告することができる。任意で、基地局は、上位層シグナリング（無線リソース制御、ＲＲＣ）または動的シグナリング（下りリンク制御情報、ＤＣＩ）を使用することによって、ＵＥに対して、使用されるべきフィードバック・モードを通知することができる。ＵＥは、参照信号を測定し、選択したフィードバック・モードまたは基地局によって設定されたフィードバック・モードに基づいてＵＥのチャネル状態情報ＣＳＩのセットを決定する。ＣＳＩの１セットは、フィードバック・モードにおいて、以下の要素のうちの少なくとも１つを含む。すなわち、ランク・インジケータＲＩ、プリコーディング行列インジケータＰＭＩ、チャネル品質インジケータＣＱＩ、チャネル共分散行列、およびチャネル固有ベクトルである。ＰＭＩは広帯域ＰＭＩとすることができ、あるいは複数のサブバンドＰＭＩとすることができ、チャネル共分散行列は広帯域チャネル共分散行列とすることができ、あるいは複数のサブバンド・チャネル共分散行列とすることができ、チャネル固有ベクトルは広帯域チャネル固有ベクトルとすることができ、あるいは複数のサブバンド・チャネル固有ベクトルとすることができる。
【０１２３】  フィードバック・モードは、第１のフィードバック・モードおよび第２のフィードバック・モードを含む。第１のフィードバック・モードでは、ＵＥは、まず、Ｎ個の第１の参照信号リソースの測定値に基づいてＣＳＩ内の少なくとも１つの要素を決定し、そのＣＳＩ内の少なくとも１つの要素に基づいてＭ個の参照信号リソース表示情報を決定する。ＭはＮ以下の正の整数である。Ｍ個の参照信号リソース表示情報では、各参照信号リソース表示は、１つの第１の参照信号リソースのインデックスを示すために、かつ／あるいは、第１の参照信号リソースの品質情報、例えば、受信電力（ＲＳＲＰ）または受信品質（ＲＳＲＱ）を示すために使用される。第２のフィードバック・モードでは、ＵＥは、Ｎ個の第１の参照信号リソースの測定値に基づいてＭ個の参照信号リソース表示情報を決定し、Ｍ個の参照信号リソース表示情報に基づいてＣＳＩ内の各要素を決定する。
【０１２４】  ＵＥは、複数の方法でフィードバック・モードを決定することができる。例えば、ＵＥは、Ｎ個の第１の参照信号リソースの受信電力を測定することができる。ＵＥが、受信電力が所定の閾値を超える第１の参照信号リソースが複数あると決定した場合、ＵＥは、ＣＳＩを報告するために第１のフィードバック・モードを使用することを決定することができる。ＵＥが、受信電力が所定の閾値を超える第１の参照信号リソースが１つのみであると決定した場合、ＵＥは、ＣＳＩを報告するために第２のフィードバック・モードを使用することを決定することができる。ＵＥは、さらに、他の方法でフィードバック・モードを決定することができ、そのような方法は、本明細書において除外されない。
【０１２５】  第１のフィードバック・モードが使用される場合、ＵＥは、まず、第１の参照信号を測定した結果に基づいてＲＩを報告することを決定する。ＲＩは、ＵＥが、後続のデータ送信プロセスにおいて同じ時間周波数リソース上で送信するように基地局に指示するデータの層の量を表す。ＲＩを決定した後、ＵＥは、ＲＩに基づいてＭ個の参照信号リソース表示を報告し、各参照信号リソース表示は、第１の参照信号リソースの番号および／または第１の参照信号リソースの品質情報を示すために使用される。ＵＥによってＭ個の参照信号リソース表示を報告する時間は、ＲＩを報告する時間とは異なることがある。Ｍ個の参照信号リソース表示を報告する時間がＲＩを報告する時間より遅い場合、Ｍ個の参照信号リソース表示が報告される基準となるＲＩは、現在の報告時間より前に直近に報告されたＲＩである。
【０１２６】  任意で、Ｍの値は、ＵＥ対して基地局によって設定されることができ、あるいはＵＥによって基地局に推奨されることができる。任意で、ＲＩはＭとｎの値との関係を有する。例では、ＲＩがｎ以下の整数である場合、Ｍの値は１以上の整数とすることができる。例では、ＲＩがｎ以上の整数である場合、Ｍの値は１より大きい整数である。例えば、ｎ＝２、およびＲＩ＝３である場合、基地局によって設定されるＭは、ＲＩ／ｎ＝１．５以上の正の整数とすることができる。具体的には、Ｍは２以上の整数とすることができる。特定の関連関係が表によって示され得る。基地局またはＵＥは、表を照会することによってＭを決定することができる。
【０１２７】  報告されたＲＩおよびＭ個の参照信号リソースの表示に基づいて、ＵＥは、さらに、ＰＭＩ、ＣＱＩ、チャネル共分散行列、およびチャネル固有ベクトルのうちの少なくとも１つを報告する。任意で、ＰＭＩは、ＵＥによって選択されたプリコーディング行列を示すために使用され得る。任意で、報告されたＰＭＩによって示されるプリコーディング行列は、Ｍ×ｎ列を含み、プリコーディング行列は、報告されたＭ個の参照信号リソース表示によって示されるＭ個の第１の参照信号リソースの全部でＭ×ｎポート上のプリコーディングのために使用される。具体的には、Ｍ個の第１の参照信号リソースの測定値がターゲットＰＭＩに結合される。任意で、ターゲットＰＭＩは、Ｍ個の参照信号リソースを測定することによって取得されるＭ個のＣＳＩを結合することによって取得され得る。任意で、１つのターゲットＰＭＩが全帯域幅について報告されることができ、あるいは１つのターゲットＰＭＩが各サブバンドについて報告されることができる。任意で、報告されたチャネル共分散行列は、Ｍ個の共分散行列を含むことができ、各共分散行列は、Ｍ個の参照信号リソースのうちの１つのｎ個のポートからＵＥまでのチャネルの共分散行列である。代替的には、報告されたチャネル共分散行列は、１つの共分散行列を含むことができ、ここで、共分散行列は、Ｍ個の参照信号リソースのＭ×ｎ個のポートからＵＥまでのチャネルの共分散行列である。具体的には、Ｍ個の第１の参照信号リソースの測定値がターゲット共分散行列に結合される。１つのターゲット共分散行列が全帯域幅について報告されることができ、あるいは１つのターゲット共分散行列が各サブバンドについて報告される。同様に、報告されたチャネル固有ベクトルは、Ｍ個のチャネル固有ベクトルを含むことができ、各チャネル固有ベクトルは、Ｍ個の参照信号リソースのうちの１つのｎポートからＵＥへのチャネルのチャネル固有ベクトルである。代替的には、報告されたチャネル固有ベクトルは、１つのチャネル固有ベクトルを含み、ここで、チャネル固有ベクトルは、Ｍ個の参照信号リソースのＭ×ｎポートからＵＥへのチャネルのチャネル固有ベクトルである。具体的には、Ｍ個の第１の参照信号リソースの測定値がターゲットチャネル固有ベクトルに結合される。１つのターゲットチャネル固有ベクトルが全帯域幅について報告されることができ、あるいは１つのターゲットチャネル固有ベクトルが各サブバンドについて報告される。ＣＱＩは、報告されるＭ個の参照信号リソース表示、ＲＩ、およびＰＭＩに基づいて計算されるか、あるいは報告されるＭ個の参照信号リソース表示、ＲＩ、チャネル共分散行列、またはチャネル固有ベクトルに基づいて計算される。
【０１２８】  ＵＥによってＰＭＩ、ＣＱＩ、チャネル共分散行列、およびチャネル固有ベクトルを報告する時間は、Ｍ個の参照信号リソース表示を報告する時間とは異なることがある。ＰＭＩ、ＣＱＩ、チャネル共分散行列、およびチャネル固有ベクトルを報告する時間が、Ｍ個の参照信号リソース表示を報告する時間よりも遅い場合、ＰＭＩ、ＣＱＩ、チャネル共分散行列、およびチャネル固有ベクトルが報告される基準となるＭ個の参照信号リソース表示は、現在の報告時間の前に直近に報告されたＭ個の参照信号リソース表示である。
【０１２９】  任意で、ターゲットＰＭＩは、さらに、選択されたＭ個の参照信号リソースの全部でＭ×ｎポートの線形結合係数のセットを報告するために使用され得る。結合係数のセットは、Ｍ個の参照信号リソースを測定することによって取得されるＭ個のＣＳＩを結合することによって取得され得る。Ｍ＝２、ｎ＝２、ＲＩ＝１を例として、線形結合係数を求める方法が説明される。ＵＥは、Ｎ個の参照信号リソースを測定し、番号１および２の参照信号リソースを選択する。番号１の参照信号リソースの２個のポートからＵＥへの下りリンクチャネルのチャネル行列はＨであり、番号２の参照信号リソースの２個のポートからＵＥへの下りリンクチャネルのチャネル行列はＧである。ＨおよびＭの次元は両方ともＭ×２であり、ＭはＵＥのアンテナの量である。ＵＥは、チャネル行列ＨとＧに特異値分解を別々に行い、Ｈの一次固有ベクトルｖ１とＧの一次固有ベクトルｖ２を取得し、ｖ１とｖ２は両方とも、次元が２×１のベクトルである。ＵＥは、まず、ｖ１とｖ２に基づいて２つのポート・グループの等価チャネルＨ＿ｅｆｆとＧ＿ｅｆｆを計算し、ここで、Ｈ＿ｅｆｆ＝Ｈ×ｖ１、Ｇ＿ｅｆｆ＝Ｇ×ｖ２であり、そして、ＵＥは、特異値分解または他の計算を結合チャネルＦ＝［Ｈ＿ｅｆｆ  Ｇ＿ｅｆｆ］で行い、一次固有ベクトルｕを取得し、ここで、ｕ＝（ｕ１，ｕ２）であり、次元は２×１のベクトルであり、２つの複素数ｕ１とｕ２を含む。次いで、ＵＥは、番号１および２の参照信号リソースに対応する基底ベクトルセット（標準で予め定義、あるいは基地局によって設定）と取得された一次固有ベクトル（ｖ１，ｖ２）に基づいて、番号１の参照信号リソースのｎ＝２個のポートの線形結合係数（ａ１，ａ２）を決定し、番号２の参照信号リソースのｎ＝２個のポートの線形結合係数（ｂ１，ｂ２）を決定する。報告されたターゲットＰＭＩは、以下の結合係数のセットを含む。すなわち、（ｕ１，ｕ２，ａ１，ａ２，ｂ１，ｂ２）である。（ａ１，ａ２）および（ｂ１，ｂ２）は、２つの参照信号リソースを測定することによって取得されるＭ＝２セットのＣＳＩであり、係数（ｕ１，ｕ２）は、さらに、Ｍ＝２セットのＣＳＩに基づいて取得される。従って、報告された結合係数のセット（ｕ１，ｕ２，ａ１，ａ２，ｂ１，ｂ２）は、ＣＳＩの２つのセットを結合することによって得られるＰＭＩである。１セットの結合係数が全帯域幅について報告されることができ、あるいは１セットの結合係数が各サブバンドについて報告される。結合係数は、さらに他の方法で取得されることができ、そのような方法は、本明細書において除外されない。
【０１３０】  従って、第１のフィードバック・モードでは、ＲＩのフィードバック期間が第１のフィードバック期間であり、Ｍ個の参照信号リソース表示のフィードバック期間が第２のフィードバック期間であり、ＰＭＩ、ＣＱＩ、チャネル共分散行列、およびチャネル固有ベクトルのフィードバック期間が第３のフィードバック期間であると仮定する。この場合、第１のフィードバック期間は、第２のフィードバック期間のｋ１倍であり、第２のフィードバック期間は、第３のフィードバック期間のｋ２倍であり、ここで、ｋ１は１以上の整数であり、ｋ２は１以上の整数である。
【０１３１】  第２のフィードバック・モードが使用される場合、ＵＥは、まず、参照信号を測定した結果に基づいてＭ個の参照信号リソース表示を報告し、各参照信号リソース表示は、参照信号リソースの番号および／または参照信号リソースの品質情報を示すために使用される。ＵＥは、さらに、報告されたＭ個の参照信号リソース表示に基づいてＲＩを決定する。ＵＥによってＭ個の参照信号リソース表示を報告する時間は、ＲＩを報告する時間とは異なることがある。ＲＩを報告する時間がＭ個の参照信号リソース表示を報告する時間より遅い場合、ＲＩが報告される基準となるＭ個の参照信号リソース表示は、現在の報告時間の前に直近に報告されたＭ個の参照信号リソース表示である。
【０１３２】  報告されたＲＩおよびＭ個の参照信号リソースの表示に基づいて、ＵＥは、さらに、ＰＭＩ、ＣＱＩ、チャネル共分散行列、およびチャネル固有ベクトルのうちの少なくとも１つを報告する。任意で、報告されたＰＭＩによって示されるプリコーディング行列は、Ｍ×ｎ列を含み、プリコーディング行列は、報告されたＭ個の参照信号リソース表示によって示されるＭ個の第１の参照信号リソースの全部でＭ×ｎポート上のプリコーディングのために使用される。具体的には、Ｍ個の第１の参照信号リソースの測定値がターゲットＰＭＩに結合される。１つのターゲットＰＭＩが全帯域幅について報告されることができ、あるいは１つのターゲットＰＭＩが各サブバンドについて報告される。任意で、報告されたチャネル共分散行列は、Ｍ個の共分散行列を含むことができ、各共分散行列は、Ｍ個の参照信号リソースのうちの１つのｎ個のポートからＵＥまでのチャネルの共分散行列である。代替的には、報告されたチャネル共分散行列は、１つの共分散行列を含むことができ、その共分散行列は、Ｍ個の参照信号リソースのＭ×ｎ個のポートからＵＥまでのチャネルの共分散行列である。具体的には、Ｍ個の第１の参照信号リソースの測定値がターゲット共分散行列に結合される。１つのターゲット共分散行列が全帯域幅について報告されることができ、あるいは１つのターゲット共分散行列が各サブバンドについて報告される。同様に、報告されたチャネル固有ベクトルは、Ｍ個のチャネル固有ベクトルを含むことができ、各チャネル固有ベクトルは、Ｍ個の参照信号リソースのうちの１つのｎ個のポートからＵＥへのチャネルのチャネル固有ベクトルである。代替的には、報告されたチャネル固有ベクトルは、１つのチャネル固有ベクトルを含み、そのチャネル固有ベクトルは、Ｍ個の参照信号リソースのＭ×ｎ個のポートからＵＥへのチャネルのチャネル固有ベクトルである。具体的には、Ｍ個の第１の参照信号リソースの測定値がターゲット・チャネル固有ベクトルに結合される。１つのターゲット・チャネル固有ベクトルが全帯域幅について報告されることができ、あるいは１つのターゲットチャネル固有ベクトルが各サブバンドについて報告される。ＣＱＩは、報告されたＭ個の参照信号リソース表示、ＲＩ、およびＰＭＩに基づいて計算されるか、あるいは報告されたＭ個の参照信号リソース表示、ＲＩ、チャネル共分散行列、またはチャネル固有ベクトルに基づいて計算される。ＵＥによってＰＭＩ、ＣＱＩ、チャネル共分散行列、およびチャネル固有ベクトルを報告する時間は、ＲＩの報告時間とは異なることがある。ＰＭＩ、ＣＱＩ、チャネル共分散行列、およびチャネル固有ベクトルを報告する時間がＲＩを報告する時間より遅い場合、ＰＭＩ、ＣＱＩ、チャネル共分散行列、およびチャネル固有ベクトルが報告される基準となるＲＩは、現在の報告時間の前に直近に報告されたＲＩである。
【０１３３】  従って、第２のフィードバック・モードでは、Ｍ個の参照信号リソース表示のフィードバック期間が第４のフィードバック期間であり、ＲＩのフィードバック期間が第５のフィードバック期間であり、ＰＭＩおよびＣＱＩのフィードバック期間が第６のフィードバック期間であると仮定する。この場合、第４のフィードバック期間は第５のフィードバック期間のｋ３倍であり、第５のフィードバック期間は第６のフィードバック期間のｋ４倍である。ここで、ｋ３は１以上の整数であり、ｋ４は１以上の整数である。
【０１３４】  任意で、ＰＭＩは、さらに、選択されたＭ個の参照信号リソースの全部でＭ×ｎ個のポートの線形結合係数のセットを報告するためにさらに使用され得る。特定の取得方法は、第１のフィードバック・モードにおいて結合係数を取得する方法に類似している。詳細は、再度記載されない。
【０１３５】  任意で、第２のフィードバック・モードにおいて、ＵＥによって報告されるＰＭＩ、ＣＱＩ、チャネル共分散行列、およびチャネル固有ベクトルは、Ｎ個の第２の測定参照リソースの測定に基づいて取得され得る。関連関係がＮ個の第１の測定参照リソースとＮ個の第２の参照信号リソースの間に存在する。例えば、ｉ番目の第２の参照信号リソースのビーム方向は、ｉ番目の第１の参照信号リソースのビーム方向に近く、ｉ番目の第２の参照信号リソースのポートは、ｉ番目の第１の参照信号リソースのポートを含む。代替的には、ｉ番目の第２の参照信号リソースのビーム方向は、ｉ番目の第１の参照信号リソースのビーム方向に近く、ｉ番目の第２の参照信号リソースのビーム幅は、ｉ番目の第１の参照信号リソースのビーム幅よりも狭くすることができる。代替的には、ｉ番目の第２の参照信号リソースは、ビーム群に対応し、ビーム群の方向は、関連するｉ番目の第１の参照信号リソースのビームの方向に近い。特定の関連関係はまた、他の形態とすることができ、そのような形態は、本明細書において除外されない。関連関係に基づいて、基地局は、ＵＥによって報告されたＭ個の参照信号リソース表示に基づいて、対応する第２の参照信号リソースを設定することができる。ＵＥは、関連関係に基づいて対応する第２の参照信号リソースを測定することができる。具体的には、図５Ａおよび図５Ｂを参照のこと。図５Ａは、この出願によるチャネル状態情報フィードバック方法における第１の参照信号リソースと第２の参照信号リソースの間の関連関係の概略図である。図５Ｂは、この出願によるチャネル状態情報フィードバック方法における第１の参照信号リソースと第２の参照信号リソースの間の別の関連関係の概略図である。
【０１３６】  図５Ａを参照すると、Ｎ＝４個の第１の参照信号リソースの各々は、２つのポートを含み、異なるビーム方向に対応する。各第１の参照信号リソースは、第２の参照信号リソースと関連付けられる。各第２の参照信号リソースは、４つのポートを有し、１つのビーム方向に対応する。各第２の参照信号リソースに対応するビーム方向、および関連する第１の参照信号リソースのビーム方向は、基本的に整合している。
【０１３７】  図５Ｂを参照すると、Ｎ＝４個の第１の参照信号リソースの各々は、２つのポートを含み、異なるビーム方向に対応する。各第１の参照信号リソースは、第２の参照信号リソースと関連付けられる。各第２の参照信号リソースは、２つのポートを有し、１つのビームグループに対応し、各ビームグループは、２つのビームを含む。各第２の参照信号リソースに対応するビーム群内の２つのビームの方向と、関連する第１の参照信号リソースのビーム方向は、基本的に整合している。
【０１３８】  図６は、この出願によるユーザ機器の実施形態１の概略構造図である。この実施形態によって提供されるユーザ機器は、この出願の任意の実施形態によるユーザ機器に適用される方法の各ステップを実施することができる。具体的には、この実施形態によって提供されるユーザ機器１００は、  基地局によって設定されたＮ個の第１の参照信号リソースを受信するように構成されている受信モジュール１１であって、Ｎ個の第１の参照信号リソースの各々は少なくとも１つのポートを含み、Ｎは２以上の整数である、受信モジュール１１と、  フィードバック・モードに基づいてチャネル状態表示ＣＳＩおよびＭ個の第１の参照信号リソース表示情報を決定するように構成されている処理モジュール１２であって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュール１２と、  ＣＳＩおよびＭ個の第１の参照信号リソース表示情報を基地局に報告するように構成されている送信モジュール１３と、を含み、  Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。
【０１３９】  基地局によって設定されたＮ個の第１の参照信号リソースを受信し、次いで、フィードバック・モードに基づいて第１の参照信号リソースのＣＳＩおよびＭ個の第１の参照信号リソース表示情報を決定した後、この出願によって提供されるユーザ機器は、ＣＳＩおよびＭ個の第１の参照信号リソース表示情報を基地局にフィードバックする。このプロセスにおいて、ＵＥは、水平次元におけるＭ個の第１の参照信号リソースのＣＳＩおよびＭ個の第１の参照信号リソース表示情報を基地局にフィードバックし、基地局は、第１の参照信号リソース表示情報に基づいて垂直次元におけるチャネル状態情報を決定し、最終的に、２次元のチャネル状態情報を取得する。これは、従来のチャネル推定では水平次元におけるチャネル状態情報のみがフィードバックされるという欠点を克服する。
【０１４０】  任意で、この出願の実施形態では、フィードバック・モードは、第１のフィードバック・モードを含み、  処理モジュール１２は、具体的には、第１のフィードバック・モードにおいて、Ｎ個の第１の参照信号リソースに基づいてＣＳＩ内の少なくとも１つの要素を決定し、そのＣＳＩ内の少なくとも１つの要素に基づいてＭ個の第１の参照信号リソース表示情報を決定するように構成されている。
【０１４１】  任意で、この出願の実施形態では、ＣＳＩ内の少なくとも１つの要素は、ＵＥがＭ個の第１の参照信号リソース表示情報を決定する前に直近に報告されたＲＩであり、処理モジュール１２は、具体的には、第１のフィードバック・モードにおいて、Ｎ個の第１の参照信号リソースに基づいて直近に報告されたＲＩを決定し、直近に報告されたＲＩに基づいてＭ個の第１の参照信号リソース表示情報を決定することを行うように構成されている。
【０１４２】  任意で、この出願の実施形態では、処理モジュール１２は、関連関係に基づいて、Ｍ個の第２の参照信号リソースを決定することであって、関連関係は、Ｍ個の第１の参照信号リソースとＭ個の第２の参照信号リソースの間の関連関係である、決定することと、直近に報告されたＲＩおよびＭ個の第２の参照信号リソースに基づいて、ＰＭＩ、ＣＱＩ、チャネル共分散行列、またはチャネル固有ベクトルのうちの少なくとも１つを決定することと、を行うようにさらに構成されており、  送信モジュール１３は、ＰＭＩ、ＣＱＩ、チャネル共分散行列、またはチャネル固有ベクトルのうちの少なくとも１つを基地局に報告するようにさらに構成されている。
【０１４３】  任意で、この出願の実施形態では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【０１４４】  任意で、この出願の実施形態では、Ｎ個の第１の参照信号リソースに基づいて直近に報告されたＲＩを決定し、直近に報告されたＲＩに基づいてＭ個の第１の参照信号リソース表示情報を決定する場合、処理モジュール１２は、具体的には、第１のフィードバック・モードにおいて、Ｎ個の第１の参照信号リソースに基づいて直近に報告されたＲＩを決定することと、直近に報告されたＲＩに基づいて対応表を照会して、Ｍ個の第１の参照信号リソース表示情報を決定することであって、ここで、対応表は、ＲＩとＭの間に存在する対応を記憶する、決定することと、を行うように構成されている。
【０１４５】  任意で、この出願の実施形態では、フィードバック・モードは第２のフィードバック・モードを含み、処理モジュール１２は、具体的には、第２のフィードバック・モードのＵＥによって、Ｎ個の第１の参照信号リソースに基づいてＭ個の第１の参照信号リソース表示情報を決定することと、Ｍ個の第１の参照信号リソース表示情報によって示されるＭ個の第１の参照信号リソースに基づいてＣＳＩを決定することと、を行うように構成されている。
【０１４６】  任意で、この出願の一実施形態では、Ｍ個の第１の参照信号リソース表示情報は、ＵＥがＣＳＩを決定する前に直近に報告されたＭ個の第１の参照信号リソース表示情報である。
【０１４７】  任意で、この出願の一実施形態では、処理モジュール１２は、具体的には、第２のフィードバック・モードにおいて、Ｎ個の第１の参照信号リソースに基づいてＭ個の第１の参照信号リソース表示情報を決定することと、Ｍ個の第１の参照信号リソース表示情報によって示されるＭ個の第１の参照信号リソースに基づいてＣＳＩ内のＲＩを決定することとを行うように構成されている。
【０１４８】  任意で、この出願の実施形態では、第２のフィードバック・モードにおいて、Ｎ個の第１の参照信号リソースに基づいてＭ個の第１の参照信号リソース表示情報を決定し、Ｍ個の第１の参照信号リソース表示情報によって示されるＭ個の第１の参照信号リソースに基づいてＣＳＩ内のＲＩを決定した後、処理モジュール１２は、関連関係に基づいてＭ個の第２の参照信号リソースを決定することであって、関連関係は、Ｍ個の第１の参照信号リソースとＭ個の第２の参照信号リソースの間の関連関係である、決定することと、Ｍ個の第２の参照信号リソースおよびＲＩに基づいて、ＣＳＩ内のＰＭＩ、ＣＱＩ、チャネル共分散行列、またはチャネル固有ベクトルのうちの少なくとも１つを決定することと、を行うようにさらに構成されており、  送信モジュール１３は、ＰＭＩ、ＣＱＩ、チャネル共分散行列、またはチャネル固有ベクトルのうちの少なくとも１つを基地局に報告するようにさらに構成されている。
【０１４９】  任意で、この出願の実施形態では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【０１５０】  任意で、この出願の実施形態では、処理モジュール１２は、直近に報告されたＲＩおよびＭ個の第２の参照信号リソースに基づいてＭセットのＣＳＩを決定することであって、ＭセットのＣＳＩセットの各々は、ＰＭＩ、ＣＱＩ、チャネル共分散行列、またはチャネル固有ベクトルのうちの少なくとも１つを含む、決定することと、ＭセットのＣＳＩをターゲットＣＳＩに結合することであって、ターゲットＣＳＩは、ターゲットＰＭＩ、ターゲットＣＱＩ、ターゲットチャネル共分散行列、またはターゲットチャネル固有ベクトルのうちの少なくとも１つを含む、決定することと、を行うようにさらに構成され、  送信モジュール１３は、具体的には、ターゲットＰＭＩの基底ベクトル、ポート・インデックス、または結合係数を基地局に報告し、基地局は、ターゲットＰＭＩの基底ベクトル、ポート・インデックス、または結合係数に基づいてターゲットＰＭＩを決定し、ターゲットＰＭＩに基づいてターゲットＣＱＩを取得するように構成されている。
【０１５１】  任意で、この出願の実施形態では、受信モジュール１１は、より上位層シグナリングまたは動的シグナリングを使用することによって、基地局によって設定されたフィードバック・モードを受信するようにさらに構成されている。
【０１５２】  任意で、この出願の実施形態では、送信モジュール１３は、フィードバック・モードを基地局にフィードバックするようにさらに構成されている。
【０１５３】  図７は、この出願による基地局の実施形態１の概略構造図である。この実施形態によって提供される基地局は、この出願の任意の実施形態による基地局に適用される方法の各ステップを実現することができる。具体的には、この実施形態によって提供される基地局２００は、  Ｎ個の第１の参照信号リソースを設定するように構成されている処理モジュール２１であって、Ｎ個の第１の参照信号リソースの各々が少なくとも１つのポートを含み、Ｎが２以上の整数である、処理モジュール２１と、  Ｎ個の第１の参照信号リソースをユーザ機器ＵＥに送信するように構成されている送信モジュール２２と、  フィードバック・モードに基づいてＵＥによって報告されたチャネル状態表示ＣＳＩおよびＭ個の第１の参照信号リソース表示情報を受信するように構成されている受信モジュール２３であって、フィードバック・モードは、ＣＳＩ内の各要素およびＭ個の第１の参照信号リソース表示情報を決定する順序を示し、ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、受信モジュール２３と、を含み、  Ｍ個の第１の参照信号リソース表示情報は、Ｍ個の第１の参照信号リソースの各々のインデックスおよび／または品質情報を示し、Ｍ個の第１の参照信号リソースは、Ｎ個の第１の参照信号リソースのうちのＭ個の第１の参照信号リソースであり、ＭはＮ以下の整数である。
【０１５４】  この出願によって提供される基地局は、ＵＥに対してＮ個の第１の参照信号リソースを設定し、Ｎ個の第１の参照信号リソースをＵＥに送信する。第１の参照信号リソースを受信し、次いで、フィードバック・モードに基づいて第１の参照信号リソースのＣＳＩおよびＭ個の第１の参照信号リソース表示情報を決定した後、ＵＥは、ＣＳＩおよびＭ個の第１の参照信号リソース表示情報を基地局にフィードバックする。このプロセスでは、ＵＥは、水平次元におけるＭ個の第１の参照信号リソースのＣＳＩ、およびＭ個の第１の参照信号リソース表示情報を基地局にフィードバックし、基地局が、第１の参照信号リソース表示情報に基づいて垂直次元におけるチャネル状態情報を決定し、最終的に、２次元のチャネル状態情報を取得するようにする。これは、従来のチャネル推定では水平次元におけるチャネル状態情報のみがフィードバックされるという欠点を克服する。
【０１５５】  任意で、この出願の実施形態では、フィードバック・モードは、第１のフィードバック・モードを含み、  受信モジュール２３は、具体的には、第１のフィードバック・モードにおいて、ＣＳＩ内の少なくとも１つの要素に基づいてＵＥによって決定されたＭ個の第１の参照信号リソース表示情報を受信するようにさらに構成されており、ＣＳＩ内の少なくとも１つの要素は、Ｎ個の第１の参照信号リソースに基づいてＵＥによって決定されている。
【０１５６】  任意で、本出願の実施形態では、ＣＳＩ内の少なくとも１つの要素は、ＵＥがＭ個の第１の参照信号リソース表示情報を決定する前に直近に報告されたＲＩであり、受信モジュール２３は、具体的には、第１のフィードバック・モードにおいて、直近に報告されたＲＩに基づいてＵＥによって決定されたＭ個の第１の参照信号リソース表示情報を受信するように構成されており、直近に報告されたＲＩは、Ｎ個の第１の参照信号リソースに基づいてＵＥによって決定されている。
【０１５７】  任意で、この出願の実施形態では、第１のフィードバック・モードにおいて、直近に報告されたＲＩに基づいてＵＥによって決定されたＭ個の第１の参照信号リソース表示情報を受信した後、受信モジュール２３は、ＵＥによって報告されたＰＭＩ、ＣＱＩ、チャネル共分散行列、またはチャネル固有ベクトルのうちの少なくとも１つを受信するようにさらに構成されており、ＰＭＩ、ＣＱＩ、チャネル共分散行列、またはチャネル固有ベクトルのうちの少なくとも１つは、直近に報告されたＲＩおよびＭ個の第２の参照信号リソースに基づいてＵＥによって決定されており、Ｍ個の第２の参照信号リソースは、関連関係に基づいて決定され、関連関係は、Ｍ個の第１の参照信号リソースとＭ個の第２の参照信号リソースの間の関連関係である。
【０１５８】  任意で、この出願の実施形態では、ＲＩのフィードバック期間は第１のフィードバック期間であり、Ｍ個の第１の参照信号リソース表示情報のフィードバック期間は第２のフィードバック期間であり、ＰＭＩおよびＣＱＩのフィードバック期間は第３のフィードバック期間であり、第１のフィードバック期間は第２のフィードバック期間のｋ１倍であり、第２のフィードバック期間は第３のフィードバック期間のｋ２倍であり、ｋ１は１以上の整数であり、ｋ２は１以上の整数である。
【０１５９】  任意で、この出願の実施形態では、Ｍ個の第１の参照信号リソース表示情報は、Ｎ個の第１の参照信号リソースに基づいて直近に報告されたＲＩを決定し、直近に報告されたＲＩに基づいて対応表を照会することによってＵＥによって決定されており、対応表は、ＲＩとＭの間に存在する対応を記憶する。
【０１６０】  任意で、この出願の実施形態では、フィードバック・モードは、第２のフィードバック・モードを含み、  受信モジュール２３は、具体的には、第２のフィードバック・モードにおいて、Ｍ個の第１の参照信号リソース表示情報に基づいてＵＥによって決定されたＣＳＩを受信するように構成されており、Ｍ個の第１の参照信号リソース表示情報は、Ｎ個の第１の参照信号リソースに基づいてＵＥによって決定されている。
【０１６１】  任意で、この出願の一実施形態では、Ｍ個の第１の参照信号リソース表示情報は、ＵＥがＣＳＩを決定する前に直近に報告されたＭ個の第１の参照信号リソース表示情報である。
【０１６２】  任意で、この出願の実施態様では、  受信モジュール２３は、具体的には、第２のフィードバック・モードにおいて、Ｍ個の第１の参照信号リソースに基づいてＵＥによって決定されたＲＩを受信するように構成されている。
【０１６３】  任意で、この出願の実施形態では、Ｍ個の第１の参照信号リソースに基づいてＵＥによって決定されたＲＩを受信した後、受信モジュール２３は、ＵＥによって報告されたＰＭＩ、ＣＱＩ、チャネル共分散行列、またはチャネル固有ベクトルのうちの少なくとも１つを受信するようにさらに構成されており、ここで、ＰＭＩ、ＣＱＩ、チャネル共分散行列、またはチャネル固有ベクトルのうちの少なくとも１つは、Ｍ個の第２の参照信号リソースに基づいてＵＥによって決定されており、Ｍ個の第２の参照信号リソースは、関連関係に基づいてＵＥによって決定され、関連関係は、Ｍ個の第１の参照信号リソースとＭ個の第２の参照信号リソースの間の関連関係である。
【０１６４】  任意で、この出願の実施形態では、Ｍ個の第１の参照信号リソース表示情報のフィードバック期間は第４のフィードバック期間であり、ＣＳＩ内のＲＩのフィードバック期間は第５のフィードバック期間であり、ＣＳＩ内のＰＭＩおよびＣＱＩのフィードバック期間は第６のフィードバック期間であり、第４のフィードバック期間は第５のフィードバック期間のｋ３倍であり、第５のフィードバック期間は第６のフィードバック期間のｋ４倍であり、ｋ３は１以上の整数であり、ｋ４は１以上の整数である。
【０１６５】  任意で、この出願の実施形態では、受信モジュール２３は、具体的には、ＵＥによって報告されたターゲットＣＳＩを受信するように構成されており、ターゲットＣＳＩは、ターゲットＰＭＩ、ターゲットＣＱＩ、ターゲットチャネル共分散行列、またはターゲットチャネル固有ベクトルのうちの少なくとも１つを含み、ターゲットＣＳＩは、ＭセットのＣＳＩを結合することによってＵＥによって取得され、ＭセットのＣＳＩは、直近に報告されたＲＩおよびＭ個の第２の参照信号リソースに基づいてＵＥによって決定されている。
【０１６６】  任意で、この出願の一実施形態では、送信モジュール２２は、上位層シグナリングまたは動的シグナリングをＵＥに送信するようにさらに構成されており、上位層シグナリングまたは動的シグナリングは、フィードバック・モードを搬送する。
【０１６７】  任意で、この出願の一実施形態では、受信モジュール２３は、ＵＥによってフィードバックされたフィードバック・モードを受信するようにさらに構成されている。
【０１６８】  図８は、この出願によるユーザ機器の実施形態２の概略構造図である。この実施形態によって提供されるユーザ機器は、プロセッサ３１、メモリ３２、通信インタフェース３３、およびシステム・バス３４を含む。メモリ３２と通信インタフェース３３は、システム・バス３４を使用することによりプロセッサ３１に接続され、プロセッサ３１と通信する。メモリ３２は、コンピュータ実行可能命令を記憶するように構成されている。通信インタフェース３３は、他の装置と通信するように構成されている。プロセッサ３１は、コンピュータ実行可能命令を実行するように構成されており、ユーザ機器がユーザ機器に適用される前述の方法の各ステップを実行するようにする。
【０１６９】  図９は、この出願による基地局の実施形態２の概略構造図である。この実施形態によって提供される基地局は、プロセッサ４１、メモリ４２、通信インタフェース４３、およびシステム・バス４４を含む。メモリ４２および通信インタフェース４３は、システム・バス４４を使用することによりプロセッサ４１に接続され、プロセッサ４１と通信する。メモリ４２は、コンピュータ実行可能命令を記憶するように構成されている。通信インタフェース４３は、他の装置と通信するように構成されている。プロセッサ４１は、コンピュータ実行可能命令を実行するように構成されており、基地局が基地局に適用される前述の方法の各ステップを実行するようにする。
【０１７０】  図８または図９で言及したシステム・バスは、ペリフェラル・コンポーネント・インターコネクト（peripheral  component  interconnect、ＰＣＩ）バス、エクステンディット・インダストリ・スタンダード・アーキテクチャ（extended  industry  standard  architecture、ＥＩＳＡ）等とすることができる。システム・バスは、アドレスバス、データバス、制御バス等に分類されることができる。表現を容易にするために、図では、太線を１本だけ使用して、バスを表すが、これはバスが１本だけ、またはバスのタイプが１つだけであることを意味するものではない。通信インタフェースは、データベースアクセス装置と他の装置（クライアント、リード／ライト・データベース、またはリード・オンリ・データベースなど）の間の通信を実現するように構成されている。メモリは、ランダム・アクセス・メモリ（random  access  memory、ＲＡＭ）を含むことができ、あるいは不揮発性メモリ（non-volatile  memory）、例えば少なくとも１つのディスク・ストレージをさらに含むことができる。
【０１７１】  プロセッサは、中央処理装置（Central  Processing  Unit、ＣＰＵ）、ネットワーク・プロセッサ（Network  Processor、ＮＰ）などを含む汎用プロセッサとすることができ、あるいはさらに、デジタル信号プロセッサ（Digital  Signal  Processor、ＤＳＰ）、特定用途向け集積回路（Application-Specific  Integrated  Circuit、ＡＳＩＣ）、フィールド・プログラマブル・ゲート・アレイ（Field-Programmable  Gate  Array、ＦＰＧＡ）または他のプログラマブル・ロジック・デバイス、個別のゲートまたはトランジスタ・ロジック・デバイス、または個別のハードウェア・コンポーネントとすることができる。
【手続補正２】
【補正対象書類名】特許請求の範囲
【補正対象項目名】全文
【補正方法】変更
【補正の内容】
【特許請求の範囲】
【請求項１】
ユーザ機器ＵＥによって、基地局によって設定されたＮ個の第１の参照信号リソースを受信することであって、該Ｎ個の第１の参照信号リソースの各々は少なくとも１つのポートを含み、Ｎは２以上の整数である、受信することと、  前記ＵＥによって、フィードバック・モードに基づいて、チャネル状態表示ＣＳＩおよびＭ個の第１の参照信号リソース表示情報を決定することであって、該フィードバック・モードは、該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルである要素うちの少なくとも１つを含む、決定することと、  前記ＵＥによって、前記ＣＳＩおよび前記Ｍ個の第１の参照信号リソース表示情報を前記基地局に報告することと、を含み、  前記Ｍ個の第１の参照信号リソース表示情報は、Ｍ個の第１の参照信号リソースの各々のインデックスおよび／または品質情報を示し、該Ｍ個の第１の参照信号リソースは、前記Ｎ個の第１の参照信号リソースのうちのＭ個の第１の参照信号リソースであり、ＭはＮ以下の整数である、チャネル状態情報フィードバックの方法。
【請求項２】
前記フィードバック・モードは第１のフィードバック・モードを含み、  前記ＵＥによって、フィードバック・モードに基づいてチャネル状態表示ＣＳＩおよびＭ個の第１の参照信号リソース表示情報を決定することは、  前記第１のフィードバック・モードの前記ＵＥによって、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定することを含む、請求項１に記載の方法。
【請求項３】
前記ＣＳＩ内の前記少なくとも１つの要素は、前記ＵＥが前記Ｍ個の第１の参照信号リソース表示情報を決定する前に直近に報告されたＲＩであり、前記第１のフィードバック・モードの前記ＵＥによって、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定することは、  前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することを含む、請求項２に記載の方法。
【請求項４】
前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することの後、当該方法は、さらに、  前記ＵＥによって、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、  前記ＵＥによって、直近に報告された前記ＲＩおよび前記Ｍ個の第２の参照信号リソースに基づいて、前記ＰＭＩ、前記ＣＱＩ、前記チャネル共分散行列、または前記チャネル固有ベクトルのうちの少なくとも１つを決定することと、  前記ＵＥによって、前記ＰＭＩ、前記ＣＱＩ、前記チャネル共分散行列、または前記チャネル固有ベクトルのうちの前記少なくとも１つを前記基地局に報告することと、を含む、請求項３に記載の方法。
【請求項５】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項４に記載の方法。
【請求項６】
前記第１のフィードバック・モードの前記ＵＥによって、前記Ｎ個の第１の参照信号リソースに基づいて直近に報告された前記ＲＩを決定し、直近に報告された前記ＲＩに基づいて前記Ｍ個の第１の参照信号リソース表示情報を決定することは、  前記第１のフィードバック・モードの前記ＵＥによって、前記Ｎ個の第１の参照信号リソースに基づいて直近に報告された前記ＲＩを決定し、直近に報告された前記ＲＩに基づいて対応表を照会して、前記Ｍ個の第１の参照信号リソース表示情報を決定することであって、該対応表は、前記ＲＩとＭの間に存在する対応を記憶する、決定することを含む、請求項３から５のいずれか一項に記載の方法。
【請求項７】
前記フィードバック・モードは、第２のフィードバック・モードを含み、  前記ＵＥによって、フィードバック・モードに基づいてチャネル状態表示ＣＳＩおよびＭ個の第１の参照信号リソース表示情報を決定することは、前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定することを含む、請求項１に記載の方法。
【請求項８】
前記Ｍ個の第１の参照信号リソース表示情報は、前記ＵＥが前記ＣＳＩを決定する前に直近に報告されたＭ個の第１の参照信号リソース表示情報である、請求項７に記載の方法。
【請求項９】
前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定することは、  前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定することを含む、請求項８に記載の方法。
【請求項１０】
前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定することの後、当該方法は、  前記ＵＥによって、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、  前記ＵＥによって、前記Ｍ個の第２の参照信号リソースおよび前記ＲＩに基づいて、前記ＣＳＩ内の前記ＰＭＩ、前記ＣＱＩ、前記チャネル共分散行列、または前記チャネル固有ベクトルのうちの少なくとも１つを決定することと、  前記ＵＥによって、前記ＰＭＩ、前記ＣＱＩ、前記チャネル共分散行列、または前記チャネル固有ベクトルのうちの少なくとも１つを前記基地局へ報告することと、をさらに含む、請求項９に記載の方法。
【請求項１１】
基地局によって設定されたＮ個の第１の参照信号リソースを受信するように構成されている受信モジュールであって、該Ｎ個の第１の参照信号リソースの各々が少なくとも１つのポートを含み、Ｎは２以上の整数である、受信モジュールと、  フィードバック・モードに基づいて、チャネル状態表示ＣＳＩおよびＭ個の第１の参照信号リソース表示情報を決定するように構成されている処理モジュールであって、該フィードバック・モードは、該ＣＳＩ内の各要素および該Ｍ個の第１の参照信号リソース表示情報を決定する順序を示し、該ＣＳＩは、ランク・インジケータＲＩ、プリコーディング行列インジケータＰＭＩ、チャネル品質インジケータＣＱＩ、チャネル共分散行列、またはチャネル固有ベクトルである要素のうちの少なくとも１つを含む、処理モジュールと、  前記ＣＳＩおよび前記Ｍ個の第１の参照信号リソース表示情報を前記基地局に報告するように構成されている送信モジュールと、を含み、  前記Ｍ個の第１の参照信号リソース表示情報は、Ｍ個の第１の参照信号リソースの各々のインデックスおよび／または品質情報を示し、該Ｍ個の第１の参照信号リソースは、前記Ｎ個の第１の参照信号リソースのうちのＭ個の第１の参照信号リソースであり、ＭはＮ以下の整数である、ユーザ機器ＵＥ。
【請求項１２】
前記フィードバック・モードは第１のフィードバック・モードを含み、  前記処理モジュールは、前記第１のフィードバック・モードにおいて、前記Ｎ個の第１の参照信号リソースに基づいて前記ＣＳＩ内の少なくとも１つの要素を決定し、前記ＣＳＩ内の該少なくとも１つの要素に基づいて前記Ｍ個の第１の参照信号リソース表示情報を決定するように構成されている、請求項１１に記載の機器。
【請求項１３】
前記ＣＳＩ内の前記少なくとも１つの要素は、当該ＵＥが前記Ｍ個の第１の参照信号リソース表示情報を決定する前に直近に報告されたＲＩであり、前記処理モジュールは、前記第１のフィードバック・モードにおいて、前記Ｎ個の第１の参照信号リソースに基づいて直近に報告された前記ＲＩを決定し、直近に報告された前記ＲＩに基づいて前記Ｍ個の第１の参照信号リソース表示情報を決定するように構成されている、請求項１２に記載の機器。
【請求項１４】
前記処理モジュールは、関連関係に基づいて、Ｍ個の第２の参照信号リソースを決定することであって、該関連関係は、前記Ｍ個の第１の参照信号リソースと該Ｍ個の第２の参照信号リソースの間の関連関係である、決定することと、直近に報告された前記ＲＩおよび前記Ｍ個の第２の参照信号リソースに基づいて、前記ＰＭＩ、前記ＣＱＩ、前記チャネル共分散行列、または前記チャネル固有ベクトルのうちの少なくとも１つを決定することとをするようにさらに構成されており、  前記送信モジュールは、前記ＰＭＩ、前記ＣＱＩ、前記チャネル共分散行列、または前記チャネル固有ベクトルのうちの前記少なくとも１つを前記基地局に報告するようにさらに構成されている、請求項１３に記載の機器。
【請求項１５】
前記ＲＩのフィードバック期間は第１のフィードバック期間であり、前記Ｍ個の第１の参照信号リソース表示情報のフィードバック期間は第２のフィードバック期間であり、前記ＰＭＩおよび前記ＣＱＩのフィードバック期間は第３のフィードバック期間であり、該第１のフィードバック期間は該第２のフィードバック期間のｋ１倍であり、該第２のフィードバック期間は該第３のフィードバック期間のｋ２倍であり、ｋ１は１以上の整数であり、ｋ２は１以上の整数である、請求項１４に記載の機器。
【請求項１６】
前記Ｎ個の第１の参照信号リソースに基づいて直近に報告された前記ＲＩを決定し、直近に報告された前記ＲＩに基づいて前記Ｍ個の第１の参照信号リソース表示情報を決定する場合、前記処理モジュールは、前記第１のフィードバック・モードにおいて、前記Ｎ個の第１の参照信号リソースに基づいて直近に報告された前記ＲＩを決定し、直近に報告された前記ＲＩに基づいて対応表を照会して、前記Ｍ個の第１の参照信号リソース表示情報を決定するように構成されており、該対応表は、前記ＲＩとＭの間に存在する対応を記憶する、請求項１３から１５のいずれか一項に記載の機器。
【請求項１７】
前記フィードバック・モードは、第２のフィードバック・モードを含み、前記処理モジュールは、前記第２のフィードバック・モードの前記ＵＥによって、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩを決定するように構成されている、請求項１１に記載の機器。
【請求項１８】
前記Ｍ個の第１の参照信号リソース表示情報は、前記ＵＥが前記ＣＳＩを決定する前に直近に報告されたＭ個の第１の参照信号リソース表示情報である、請求項１７に記載の機器。
【請求項１９】
前記処理モジュールは、前記第２のフィードバック・モードにおいて、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定するように構成されている、請求項１８に記載の機器。
【請求項２０】
前記第２のフィードバック・モードにおいて、前記Ｎ個の第１の参照信号リソースに基づいて前記Ｍ個の第１の参照信号リソース表示情報を決定し、前記Ｍ個の第１の参照信号リソース表示情報によって示される前記Ｍ個の第１の参照信号リソースに基づいて前記ＣＳＩ内の前記ＲＩを決定した後、前記処理モジュールは、関連関係に基づいてＭ個の第２の参照信号リソースを決定することであって、該関連関係は、前記Ｍ個の第１の参照信号リソースと該Ｍ個の第２の参照信号リソースの間の関連関係である、決定することと、該Ｍ個の第２の参照信号リソースと前記ＲＩとに基づいて、前記ＣＳＩ内の前記ＰＭＩ、前記ＣＱＩ、前記チャネル共分散行列、または前記チャネル固有ベクトルのうちの少なくとも１つを決定すること、とをするようにさらに構成されており、  前記送信モジュールは、前記ＰＭＩ、前記ＣＱＩ、前記チャネル共分散行列、または前記チャネル固有ベクトルのうちの前記少なくとも１つを前記基地局に報告するようにさらに構成されている、請求項１９に記載の機器。
【国際調査報告】
2020506586.tif 000021
2020506586.tif 000022
2020506586.tif 000023
2020506586.tif 000024